(57)【要約】本発明はデータ入力装置およびデータ入力方法に関することで、データ入力装置は、電子装置用端末機のケース一側に所定の感知領域を形成して用意された感知ユニット−前記感知ユニットは、前記感知領域内の基準位置に載せられた指の所定放射方向での水平加圧を感知して第１方向入力信号を発生して、前記基準位置に指が載せられた状態から所定方向へ傾ける垂直押しを感知して第２方向入力信号を発生する−と；前記第１方向入力信号および前記第２方向入力信号から指の水平加圧方向または垂直加圧位置を判断して該当の放射方向および加圧位置に割り当てされたデータをメモリー部から抽出して入力する制御部；を含む。【選択図】図１
2011516959.tif 000002
【特許請求の範囲】
【請求項１】
電子装置用端末機のケース一側に所定の感知領域を形成して用意された感知ユニット−前記感知ユニットは、前記感知領域内の基準位置に載せられた指の所定放射方向での水平加圧を感知して第１方向入力信号を発生して、前記基準位置に指が載せられた状態から所定方向へ傾ける垂直押しを感知して第２方向入力信号を発生する−と；
前記第１方向入力信号および前記第２方向入力信号から指の水平加圧方向または垂直加圧位置を判断して該当の放射方向および加圧位置に割り当てされたデータをメモリー部から抽出して入力する制御部；を含む指の動作感知を利用したデータ入力装置。
【請求項２】
前記感知ユニットは、指の接触面の形状に対応してボコっとくぼんでいる感知領域を持つ第１圧電感知パネルを含むが、前記第１圧電感知パネルは前記接触面の中心に位置した基準位置から順次隔離距離を異にして放射状で複数の前記垂直加圧位置および前記水平加圧方向が配置されることを特徴にする、請求項１に記載のデータ入力装置。
【請求項３】
前記各垂直加圧位置の間、前記各水平加圧方向の間、前記垂直加圧位置と前記水平加圧方向の間は変形防止溝によって区画されることを特徴にする、請求項２に記載のデータ入力装置。
【請求項４】
前記感知ユニットは、指と接触されて、前記垂直押しを感知して前記第２方向入力信号を発生する第２圧電感知パネルと；前記第２圧電感知パネルの下部に接触され用意されて、前記水平加圧の時接触された前記第２圧電感知パネルの押圧することを感知して前記第１方向入力信号を発生する第３圧電感知パネル；を含むことを特徴にする、請求項１に記載のデータ入力装置。
【請求項５】
前記感知ユニットは、指と接触されて、前記垂直押しを感知して前記第２方向入力信号を発生する第４圧電感知パネルと；前記第４圧電感知パネルから下方を向けて突き出された多数の垂直突起と、前記各垂直突起を中心に前記各水平加圧方向に用意されて、前記水平加圧の時垂直突起と接触または加圧されることで前記第１方向入力信号を発生する第１移動感知部；を含むことを特徴にする、請求項１に記載のデータ入力装置。
【請求項６】
前記感知ユニットは、前記基準位置に貫通孔が形成されて、前記垂直押しを感知して前記第２方向入力信号を発生する第５圧電感知パネルと；前記貫通孔に挿入されて、指によって前記各放射方向で傾けることが可能に用意され前記水平加圧の時これに対応する前記第１方向入力信号を発生する第２移動感知部；を含むことを特徴にする、請求項１に記載のデータ入力装置。
【請求項７】
前記感知ユニットは、前記基準位置を中心に隔離距離を異にして帯形状に配置されて前記垂直押しを感知して前記第２方向入力信号を発生する複数の第６圧電感知部と；前記各第６圧電感知部の間に配置されるが、前記垂直押しの時指によって加圧されないように前記第６圧電感知部より低い高さを持ち、前記水平加圧の時前記第６圧電感知部によって水平加圧方向に加圧されて前記第１方向入力信号を発生する複数の第７圧電感知部；を含むことを特徴にする、請求項１に記載のデータ入力装置。
【請求項８】
前記感知ユニットは、指と接触されて、前記垂直押しを感知して前記第２方向入力信号を発生する第８圧電感知パネルと；前記第８圧電感知パネルの外部に用意されて、前記水平加圧の時前記第８圧電感知パネルの押圧によった接触を感知して前記第１方向入力信号を発生する第３移動感知部；を含むことを特徴にする、請求項１に記載のデータ入力装置。
【請求項９】
前記感知ユニットは、指と接触されて、前記垂直押しを感知して前記第２方向入力信号を発生する第９圧電感知パネルと；前記第９圧電感知パネルに前記基準位置を中心に前記各放射方向に対応して用意され前記水平加圧の時前記第９圧電感知パネルの押圧によった接触を感知して前記第１方向入力信号を発生する第４移動感知部；を含むことを特徴にする、請求項１に記載のデータ入力装置。
【請求項１０】
前記感知ユニットは、水平加圧を感知するために前記垂直加圧位置の外郭に用意されたリング形態の感知部をさらに具備することを特徴にする、請求項１に記載のデータ入力装置。
【請求項１１】
前記感知ユニットは、指の加圧による弾性変形が可能な圧電感知パネルに用意されるが、前記制御部は、前記圧電感知パネルで感知された加圧力が設定値の１から３倍未満なら指の乗せで判断して、３超過７倍未満なら前記水平加圧と判断して、７倍超過なら前記垂直押しと判断することを特徴にする、請求項１に記載のデータ入力装置。
【請求項１２】
前記感知ユニットは、指によって前記基準位置が加圧されることを感知する中央入力信号を追加的に発生させることを特徴にする、請求項１に記載のデータ入力装置。
【請求項１３】
前記第１方向入力信号、前記第２方向入力信号または前記中央入力信号中の１つ以上は加圧力の強度によって２段以上の多段信号に区分され発生されることを特徴にする、請求項１から１２のいずれかに記載のデータ入力装置。
【請求項１４】
指が載せられる前記感知ユニットの上部には弾性材質のカバー部材がさらに用意されることを特徴にする、請求項１から１１のいずれかに記載のデータ入力装置。
【請求項１５】
前記カバー部材は指のすべりを防止するためのすべり防止手段がさらに用意されたことを特徴にする、請求項１４に記載のデータ入力装置。
【請求項１６】
前記各垂直加圧位置には前記垂直押しの時加圧力を集中するための加圧突起がさらに用意されることを特徴に、請求項１から１１のいずれかに記載のデータ入力装置。
【請求項１７】
前記カバー部材の上部には前記各水平加圧方向および前記垂直加圧位置を表示するための表示手段がさらに用意されることを特徴にする、請求項１４に記載のデータ入力装置。
【請求項１８】
前記各水平加圧方向および前記垂直加圧位置には文字が割り当てされて、前記制御部で前記第１方向入力信号または前記第２方向入力信号が受信される場合これに対応する各水平加圧方向または垂直加圧位置に割り当てされた文字をメモリー部から抽出して入力することを特徴にする、請求項１から１１のいずれかに記載のデータ入力装置。
【請求項１９】
前記水平加圧によってはマウスのポインタの移動またはジョイ・スティックのゲームキャラクター移動機能を実行して、前記垂直押しによってはマウスの左右ボタンまたはジョイ・スティックのキャラクター操作機能を実行することを特徴にする、請求項１から１１のいずれかに記載のデータ入力装置。
【請求項２０】
３次元物体の操作の時、前記水平加圧によっては前記物体の移動を実行して、前記垂直押しによっては垂直押し方向へ前記物体の自体回転を実行することを特徴にする、請求項１から１１のいずれかに記載のデータ入力装置。
【請求項２１】
前記基準位置は前記感知ユニットに載せられた指の接触位置によって移動が可能に用意されて、前記垂直加圧位置は前記基準位置に沿って移動されることを特徴にする、請求項１に記載のデータ入力装置。
【請求項２２】
前記指の接触移動によってはマウスポインタの移動またはジョイ・スティックのゲームキャラクターの移動を実行して、前記垂直押しによってはマウスの左右ボタンまたはジョイ・スティックのゲームキャラクター操作機能を実行するのを特徴にする、請求項２１に記載のデータ入力装置。
【請求項２３】
３次元物体の操作の時、前記指の接触移動によっては前記物体の移動を実行して、前記垂直押しによっては前記物体の自体回転を実行することを特徴にする、請求項２２に記載のデータ入力装置。
【請求項２４】
前記感知ユニットは前記基準位置に指が載せられることを感知する中央感知信号をさらに発生して、前記制御部は前記中央感知信号と前記第２方向入力信号が同時に発生される場合前記垂直加圧位置に割り当てされた第１データを入力して、前記第２方向入力信号だけ発生される場合前記垂直加圧位置に重複割り当てされた第２データを入力することを特徴にする、請求項１または２１に記載のデータ入力装置。
【請求項２５】
前記各水平加圧方向および垂直加圧位置に割り当てされたデータが表示される文字板表示部をさらに含むが、前記文字版表示部は前記中央感知信号の発生可否によって第１データおよび第２データが区別され表示されることを特徴にする、請求項２４に記載のデータ入力装置。
【請求項２６】
前記感知ユニットは、前記基準位置から所定間隔で離隔されたリング形状の回転感知部をさらに含んで、３次元物体の操作の時前記基準位置を中心に指を回転させる場合前記物体が２次元平面上で回転移動することを特徴にする、請求項１または請求項２１に記載のデータ入力装置。
【請求項２７】
前記水平加圧と前記垂直押しが連続して入力されれば組み合わせ入力と判断して、前記水平加圧または前記垂直押しに割り当てされた文字とは異なる第３文字を入力処理することを特徴にする、請求項１に記載のデータ入力装置。
【請求項２８】
前記水平加圧と前記垂直押しが設定された時間値の内で連続して成り立つ場合に前記組み合わせ入力と判断されることを特徴にする、請求項２７に記載のデータ入力装置。
【請求項２９】
前記水平加圧と前記垂直押しが設定された圧力値範囲の内で成り立つ場合に前記組み合わせ入力と判断されることを特徴にする、請求項２７項に記載のデータ入力装置。
【請求項３０】
電子装置用端末機のケースに用意されて各種データを入力するためのデータ入力装置において、
前記ケースの一側に所定の感知領域を形成して用意されるが、前記感知領域内の基準位置を中心に複数の放射方向にそれぞれ対応されるように用意され、前記基準位置に載せられた指による前記各放射方向での水平加圧を感知する第１感知部と、前記基準位置から均一な離隔距離を持って放射状に配置される複数の加圧位置に用意されて指による押し加圧を感知する第２感知部を持つ感知ユニットと；
前記第１感知部および前記第２感知部で感知された感知結果に基礎して前記各放射方向および加圧位置に割り当てされたデータをメモリー部から抽出して入力する制御部；を含むことを特徴にする指の動作感知を利用したデータ入力装置。
【請求項３１】
電子装置用端末機に用意されるデータ入力装置において、
上部に第１感知ラインが配列された基準板と、下部に前記第１感知ラインに対応する第２感知ラインが配列される移動板を具備して、前記移動板に対する水平加圧によって前記第２感知ラインが移動しながら前記第１感知ラインと接触して第１方向入力信号を発生する感知ユニット；および
前記第１方向入力信号から前記移動板の移動方向と移動距離を判断して前記移動方向および前記移動距離に割り当てされたデータをメモリー部から抽出して入力する制御部；を含むことを特徴にする指の動作感知を利用したデータ入力装置。
【請求項３２】
前記第１および前記第２感知ラインはマトリックス形態で連続配列されることを特徴にする、請求項３１に記載のデータ入力装置。
【請求項３３】
前記第１および前記第２感知ライン中の１つ以上はお互いに交差する２個の感知ラインだけで構成されることを特徴にする、請求項３２に記載のデータ入力装置。
【請求項３４】
前記感知ユニットは、前記移動板での垂直押しを前記第１感知ラインに対する前記第２感知ラインの加圧によって感知して第２方向入力信号を発生することを特徴に、請求項３１に記載のデータ入力装置。
【請求項３５】
前記感知ユニットの基準板と移動板は多数の感知フィルムを含み、前記移動板に対する垂直押しの程度によって前記感知フィルムの間の接触が多段に増加されながら多段の垂直加圧入力が実行されることを特徴にする、請求項３４に記載のデータ入力装置。
【請求項３６】
前記感知ユニットは水平加圧を実行した状態で元の状態で復帰するように弾性を持つリターン部材に繋がれていることを特徴にする、請求項３１に記載のデータ入力装置。
【請求項３７】
電子装置用端末機に用意されるデータ入力装置において、
弾性体に多数の感知ラインがマトリックス形態に配置されて前記弾性体に対する水平加圧と垂直押しによって前記感知ラインがお互いに接触することによって水平加圧による第１方向入力信号および垂直押しによる第２方向入力信号をそれぞれ発生する感知ユニット；
前記第１方向入力信号と前記第２方向入力信号から前記感知ラインと指の接触地点および前記感知ラインの間の接触個数を判断して前記接触地点および前記接触個数に割り当てされたデータをメモリー部から抽出して入力する制御部；を含むことを特徴にする指の動作感知を利用したデータ入力装置。
【請求項３８】
前記マトリックス形態の感知ラインは前記弾性体の高さ方向に沿って一定間隔を置いて連続して用意され、前記水平加圧によって水平方向の感知ラインがお互いに接触することによって第１方向入力信号が発生して、前記垂直押しによって垂直方向の感知ラインがお互いに接触することによって第２方向入力信号が発生することを特徴にする、請求項３７に記載のデータ入力装置。
【請求項３９】
電子装置用端末機に用意されるデータ入力装置において、
加圧によって収縮と弛緩が成り立って前記収縮と前記弛緩の時に変化する電流値を通じて複数の指示位置それぞれに対する水平加圧、垂直押しおよび傾けるによる第１方向入力信号、第２方向入力信号および第３方向入力信号をそれぞれ発生する感知ユニット；
前記第１方向入力信号、前記第２方向入力信号および前記第３方向入力信号から前記電流値の変化を判断して前記電流値の変化に割り当てされたデータをメモリー部から抽出して入力する制御部；を含むことを特徴にする指の動作感知を利用したデータ入力装置。
【請求項４０】
電子装置用端末機での所定の感知領域を具備するデータ入力装置において、
前記感知領域で前記感知領域に対する指の接触や加圧によって表示される基準位置と前記基準位置を中心に放射状配置されて表示される複数の第１指示位置に対する水平加圧と垂直押しを感知して前記水平加圧に対応する第１方向入力信号と前記垂直押しに対応する第２方向入力信号を発生する感知ユニット；および
前記第１方向入力信号と前記第２方向入力信号から指の水平加圧地点および垂直押し方向を判断して前記第１方向入力信号と前記第２方向入力信号に割り当てされたデータをメモリー部から抽出して入力する制御部；を含むのを特徴にする指の動作感知を利用したデータ入力装置。
【請求項４１】
前記基準位置は位置変位可能で、前記第１指示位置は前記基準位置の位置変位と一緒に位置移動されることを特徴にする、請求項４０に記載のデータ入力装置。
【請求項４２】
前記基準位置と前記第１指示位置は１つの指で覆うことができる範囲内に配置されて、
前記感知ユニットは、指を前記感知ユニットにのせた状態で第１指示位置中１つに対する水平加圧入力や垂直加圧入力を実行する全体入力モードと、各第１指示位置の中で１つに対する水平加圧入力や垂直加圧入力を実行する部分入力モードを区分して感知することを特徴にする、請求項４０に記載のデータ入力装置。
【請求項４３】
前記感知ユニットは、前記各第１指示位置に対応する位置に具備されて前記第１指示位置に対する指の接触を感知する感知部を含むことを特徴にする、請求項４２に記載のデータ入力装置。
【請求項４４】
前記感知ユニットは、前記基準位置と前記第１指示位置に指をのせて前記第１指示位置に対する入力を実行すれば指の接触面積を把握して前記面積が設定面積以上の場合、前記入力が前記全体接触モード状態で成り立つことで感知することを特徴にする、請求項４２に記載のデータ入力装置。
【請求項４５】
前記感知ユニットは、設定時間以内に水平加圧と垂直押しが一緒に感知されれば、傾け加圧で把握し、前記制御部は前記傾け加圧に対して前記水平加圧と前記垂直押しとは異なるデータを入力処理することを特徴にする、請求項４０に記載のデータ入力装置。
【請求項４６】
前記感知ユニットの第１指示位置に対する入力が容易いように前記第１指示位置に対応する地点に突起が形成される弾性材質の入力機区部をさらに具備することを特徴にする、請求項４０に記載のデータ入力装置。
【請求項４７】
電子装置用端末機に具備されるデータ入力装置において、
放射状で離隔配置される複数の第１指示位置に対する水平加圧と、垂直押しと、傾け加圧によって弾性変形される入力部；
前記入力部の側面と底面にかけて具備されて前記入力部に対する水平加圧、垂直押しおよび傾け加圧をそれぞれ感知して前記水平加圧による第１方向入力信号、垂直押しによる第２方向入力信号および傾け加圧によった第３方向入力信号をそれぞれ発生する感知部；および
前記第１から第３の方向入力信号から各入力信号に割り当てされたデータをメモリー部から抽出して入力する制御部；を含むことを特徴にする指の動作感知を利用したデータ入力装置。
【請求項４８】
前記入力部の側面には水平加圧突起が具備されて、前記第１指示位置に対応する前記入力部の底面には垂直重突起が具備されて、前記入力部の側面と底面の間の傾斜面には傾け加圧突起が具備されて、前記感知部は、前記水平加圧突起による加圧を感知する水平加圧感知部と、前記垂直押し突起による加圧を感知する垂直押し圧感知部と、前記傾け加圧突起による加圧を感知する傾け加圧感知部を含むことを特徴にする、請求項４７に記載のデータ入力装置。
【請求項４９】
所定の入力半径内で基準位置から前記基準位置を中心に放射状に離隔配置された複数の方向指示位置らの中でいずれか１つを押す第１方向入力と、前記基準位置を時点にするとか経由して前記方向指示位置の中でいずれか１つに向けて接触移動する第２方向入力がそれぞれ独立的に実行可能に用意される入力部；
前記第１方向入力を感知する第１感知部；
前記第２方向入力を感知する第２感知部；および
前記第１方向入力が感知されれば前記第１方向入力に対する該当方向指示位置に割り当てされた第１データまたは前記第２方向入力が感知されれば前記第２方向入力に対する該当の方向指示位置に割り当てされた第２データを前記メモリー部から抽出して行う制御部；を含むことを特徴にするデータ入力装置。
【請求項５０】
前記入力部で基準位置に対応する中央部位が貫通されて、前記中央部位には第２感知部が装着されて第２方向入力を感知することを特徴にする、請求項４９に記載のデータ入力装置。
【請求項５１】
前記第２感知部は光センサーで成り立つことを特徴にする、請求項５０に記載のデータ入力装置。
【請求項５２】
前記第２感知部は圧力センサーで成り立つことを特徴にする、請求項５０に記載のデータ入力装置。
【請求項５３】
前記入力部は板状形で成り立って、前記第１感知部と前記第２感知部は前記入力部の上端または下端で前記入力部上での第１方向入力と第２方向入力を一緒に感知することができるタッチ感知部に用意されることを特徴にする、請求項４８に記載のデータ入力装置。
【請求項５４】
入力面に入力手段を接触してデータを入力する接触式入力装置を利用した入力方法において、
複数の方位を持って、前記方位の指定によって前記方位にあたるデータが選択されるように入力手段と入力面が接触される接触点を中心に入力面に水平した放射状方向へデータを配置した入力配列が構成されて、垂直方向圧力、水平方向圧力、対角方向圧力、入力面上での移動中の１つ以上によって区分される入力動作によって前記入力配列の前記放射状方位を指定してデータを入力することを特徴にするデータ入力方法。
【請求項５５】
前記入力配列は前記入力配列の中央に対応されるデータ入力方位をさらに含んで構成されることを特徴にする、請求項５４に記載のデータ入力方法。
【請求項５６】
前記入力動作は前記垂直方向圧力の大きさ、前記水平方向圧力の大きさ、前記水平方向圧力の方向、前記対角方向圧力の大きさ、前記対角方向圧力が前記入力面と成す角、前記入力面上で前記圧力の進行距離中いずれか１つによって前記入力動作を区分することを特徴にする、請求項５５に記載のデータ入力方法。
【請求項５７】
前記入力動作は、前記入力面に対して前記垂直方向圧力を加えて前記方位を指定する加圧入力、前記入力面に対して前記水平方向圧力を加えて前記方位を指定する水平加圧、前記入力面に対して接触状態での移動によって前記方位を指定する接触移動入力、および前記入力面に対して対角方向圧力を加えて前記方位を指定する傾け入力中の１つ以上を含むことを特徴にする、請求項５６に記載のデータ入力方法。
【請求項５８】
前記加圧入力、前記水平加圧入力および前記傾け入力の中でいずれか１つは前記加圧入力、前記水平加圧入力および前記傾け入力によって前記入力面に加えられる圧力をあらかじめ設定された基準圧力と比べて前記基準圧力より大きくて小さいのによって他の入力で区分することを特徴にする、請求項５７に記載のデータ入力方法。
【請求項５９】
前記接触移動入力は前記入力面上で前記接触移動の距離をあらかじめ設定された基準距離通と比べて、前記基準距離より長い短いによって他の入力で区分することを特徴にする、請求項５７に記載のデータ入力方法。
【請求項６０】
前記入力配列は前記入力動作によって他のデータ配列を持つことを特徴にする、請求項５７に記載のデータ入力方法。
【請求項６１】
前記入力配列は等しい方位に対して前記入力動作別で他のデータ配列を持つことを特徴にする、請求項５７に記載のデータ入力方法。
【請求項６２】
前記データ入力は前記入力動作の中でいずれか１つによる方位指定が終わった地点で前記入力動作の中でいずれか１つによる次の入力が実行されることを特徴にする、請求項５７に記載のデータ入力方法。
【請求項６３】
前記データ入力は前記入力面上の任意地点で発生されることを特徴にする、請求項５７に記載のデータ入力方法。
【請求項６４】
前記データ入力は前記入力動作が前記入力面の複数の位置に一緒に発生されることを特徴にする、請求項６３に記載のデータ入力方法。
【請求項６５】
前記データ入力は前記入力動作の中である２つ以上を組み合わせて実行されることを特徴に、請求項６３または請求項６４に記載のデータ入力方法。
【請求項６６】
前記データ入力は前記組み合わされた入力動作が前記入力面の前記複数の位置の中で、第１位置でまず実行されて、前記複数の位置の中で、第２位置で前記組み合わされた入力動作によって連続して実行されることを特徴にする、請求項６５に記載のデータ入力方法。
【請求項６７】
前記データ入力は前記組み合わされた入力動作が前記複数の位置の中で第１位置と、前記複数の位置の中で、第２位置で交互に実行されることを特徴にする、請求項６５に記載のデータ入力方法。
【請求項６８】
前記データ入力は前記組み合わされた入力動作の中でいずれか１つが前記複数の位置の中で第１位置で実行されて、前記組み合わされた入力動作の中で残りが前記複数の位置の中で第２位置で実行されることを特徴にする、請求項６５に記載のデータ入力方法。
【請求項６９】
前記入力配列は前記データが出力される出力部の前記入力面に前記入力動作によって発生された接触位置と対応される位置に表示されることを特徴にする、請求項５４に記載のデータ入力方法。
【請求項７０】
前記入力配列は前記データが出力される出力部の指定された位置に固定的に表示されるのを特徴にする、請求項５４に記載のデータ入力方法。
【請求項７１】
入力面に入力手段を接触してデータを入力する接触式入力装置を利用したデータ入力方法において、
複数の方位を持って、前記方位の指定によって前記方位にあたるデータが選択されるように入力手段と入力面が接触される接触点を中心に入力面に水平した放射状方向にデータを配置した入力配列が構成されて、前記入力面上に圧力および移動中の１つ以上を発生させる第１方向入力および第２方向入力によって前記入力配列上のデータを選択することを特徴にするデータ入力方法。
【請求項７２】
前記第１方向入力および前記第２方向入力は前記入力面に対する垂直方向圧力、水平方向圧力、対角方向の圧力、前記圧力移動の発生可否、圧力の大きさ、圧力の方位、圧力の移動距離、前記入力面と前記圧力の方向が成す角の中ある１つによって区分される入力動作の組み合わせであることを特徴にする、請求項７１に記載のデータ入力方法。
【請求項７３】
前記入力動作は加圧入力、接触移動入力、水平加圧入力および傾け入力の中で選択されたある２つの組み合わせであることを特徴にする、請求項７２に記載のデータ入力方法。
【請求項７４】
前記加圧入力は前記入力面に対して垂直方向圧力を加えて前記方位を指定して、前記接触移動入力は前記入力面に対して接触状態での移動によって前記方位を指定して、前記水平加圧入力は前記入力面に対して水平方向圧力を加えて前記方位を指定して、前記傾け入力は前記入力面に対して対角方向圧力を加えて前記方位を指定することを特徴にする、請求項７３に記載のデータ入力方法。
【請求項７５】
前記接触移動入力は前記入力面に対して前記接触を維持するために前記加圧入力の前記垂直方向圧力より小さな垂直方向圧力を含むことを特徴にする、請求項７４に記載のデータ入力方法。
【請求項７６】
前記対角方向圧力は前記垂直方向圧力と前記水平方向圧力の組み合わせによって具現されることを特徴にする、請求項７４に記載のデータ入力方法。
【請求項７７】
前記対角方向圧力は前記入力面に対して前記垂直方向圧力を加えた後前記水平方向圧力を付け加えて具現されることを特徴にする、請求項７６に記載のデータ入力方法。
【請求項７８】
前記対角方向圧力は前記入力面に対して前記水平方向圧力を加えた後、前記垂直方向圧力を付け加えて具現されることを特徴にする、請求項７６に記載のデータ入力方法。
【請求項７９】
前記垂直方向圧力と前記水平方向圧力による前記対角方向圧力の具現は前記垂直方向圧力と前記水平方向圧力の中である１つが維持される状態で連続的に残り１つの圧力をかけることを特徴にする、請求項７７または請求項７８に記載のデータ入力方法。
【請求項８０】
前記第１方向入力および前記第２方向入力は前記第１方向入力にあたる前記入力動作と前記第２方向入力にあたる前記入力動作が他の場合お互いに異なるデータを入力することを特徴にする、請求項７４に記載のデータ入力方法。
【請求項８１】
前記第１方向入力および前記第２方向入力は等しい前記方位に対して発生した連続的な入力に対して前記入力動作の種類および前記入力動作の認知時点の中でいずれか１つによって他のデータ入力に仕分けされることを特徴にする、請求項８０に記載のデータ入力方法。
【請求項８２】
前記第１方向入力および前記第２方向入力は等しい前記入力動作による連続入力に対して前記入力動作の認知時点によって他のデータの入力に区分されることを特徴にする、請求項８０に記載のデータ入力方法。
【請求項８３】
前記入力動作の認知時点は前記入力動作による入力の開始時点，解除時点および方位の発生時点中どれ１つ以上によって判別されることを特徴にする、請求項８１または請求項８２に記載のデータ入力方法。
【請求項８４】
前記認知時点は前記入力動作による圧力発生、移動発生、圧力の解除、移動の解除、移動の中止、圧力が加えられる方向および移動の方向の中でいずれか１つ以上によって判別されることを特徴にする、請求項８３に記載のデータ入力方法。
【請求項８５】
前記認知時点は前記入力動作によって発生した圧力および移動の中でいずれか１つをあらかじめ設定された基準値と比べて判別することを特徴にする、請求項８４に記載のデータ入力方法。
【請求項８６】
前記接触移動入力は前記接触移動入力によって発生された前記入力面上での前記接触移動は移動距離が前記基準値より大きくて小さいによって他の入力に区分されることを特徴にする、請求項８５に記載のデータ入力方法。
【請求項８７】
前記加圧入力、前記傾け入力  および前記水平加圧入力の中でいずれか１つは前記等しい方位を指定しても前記圧力の大きさが前記基準値より大きくて小さいによって他の入力に区分されることを特徴にする、請求項８５に記載のデータ入力方法。
【請求項８８】
前記入力配列は前記他の入力動作に対してお互いに異なるデータ配列を持つように構成されるのを特徴にする、請求項７４に記載のデータ入力方法。
【請求項８９】
前記入力配列は前記他の入力動作に対してお互いに異なる方位の数を持つように構成されることを特徴にする、請求項７４に記載のデータ入力方法。
【請求項９０】
前記データ入力は前記第１方向入力が終わった地点で前記第２方向入力が連続されて実行されることを特徴にする、請求項７４に記載のデータ入力方法。
【請求項９１】
前記第１方向入力と前記第２方向入力が前記入力面のお互いに異なる任意地点でそれぞれ実行されることを特徴にする、請求項７４に記載のデータ入力方法。
【請求項９２】
前記データ入力は前記お互いに異なる任意地点の中で、第１位置で前記第１方向入力がまず実行されて、前記お互いに異なる任意地点の中で残り地点である第２位置で前記第２方向入力が連続して実行されることを特徴にする、請求項９１に記載のデータ入力方法。
【請求項９３】
前記入力配列は前記データが出力される出力部に表示されて、前記入力配列の表示位置は前記出力部の表示領域の中で前記入力手段と前記入力装置の接触位置に対応される部分であることを特徴にする、請求項７４に記載のデータ入力方法。
【請求項９４】
前記入力配列は前記データが出力される出力部に表示されて、前記出力部の表示領域の中で一部分に固定的に表示されることを特徴にする、請求項７４に記載のデータ入力方法。
【請求項９５】
入力面に入力手段を接触してデータを入力する接触式入力装置を利用したデータ入力方法において、
複数の方位を持って、前記方位の指定によって前記方位にあたるデータが選択されるように入力手段と入力面が接触される接触点を中心に入力面に水平した放射状方向にデータを配置した入力配列が構成されて、前記入力面上に圧力および移動中の１つ以上を発生させる第１から第３の方向入力によって前記入力配列上のデータを選択することを特徴にする、データ入力方法。
【請求項９６】
前記第１から第３方向入力は前記入力面に対する垂直方向圧力、水平方向圧力、対角方向の圧力、前記圧力移動の発生可否、圧力の大きさ、圧力の方位、圧力の移動距離、前記入力面と前記圧力の方向が成す角の中いずれか１つ以上によって区分される入力動作の組み合わせであることを特徴にする、請求項９５に記載のデータ入力方法。
【請求項９７】
前記入力動作は加圧入力、接触移動入力、水平加圧入力および傾け入力の中で選択されたいずれか２つの組み合わせであることを特徴にする、請求項９６に記載のデータ入力方法。
【請求項９８】
前記加圧入力は前記入力面に対して垂直方向圧力を加えて前記方位を指定して、前記接触移動入力は前記入力面に対して水平方向圧力を加えて前記方位を指定して、前記水平加圧入力は前記入力面に対して水平方向圧力を加えて前記方位を指定して、前記傾け入力は前記入力面に対して対角方向圧力を加えて前記方位を指定することを特徴にする、請求項９７に記載のデータ入力方法。
【請求項９９】
前記接触移動入力、前記水平加圧入力および傾け入力の中でいずれか１つは前記加圧入力の前記垂直方向圧力より小さな垂直方向圧力を含むことを特徴にする、請求項９８に記載のデータ入力方法。
【請求項１００】
前記対角方向圧力は前記垂直方向圧力と前記水平方向圧力の組み合わせによって具現されることを特徴にする、請求項９８に記載のデータ入力方法。
【請求項１０１】
前記第１から第３方向入力が加圧入力、接触移動入力および傾け入力によって組み合わされた場合、前記傾け入力による前記対角方向圧力は前記入力面に対して前記水平方向圧力を加えた後前記垂直方向圧力を付け加えて具現されることを特徴にする、請求項１００に記載のデータ入力方法。
【請求項１０２】
前記第１から第３方向入力が接触移動入力、水平加圧入力および傾け入力によって組み合わされた場合、前記傾け入力による前記対角方向圧力は前記入力面に対して前記垂直方向圧力を加えた後前記水平方向圧力を付け加えて具現されることを特徴にする、請求項１００に記載のデータ入力方法。
【請求項１０３】
前記垂直および水平方向圧力の組み合わせによって前記対角方向圧力を具現する場合、前記垂直方向圧力と前記水平方向圧力の中でいずれか１つが維持される状態で連続的に残り１つの前記圧力を加えることを特徴にする、請求項１０１または請求項１０２に記載のデータ入力方法。
【請求項１０４】
前記第１から第３方向入力中の１つ以上の方向入力は前記第１から第３方向入力に該当する前記入力動作が異なる場合、前記入力動作による入力はお互いに異なるデータの入力であることを特徴にする、請求項９８に記載のデータ入力方法。
【請求項１０５】
前記第１から第３方向入力中の１つ以上の方向入力は等しい前記方位に対して発生した連続的な入力に対して前記入力動作の種類および前記入力動作の認知時点の中でいずれか１つによって他のデータ入力に区分されることを特徴にする、請求項１０４に記載のデータ入力装置。
【請求項１０６】
前記認知時点は前記入力動作による入力の開始時点、解除時点および方位の発生時点中いずれか１つ以上によって判別されることを特徴にする、請求１０５に記載のデータ入力方法。
【請求項１０７】
前記認知時点は前記入力動作による圧力発生、移動発生、圧力の解除、移動の解除、移動の中止、圧力が加えられる方向および移動の方向の中でいずれか１つ以上により判別されることを特徴にする、請求項１０６に記載のデータ入力方法。
【請求項１０８】
前記認知時点は前記入力動作によって発生した圧力および移動の中でいずれか１つをあらかじめ設定された基準値と比べて判別することを特徴にする、請求項１０７に記載のデータ入力方法。
【請求項１０９】
前記接触移動入力は前記接触移動入力によって発生された前記入力面上での前記移動は移動距離が前記基準値より大きくて小さいによって他の入力に区分されることを特徴にする、請求項１０８に記載のデータ入力方法。
【請求項１１０】
前記加圧入力、傾け入力および前記水平加圧入力の中でいずれか１つは前記等しい方位を指定しても前記圧力の大きさが前記基準値より大きくて小さいによって他の入力に区分されることを特徴にする、請求項１０８に記載のデータ入力方法。
【請求項１１１】
前記入力配列はお互いに異なる前記入力動作に対してお互いに異なるデータ配列を持つように構成されることを特徴にする、請求項９８に記載のデータ入力方法。
【請求項１１２】
前記入力配列はお互いに異なる前記入力動作に対してお互いに異なる方位の数を持つように構成されるのを特徴にする、請求項９８に記載のデータ入力方法。
【請求項１１３】
前記データ入力は前記第１から第３の方向入力の中で優先して実行された前記方向入力が終わった地点で次の方向入力が連続されて実行されることを特徴にする、請求項９８に記載のデータ入力方法。
【請求項１１４】
前記データ入力は前記第１から第３の方向入力の中でいずれか１つの前記方向入力が優先され第１入力に実行されて、残りふたつの前記方向入力の中でいずれか１つがまず実行された前記方向入力に連続して第２入力に実行されることを特徴にする、請求項１１３に記載のデータ入力方法。
【請求項１１５】
前記データ入力は前記第１第３方向入力の中でいずれか１つが前記第２入力に連続されて第３入力へ実行されることを特徴にする、請求項１１４に記載のデータ入力方法。
【請求項１１６】
前記データ入力は前記入力面のお互いに異なる任意地点で連携して実行されることを特徴にする、請求項９８に記載のデータ入力方法。
【請求項１１７】
前記データ入力は前記入力面のお互いに異なる第１および第２地点で実行されて、
前記第１および第２地点でのデータ入力は前記第１から第３方向入力中いずれか１つ以上によって実行されることを特徴にする、請求項１１６に記載のデータ入力方法。
【請求項１１８】
前記データ入力は前記第１地点での前記方向入力実行に連続して前記第２地点での前記方向入力が実行されることを特徴にする、請求項１１７に記載のデータ入力方法。
【請求項１１９】
前記入力配列は前記データが出力される出力部に表示されて、前記入力配列の表示位置は前記出力部の表示領域の中で前記入力手段と前記入力装置の接触位置に対応される部分であることを特徴にする、請求項９８に記載のデータ入力方法。
【請求項１２０】
前記入力配列は前記データが出力される出力部に表示されて、前記出力部の表示領域の中で一部分に固定的に表示されることを特徴にする、請求項９８に記載のデータ入力方法。
【請求項１２１】
タッチ入力形態によってお互いに異なる入力が成り立つタッチ式入力装置において、
放射状で成り立つタッチ入力に対してタッチ形態および入力方向別に指定されるデータまたは指令データを保存するメモリー部（１２０）；
タッチ入力を感知するタッチ感知部（１３０）；
前記タッチ感知部（１３０）の感知信号によってタッチ形態および入力方向を判読する入力判読部（１５０）；
ディスプレー部（１０４）；
前記入力判読部（１５０）で判読したタッチ形態および入力方向に対応するデータまたは指令データを読出して、該当のデータを入力処理するとか指令データによって命令を処理する制御部（１１０）；を含んで構成されることを特徴にするタッチ式入力装置。
【請求項１２２】
前記入力判読部（１５０）は、タッチ入力が始まる位置を入力基準位置で設定して、設定された入力基準位置を基準でタッチ形態および入力方向を判読することを特徴にする、請求項１２１に記載のタッチ式入力装置。
【請求項１２３】
前記入力判読部（１５０）は、タッチ形態または入力方向が転換されれば、転換点の前に判読したタッチ形態および入力方向を前記制御部（１１０）に伝達して対応するデータを処理するよう、転換点を入力基準位置に再設定して転換点から始まるタッチ形態および入力方向を判読することを特徴にする、請求項１２２に記載のタッチ式入力装置。
【請求項１２４】
前記入力判読部（１５０）は、タッチ状態が解除された後に再タッチが成り立てば、再タッチされた位置を入力基準位置に再設定してタッチ形態および入力方向を判読することを特徴にする、請求項１２３に記載のタッチ式入力装置。
【請求項１２５】
前記制御部（１１０）は、タッチ解除後再タッチが成り立てば、タッチ解除の前のタッチ入力と再タッチ後のタッチ入力を連続データ入力で処理することを特徴にする、請求項１２４に記載のタッチ式入力装置。
【請求項１２６】
前記入力判読部（１５０）は、タッチ形態および入力方向によってタッチ入力した後タッチ状態をあらかじめ決まった止め臨界時間を超過してタッチ形態および入力方向の変動がなければ、止めた位置を入力基準位置に再設定して止めた位置前のタッチ形態および入力方向を判読して前記制御部（１１０）に伝達する、請求項１２５に記載のタッチ式入力装置。
【請求項１２７】
前記タッチ形態は、入力基準位置を中心にして接触状態を維持して放射状に移動する接触移動形態；
入力基準位置を中心にあらかじめ決まった垂直加圧臨界半径内に放射状で配置される多数の垂直加圧領域を、接触状態を維持して方向移動した後に垂直に加圧する垂直加圧形態；
入力基準位置を中心にあらかじめ決まった水平加圧臨界半径内に放射状で配置される多数の水平加圧領域位置に接触状態を維持して方向移動する水平加圧形態；
入力基準位置を中心にあらかじめ決まった傾け臨界半径内に放射状で配置される多数の傾け領域へ傾けて傾けた方向の傾け領域を加圧する傾け形態；
入力基準位置を垂直加圧した後に加圧状態を維持して放射状で移動する垂直加圧移動形態；中にいずれか１つ以上を含んで成り立つことを特徴にする、請求項１２２から１２６のいずれかに記載のタッチ式入力装置。
【請求項１２８】
前記タッチ形態は、方向移動なく入力基準位置を垂直に加圧する中央加圧形態をさらに含んで成り立つことを特徴にする、請求項１２７に記載のタッチ式入力装置。
【請求項１２９】
前記入力判読部（１５０）は、前記タッチ感知部（１３０）から伝達受ける感知信号の波形によってタッチ形態を判読することを特徴とする、請求項１２７に記載のタッチ式入力装置。
【請求項１３０】
前記傾け形態は、接触状態を維持して方向移動し傾け領域を加圧するが方向移動して漸次的に加圧力を増加させる形態で成り立って、
前記入力判読部（１５０）は、加圧力が次第に増加する信号波形によって傾け形態のタッチ形態を判読することを特徴にする、請求項１２９に記載のタッチ式入力装置。
【請求項１３１】
前記入力判読部（１５０）は、前記タッチ感知部（１３０）から伝達受けた垂直加圧力と水平加圧力を判読してタッチ形態を判読することなのを特徴にする、請求項１２７に記載のタッチ式入力装置。
【請求項１３２】
前記入力判読部（１５０）は、傾け領域に加えられる傾け方向の力（Ｆ２）によってタッチ感知部（１３０）で感知される垂直加圧力（ＦＺ２）と水平加圧力（ＦＺ２）の強さとして傾け形態のタッチ形態を判読することを特徴にする、請求項１３１に記載のタッチ式入力装置。
【請求項１３３】
前記入力判読部（１５０）は、水平加圧領域に加える力（Ｆ１）によってタッチ感知部（１３０）で感知される垂直加圧力（ＦＺ１）と水平加圧力（ＦＺ２）の強さとして傾け形態テのタッチ形態を判読することを特徴にする、請求項１３１に記載のタッチ式入力装置。
【請求項１３４】
前記入力判読部（１５０）は、タッチ手段（２００）によって形成される接触面（２１０−１、２１０−２）の外郭面の中に移動方向部位に当たる前方外郭面（２７０−１、２７０−２）の感知信号をさらに解読してタッチ形態を判読することを特徴にする、請求項１２７に記載のタッチ式入力装置。
【請求項１３５】
前記入力判読部（１５０）は、垂直加圧形態、水平加圧形態または傾け形態のタッチ入力をした後に入力前の入力基準位置（１）で復帰すれば、復帰による移動に対してはデータ入力で処理しないことを特徴にする、請求項１２７に記載のタッチ式入力装置。
【請求項１３６】
前記タッチ感知部（１３０）は、タッチスクリーン、タッチパッドまたは触覚センサーの中にいずれか１つで構成されることを特徴にする、請求項１２７に記載のタッチ式入力装置。
【請求項１３７】
前記制御部（１１０）は、タッチパッドで構成されるタッチ感知部（１３０）においてタッチが成り立てば、タッチ形態および入力方向に対応するデータを放射形で配置したデータ配列表（４００）をディスプレー部（１０４）に出力させることを特徴にする、請求項１３６に記載のタッチ式入力装置。
【請求項１３８】
前記制御部（１１０）は、タッチスクリーンで構成されるタッチ感知部（１３０）において、タッチ形態および入力方向に対応するデータを放射形で配置したデータ配列表（４００）を、接触面（２１０）を中心にディスプレー部（１０４）に出力させることを特徴にする、請求項１３６に記載のタッチ式入力装置。
【請求項１３９】
前記接触移動形態は、移動距離によって複数の移動距離範囲で分けられて、
前記メモリー部（１２０）は、接触移動に対する入力方向別データを移動距離領域別に指定されるように保存して、
前記入力判読部（１５０）は接触移動を判読する時に方向移動の距離として移動距離範囲も判読して前記制御部（１１０）に判読結果を伝達することで、前記制御部（１１０）が入力方向および移動距離範囲別に指定される接触移動に対するデータを処理するようにすることを特徴にする、請求項１２７に記載のタッチ式入力装置。
【請求項１４０】
前記垂直加圧移動形態は、移動距離によって複数の移動距離範囲で分けられ、
前記メモリー部（１２０）は、垂直加圧移動に対する入力方向別データを移動距離領域別に指定されるように保存して、
前記入力判読部（１５０）は垂直加圧移動を判読する時に方向移動の距離として移動距離範囲も判読して前記制御部（１１０）に判読結果を伝達することで、前記制御部（１１０）が入力方向および移動距離範囲別で指定される垂直加圧移動に対するデータを処理するようにすることを特徴にする、請求項１２７に記載のタッチ式入力装置。
【請求項１４１】
前記入力判読部（１５０）は、前記タッチ感知部（１３０）から複数の接触面（２１０−１、２１０−２）に対する感知信号を伝達受ければ、各接触面（２１０−１、２１０−２）に対する個別入力基準位置（１−１、１−２）を設定して各入力基準位置（１−１、１−２）に対するタッチ形態および入力方向を判読して判読結果を前記制御部（１１０）に伝達することを特徴にする、請求項１２７に記載のタッチ式入力装置。
【請求項１４２】
前記制御部（１１０）は、複数の接触面（２１０−１，２１０−２）に対する入力をお互いに異なるデータで処理することを特徴にする、請求項１４１に記載のタッチ式入力装置。
【発明の詳細な説明】
【技術分野】
【０００１】
本発明はデータ入力装置およびデータ入力方法に関することで、特に指の入力動作を区分して入力するための別途の入力手段が不必要で製品設計が単純化され、製品を小型化およびスリム化することができる指の動作感知を利用したデータ入力装置およびデータ入力方法に関するものである。
【背景技術】
【０００２】
近来情報処理技術の急速な発展と共に携帯電話、コンピューターなど各種情報機器が高性能化、多機能化および小型化されている。
【０００３】
このような情報機器は一般的にデータを入力するための入力装置、入力されたデータを処理するデータ処理処置および処理されたデータが出力される出力装置を含むところ、この中でも特に入力装置に関する大切さがますます大きくなっている。
【０００４】
しかし、現在の各種入力装置は文字、命令語など多様なデータを入力するところには多くの問題点を抱いている。例えば、ＰＣ（Ｐｅｒｓｏｎａｌ  Ｃｏｍｐｕｔｅｒ）またはノート・パソコン（Ｎｏｔｅｂｏｏｋ）に使われるキーボード（Ｋｅｙｂｏａｒｄ）のような入力装置は自体の大きさを小さくするのに限界があって小型化に不適合し、ＰＤＡ（Ｐｅｒｓｏｎａｌ  Ｄａｔａ  Ａｓｓｉｓｔａｎｔ）で使用するタッチスクリーン方式や携帯電話で使うキーパッド方式は、入力速度が遅くて誤って入力される場合が多いため不便な点がある。
【０００５】
一方、前述した各種入力装置は共に指の入力動作を伝達するための入力手段がなければならないので、入力装置の構成が複雑で製品設計が簡単ではなくて、関連部品費用の生産および管理による生産単価が増加する問題点があった。
【０００６】
また、入力装置自体の側面でも入力手段のための空間が必要になるので、製品の小型化およびスリム化に適合しないで、ケース外部に突き出された入力手段によって外観が低下される問題点があった。
【０００７】
また、各種情報機器で使用する従来の入力装置はそれぞれの入力キーに文字を割り当てして指でたたくとか押して入力する方式である。
【０００８】
したがって、入力キーの配列する空間が相対的に狭い携帯電話のような個人携帯用情報端末機には指の大きさの入力キーを２４個以上配例するのが難しい実情である。これが今までキーボードが小型化されにくい理由だった。
【０００９】
特に、携帯電話の場合には普通１２個のボタンで２４字以上のハングル文字をすべて入力するため１個のボタンに多数の文字を重複配列するのが避けられない。
【００１０】
したがって、１つの文字（音素）を入力するために２度、３度繰り返し入力する繰り返し入力現象が頻繁に発生するようになるので、それ位入力時間が長くなって、誤打がたくさん発生するようになる問題点があった。
【００１１】
また、入力方法自体が非常に複雑になり慣れるまでは長年の時間が必要となるなどの問題点があった。
【００１２】
このような問題を解消するために、ハングル文字入力の場合「天地人」のような所定の文字を組み合わせて入力する文字入力方式が提案された事がある。
【００１３】
しかし、前述した方法の場合、基本になる文字を組み合わせてのぞむ文字を生成するので文字を割り当てするための入力ボタンの数を減らすことができるという長所はあるが、のぞむ文字が組み合わされるまで入力ボタンを繰り返して押さなければならないので、それ位入力時間が長くなる問題点があった。
【００１４】
また、くるくる巻いて携帯することができるキーボードやキーパッドのイメージを床に映写して、その上に指でキーボードを入力することと同じ動作を取れば、指の位置を感知して入力が成り立つ仮想レーザーキーボードなどの技術も提案された事がある。
【００１５】
しかしこのような種類の入力装置はつねに携帯して持たねばならない不便さがあって、平らな表面に置かれた状態でしか入力が可能であるため、移動中に手で持って入力する必要がある個人携帯用情報端末機には、適用するのが相応しくないという問題点があった。
【発明の概要】
【発明が解決しようとする課題】
【００１６】
したがって、本発明の目的は、効率的なデータ入力方法を具現しながらも、指の入力動作を区分して入力するための別途の入力手段が必要ではないため製品設計が単純化され、製品を小型化およびスリム化することができる指の動作感知を利用したデータ入力装置を提供することにある。
【００１７】
本発明の他の目的は、最小限の空間で押すと接触移動によって多様なデータを入力することができるデータ入力装置を提供するためのものである。
【００１８】
本発明の他の目的は、接触式入力装置上で加えられる接触、移動、圧力によって入力を受け、このような入力を基準位置がなく、または使用者が決めた任意位置で成り立つようにすることで迅速で、自由で、便利な入力が可能にさせたデータ入力装置およびデータ入力方法を提供することである。
【００１９】
本発明のまた他の目的は、接触式入力装置上のどの所にも入力が可能な長所を活用して、使用者の指またはペンが位置する所から連続的な入力を実現して、既存の入力装置に比べてかなり早い入力が安定的に成り立つようにするデータ入力装置およびデータ入力方法を提供することである。
【００２０】
本発明のまた他の目的は接触式入力装置の特性をいかしたデータ入力が成り立つようにして、小型機器だけではなく大型機器にもあまねく適用および利用が可能にしたデータ入力装置およびデータ入力方法を提供することである。
【００２１】
本発明のまた他の目的は接触式入力装置に最小限の装置を付け加えるとか、既存の装置を利用して容易に区分される入力動作と最小限のキー配列または命令語配列を提供することによって入力速度を向上させて、自由に入力可能であり、正確にのぞむデータを入力するようにしたデータ入力装置およびデータ入力方法を提供することである。
【００２２】
本発明のまた他の目的は使用者の入力動作とキー配列または命令語配列を組み合わせて従来の入力装置に比べて多様なデータおよび多様な命令語の入力が容易くしたデータ入力装置およびデータ入力方法を提供することである。
【課題を解決するための手段】
【００２３】
前記目的は、本発明によって、電子装置用端末機のケース一側に所定の感知領域を形成して用意された感知ユニット−前記感知ユニットは、前記感知領域内の基準位置にのせられた指の所定放射方向での水平加圧を感知して第１方向入力信号を発生し、前記基準位置に指がのせられた状態で所定方向に傾ける垂直押しを感知して第２方向入力信号を発生するーと；前記第１方向入力信号および第２方向入力信号から指の水平加圧方向または垂直加圧位置を判断して該当の放射方向および加圧位置に割り当てされたデータをメモリー部から抽出して入力する制御部；を含む指の動作感知を利用したデータ入力装置によって達成される。
【００２４】
前記感知ユニットは、指の接触面の形状に対応してぺこぺこな感知領域を持つ第１圧電感知パネルを含むが、前記第１圧電感知パネルは前記接触面の中心に位置した基準位置から順次離隔距離を異にして放射状で複数の前記垂直加圧位置および水平加圧方向が配置されることができる。
【００２５】
前記各垂直加圧位置の間、前記各水平加圧方向の間、前記垂直加圧位置と水平加圧方向の間は変形防止溝によって区画されることができる。
【００２６】
前記感知ユニットは、指と接触されて、前記垂直押しを感知して前記第２方向入力信号を発生する第２圧電感知パネルと、前記第２圧電感知パネルの下部に接触され用意されて、前記水平加圧の時接触された前記第２圧電感知パネルの押圧することを感知して前記第１方向入力信号を発生する第３圧電感知パネルを含むことができる。
【００２７】
前記感知ユニットは、指と接触され、前記垂直押しを感知して前記第２方向入力信号を発生する第４圧電感知パネルと、前記第４圧電感知パネルから下方を向けて突き出された多数の垂直突起と、前記各垂直突起を中心に前記各水平加圧方向に用意されて、前記水平加圧の時垂直突起と接触または加圧されることで前記第１方向入力信号を発生する第１移動感知部を含むこともできる。
【００２８】
前記感知ユニットは、前記基準位置に貫通孔が形成されて前記垂直押しを感知し、前記第２方向入力信号を発生する第５圧電感知パネルと、前記貫通孔に挿入され、指によって前記各放射方向で傾けが可能に用意されて前記水平加圧の時これに対応する前記第１方向入力信号を発生する第２移動感知部を含むことができる。
【００２９】
前記感知ユニットは、前記基準位置を中心に離隔距離を異にして帯形状に配置され、前記垂直押しを感知して前記第２方向入力信号を発生する複数の第６圧電感知部と、前記各第６圧電感知部の間に配置されるが、前記垂直押しの時指によって加圧されないように前記第６圧電感知部より低い高さをもち、前記水平加圧の時前記第６圧電感知部によって水平加圧方向に加圧され前記第１方向入力信号を発生する複数の第７圧電感知部を含むことができる。
【００３０】
前記感知ユニットは、指と接触され、前記垂直押しを感知して前記第２方向入力信号を発生する第８圧電感知パネルと、前記第８圧電感知パネルの外部に用意され、前記水平加圧の時前記第８圧電感知パネルの押圧によった接触を感知して前記第１方向入力信号を発生する第３移動感知部を含むことができる。
【００３１】
前記感知ユニットは、指と接触されて、前記垂直押しを感知し前記第２方向入力信号を発生する第９圧電感知パネルと、前記第９圧電パネルに前記基準位置を中心に前記各放射方向に対応して用意され、前記水平加圧の時、前記第９圧電感知パネルの押圧によった接触を感知して前記第１方向入力信号を発生する第４移動感知部を含むことができる。
【００３２】
前記感知ユニットは、指の加圧による弾性変形が可能な圧電感知パネルで用意されるが、前記制御部は、前記圧電感知パネルで感知された加圧力が設定値の１から３倍未満ならば指ののせるに判断し、３超過７倍未満なら前記水平加圧と判断し、７倍超過ならば前記垂直押しと判断することができる。
【００３３】
前記感知ユニットは、指によって前記基準位置が加圧されることを感知する中央入力信号を追加的に発生させることができる。
【００３４】
前記第１方向入力信号、第２方向入力信号または中央入力信号中の１つ以上は加圧力の強さによって２段以上の多段信号に区分されて発生されることができる。
【００３５】
指がのせられる前記感知ユニットの上部には弾性材質のカバー部材がさらに用意されることができる。前記カバー部材は指のすべりを防止するためのすべり防止手段がさらに用意されることができる。前記各垂直加圧位置には前記垂直押しの時加圧力を集中するための加圧突起がさらに用意されることができる。
【００３６】
前記カバー部材の上部には前記各水平加圧方向および垂直加圧位置を表示するための表示手段がさらに用意されることができる。
【００３７】
前記各水平加圧方向および垂直加圧位置には文字が割り当てされて、前記制御部で前記第１方向入力信号または第２方向入力信号が受信される場合、これに対応する各水平加圧方向または垂直加圧位置に割り当てされた文字をメモリー部から抽出して入力することができる。
【００３８】
前記水平加圧によってはマウスのポインタの移動またはジョイ・スティックのゲームキャラクター移動機能を実行して、前記垂直押しによってはマウスの左右ボタンまたはジョイ・スティックのキャラクター操作機能を実行することができる。
【００３９】
３次元物体の操作の時、前記水平加圧によっては前記物体の移動を実行して、前記垂直押しによっては垂直押し方向へ前記物体の回転を実行することができる。
【００４０】
前記基準位置は前記感知ユニットにのせられた指の接触位置によって移動が可能に用意され、前記垂直加圧位置は前記基準位置に沿って移動されることができる。
【００４１】
前記指の接触移動によってはマウスポインタの移動またはジョイ・スティックのゲームキャラクターの移動を実行して、前記垂直押しによってはマウスの左右ボタンまたはジョイ・スティックのゲームキャラクター操作機能を実行することができる。
【００４２】
３次元物体の操作の時、前記指の接触移動によっては前記物体の移動を実行して、前記垂直押しによっては垂直押し方向で前記物体の回転を実行することができる。
【００４３】
前記感知ユニットは前記基準位置に指がのせられることを感知して中央感知信号をさらに発生して、前記制御部は前記中央感知信号と第２方向入力信号が同時に発生される場合前記垂直加圧位置に割り当てされた第１データを入力して、前記第２方向入力信号だけ発生される場合前記垂直加圧位置に重複割り当てされた第２データを入力することができる。
【００４４】
前記各水平加圧方向および垂直加圧位置に割り当てられたデータが表示される文字板表示部をさらに含むが、前記文字板表示部は前記中央入力信号の発生可否によって第１データおよび第２データが区別されて表示されることができる。
【００４５】
前記感知ユニットは、前記基準位置から所定間隔へ離隔されたリング形状の回転感知部をさらに含み、３次元物体の操作の時前記基準位置を中心に指を回転させる場合前記物体が２次元平面上で回転移動することができる。
【００４６】
一方、前記目的は、本発明によって、電子装置用端末機のケースに用意され各種データを入力するためのデータ入力装置において、前記ケースの一側に所定の感知領域を形成して用意されるが、前記感知領域内の基準位置を中心に複数の放射方向にそれぞれ対応できるように用意され、前記基準位置にのせられた指による前記各放射方向での水平加圧を感知する第１感知部と、前記基準位置から均一な離隔距離を持って放射状に配置になる複数の加圧位置に用意され、指による押し加圧を感知する第２感知部を持つ感知ユニットと；前記第１感知部および前記第２感知部で感知された感知結果に基礎して前記各放射方向および加圧位置に割り当てされたデータをメモリー部から抽出して入力する制御部；を含む指の動作感知を利用したデータ入力装置によっても達成される。
【００４７】
一方、前記のような本発明の目的は、電子装置用端末機に用意されるデータ入力装置において、上部に第１感知ラインが配列になる基準板と、下部に前記第１感知ラインに対応する第２感知ラインが配列になる移動版を具備して、前記移動板に対する水平加圧によって前記第２感知ラインが移動しながら前記第１感知ラインと接触して第１方向入力信号を発生する感知ユニット；および前記第１方向入力信号から前記移動板の移動方向と移動距離を判断して前記移動方向および移動距離に割り当てされたデータをメモリー部から抽出して入力する制御部；を含むことを特徴にする指の動作感知を利用したデータ入力装置によって達成される。
【００４８】
この時前記第１および前記第２感知ラインはマトリックス形態で連続配列される。
【００４９】
また前記第１および第２感知ライン中の１つ以上はお互いに交差する２個の感知ラインだけで構成される。
【００５０】
そして前記感知ユニットは、前記移動板での垂直押しを前記第１感知ラインに対する前記第２感知ラインの加圧によって感知して第２方向入力信号を発生するのを特徴にする。
【００５１】
また前記感知ユニットの基準板と移動板は多数の感知フィルムを含み、前記移動板に対する垂直押しの程度によって前記感知フィルム間の接触が多段で増加されながら多段の垂直加圧入力が実行される。
【００５２】
同時に、前記感知ユニットは水平加圧を実行した状態から元の状態へ復帰するように弾性を持つリターン部材に繋がれてあり得る。
【００５３】
一方、本発明の目的は、電子装置用端末機に用意されるデータ入力装置において、弾性体に多数の感知ラインがマトリックス形態に配置されて、前記弾性体に対する水平加圧と垂直押しにより前記感知ラインがお互いに接触することによって、水平加圧による第１方向入力信号および垂直押しによる第２方向入力信号をそれぞれ発生する感知ユニット；前記第１方向入力信号と第２方向入力信号から前記感知ラインと指の接触地点および前記感知ライン間の接触個数を判断して、前記接触地点および接触個数に割り当てされたデータをメモリー部から抽出して入力する制御部；を含むことを特徴にする指の動作感知を利用したデータ入力装置によって達成されることができる。
【００５４】
この時、前記マトリックス形態の感知ラインは前記弾性体の高さ方向に沿って一定間隔を置き連続して用意され、前記水平加圧により水平方向の感知ラインがお互いに接触するに従い、第１方向入力信号が発生して、前記垂直押しによる垂直方向の感知ラインがお互いに接触することによって第２方向入力信号が発生する。
【００５５】
一方、本発明の目的は、電子装置用端末機に用意されるデータ入力装置において、加圧によって収縮と弛緩が成り立て、前記収縮と弛緩時に変化する電流値を通じて複数の指示位置それぞれに対する水平加圧、垂直押しおよび傾けによる第１方向入力信号、第２方向入力信号および第３方向入力信号をそれぞれ発生する感知ユニット；前記第１方向入力信号、第２方向入力信号および第３方向入力信号から前記電流値の変化を判断して前記電流値の変化に割り当てされたデータをメモリー部から抽出して入力する制御部；を含むことを特徴にする指の動作感知を利用したデータ入力装置を通じて達成されることができる。
【００５６】
また本発明の目的は、電子装置用端末機での所定の感知領域を具備するデータ入力装置において、前記感知領域で前記感知領域に対する指の接触や加圧によって表示される基準位置と前記基準位置を中心に放射状配置され表示される複数の第１指示位置に対する水平加圧と垂直押しを感知して、前記水平加圧に対応する第１方向入力信号と前記垂直押しに対応する第２方向入力信号を発生する感知ユニット；および前記第１方向入力信号と第２方向入力信号から指の水平加圧地点および垂直押し方向を判断して前記第１方向入力信号と第２方向入力信号に割り当てされたデータをメモリー部から抽出して入力する制御部；を含むことを特徴にする指の動作感知を利用したデータ入力装置を通じて達成されることができる。
【００５７】
この時、前記基準位置は位置変位可能で、前記第１指示位置は前記基準位置の位置変位に一緒に位置移動されることができる。
【００５８】
また前記基準位置と第１指示位置は１つの指で覆うことができる範囲内に配置されて、前記感知ユニットは、指を前記感知ユニットにのせた状態で第１指示位置の中で１つに対する水平加圧入力や垂直加圧入力を実行する全体入力モードと、各第１指示位置の中で１つに対する水平加圧入力や垂直加圧入力を実行する部分入力モードを区分して感知することができる。
【００５９】
この時前記感知ユニットは、前記各第１指示位置に対応する位置に具備されて前記第１指示位置に対する指の接触を感知する感知部を含むことができる。
【００６０】
または前記感知ユニットは、前記基準位置と第１指示位置に指をのせて前記第１指示位置に対する入力を実行すれば指の接触面積を把握して前記面積が設定面積以上の場合、前記入力が前記全体接触モード状態で成り立つことで感知することができる。
【００６１】
そして前記感知ユニットは、設定時間以内に水平加圧と垂直押しが一緒に感知されれば、傾け加圧で把握して、前記制御部は前記傾け加圧に対して前記水平加圧と垂直押しとは異なるデータを入力処理する。
【００６２】
また前記感知ユニットの第１指示位置に対する入力が容易に前記第１指示位置に対応する地点に突起が形成される弾性材質の入力機区部をさらに具備することもできる。
【００６３】
一方、本発明の目的は、電子装置用端末機に具備されるデータ入力装置において、放射状で離隔配置される複数の第１指示位置に対する水平加圧、垂直押しと傾け加圧により弾性変形される入力部；前記入力部の側面と底面にかけて具備され前記入力部に対する水平加圧、垂直押しおよび傾け加圧をそれぞれ感知して前記水平加圧による第１方向入力信号、垂直押しによる第２方向入力信号および傾け加圧による第３方向入力信号をそれぞれ発生する感知部；および前記第１から第３の方向入力信号から各入力信号に割り当てされたデータをメモリー部から抽出して入力する制御部；を含むことを特徴にする指の動作感知を利用したデータ入力装置を通じて達成されることができる。
【００６４】
この時、前記入力部の側面には水平加圧突起が具備されて、前記第１指示位置に対応する前記入力部の底面には垂直押し突起が具備されて、前記入力部の側面と底面の間の傾斜面には傾け加圧突起が具備され、前記感知部は、前記水平加圧突起による加圧を感知する水平加圧感知部と、前記垂直押し突起による加圧を感知する垂直押し感知部と、前記傾け加圧突起による加圧を感知する傾け加圧感知部を含むことができる。
【発明の効果】
【００６５】
これによって、本発明のデータ入力装置は基準位置と指示位置中の１つ以上の入力動作を利用して狭小な面積内でも多くの量のデータを入力することができ、連続された入力動作で繰り返し動作が不必要になって、使用者の不注意による誤作動を防止することができることで正確なデータの入力が可能にさせる長所がある。
【００６６】
そして、本発明のデータ入力装置は簡単な構成と使用方法によって、データ入力の便利さを提供することができるし、多様な情報機器に適用可能で前記情報機器の軽量化および小型化を成すことができるようにする長所がある。
【００６７】
また本発明によれば、接触式入力装置上で入力装置に加えられる接触、移動、圧力によって入力を受けて、このような入力を基準位置なしにまたは使用者が決めた任意位置で成り立つことで迅速で、自由であり、便利な入力が可能になる。
【００６８】
また、本発明によるデータ入力装置およびデータ入力方法は、接触式入力装置上のどの所にも入力が可能な長所を活用して、使用者の指またはペンが位置する所から連続的な入力を実現して、既存の入力装置に比べてはるかに早い入力が安定的に成り立つようにすることが可能である。
【００６９】
また、本発明によるデータ入力装置およびデータ入力方法は接触式入力装置の特性をいかしたデータ入力が成り立つようにして、小型機器だけではなく中大型機器にもあまねく適用および利用するのが可能である。
【００７０】
また、本発明によるデータ入力装置およびデータ入力方法は接触式入力装置に最小限の装置を付け加えるとか、既存の装置を利用して容易に区分される入力動作と最小限のキー配列または命令語配列を提供することで入力速度を向上させて、自由に入力可能であり、正確にのぞむデータを入力するのが可能である。
【００７１】
また、本発明によるデータ入力装置およびデータ入力方法は、使用者の入力動作とキー配列または命令語配列を組み合わせて、従来の入力装置に比べて多様なデータおよび多様な命令の入力が容易な効果がある。
【図面の簡単な説明】
【００７２】
【図１】本発明によるデータ入力装置が装着された電子装置用端末機の斜視図である。
【図２】本発明によるデータ入力装置の第１実施例で感知される指の入力動作を現わした概念図である。
【図３】本発明の多様な実施例による感知ユニットの断面図である。
【図４】本発明の多様な実施例による感知ユニットの断面図である。
【図５】本発明の多様な実施例による感知ユニットの断面図である。
【図６】本発明の多様な実施例による感知ユニットの断面図である。
【図７】本発明の多様な実施例による感知ユニットの断面図である。
【図８】本発明の多様な実施例による感知ユニットの断面図である。
【図９】本発明の多様な実施例による感知ユニットの断面図である。
【図１０】本発明によるデータ入力装置で指の接触点の移動による垂直加圧位置の移動を説明するための概念図である。
【図１１】図５と図７に図示された実施例が組み合わされた構成を図示した断面図である。
【図１２】本発明による組み合わせ入力を説明するための概念図である。
【図１３】図４に図示された実施例を他の角度で見た図面である。
【図１４】本発明の多様な実施例による感知ユニットを図示した図面である。
【００７３】
【図１５】本発明の多様な実施例による感知ユニットを図示した図面である。
【図１６】本発明の第２実施例を説明するための概念図である。
【図１７】本発明の第２実施例を説明するための概念図である。
【図１８】本発明の第２実施例を説明するための概念図である。
【図１９】本発明の第２実施例を説明するための概念図である。
【図２０】本発明の第２実施例を説明するための概念図である。
【図２１】本発明の第２実施例を説明するための概念図である。
【図２２】本発明の第２実施例を説明するための概念図である。
【図２３】本発明の第２実施例を説明するための概念図である。
【図２４】本発明の第２実施例が具現された例を図示した斜視図である。
【図２５】本発明の第２実施例の具現形態を説明する概念図である。
【図２８】本発明の第２実施例による入力機区部を図示した図面である。
【図２８】本発明の第２実施例による入力機区部を図示した図面である。
【図２８】本発明の第２実施例による入力機区部を図示した図面である。
【図２９】本発明の第２実施例の活用形態を説明する概念図である。
【図３０】本発明の第３実施例を図示した断面図である。
【図３１】本発明の第４実施例を図示した斜視図である。
【図３２】第４実施例の変形例を図示した斜視図である。
【図３３】第４実施例の変形例を図示した斜視図である。
【図３４】本発明の感知ユニットの位置変位を説明するための正面図である。
【図３５】本発明の感知ユニットの入力方式を説明するための概念図である。
【図３６】本発明によるデータ入力装置が装着された携帯用移動通信端末機の斜視図である。
【図３７】本発明によるデータ入力装置での方向入力を説明するための概念図である。
【図３８】本発明によるデータ入力装置の１つの実施例を図示した平面図である。
【図３９】図３８に図示されたデータ入力装置に対する断面図である。
【図４０】本発明によるデータ入力装置の他の実施例を図示した断面図である。
【図４１】本発明の実施例による入力配列を説明するための例示図である。
【図４２】本発明の実施例による入力配列を説明するための例示図である。
【図４３】「押し」を説明するための例示図である。
【図４４】「接触移動」を説明するための例示図である。
【図４５】水平加圧入力を説明するための例示図である。
【図４６】水平加圧入力を説明するための例示図である。
【図４７】傾け入力を説明するための例示図である。
【図４８】加圧入力、接触移動入力、水平加圧入力および傾け入力の方位と記号を説明するための図面である。
【図４９】入力面上で連続および断続入力を説明するための図面である。
【図５０】加圧入力および接触移動入力の組み合わせによるデータ入力の例を説明するための例示図である。
【図５１】図５０の入力によって入力面に加えられた圧力および移動の関係を図示した例示図である。
【図５２】加圧入力および水平加圧入力組み合わせによるデータ入力の例を説明するための例示図である。
【図５３】図５２の入力によって入力面で発生した圧力および移動の関係を図示した例示図である。
【図５４】加圧入力および傾け入力によるデータ入力の例を説明するための例示図である。
【図５５】加圧入力およびと傾け入力の垂直、水平圧力および移動の関係を表示した図面である。
【図５６】接触移動入力および水平加圧入力によるデータ入力の例を図示したもので、韓国語の「産業」（＊）という文字入力の例を図示した例示図である。
【図５７】接触移動入力および水平加圧入力による圧力および移動の関係を図示した例示図である。
【図５８】接触移動入力および傾け入力によるデータ入力の例を説明するための例示図である。
【図５９】接触移動入力および傾け入力に対するベクターを図示した例示図である。
【図６０】水平加圧入力および傾け入力によるデータ入力を説明するための例示図である。
【図６１】水平加圧入力および傾け入力に対するベクターを図示した例示図である。
【図６２】第１から第３方向入力によるデータ入力のための入力配列の例を図示した例示図である。
【図６３】加圧入力、接触移動入力および水平加圧入力の組み合わせによるデータ入力の例を説明するための例示図である。
【図６４】加圧入力、接触移動入力および傾け入力のベクターを図示した例示図である。
【図６５】加圧入力、接触移動入力および傾け入力の組み合わせによるデータ入力を説明するための例示図である。
【図６６】加圧入力、接触移動入力および傾け入力に対するベクターを例示的に図示した例示図である。
【図６７】加圧入力、水平加圧入力および傾け入力によるメニュー呼び出しを説明する入力配列の例を図示した例示図である。
【図６８】図６７の入力配列を利用して実際メニューを呼び出す例を図示した例示図である。
【図６９】加圧入力、水平加圧入力および傾け入力のベクターを図示した例示図である。
【図７０】接触移動入力、水平加圧入力および傾け入力によるデータ入力の例を説明するための図面である。
【図７１】第１から第４の方向入力によるデータ入力の例を説明するための入力配列を図示した例示図である。
【図７２】加圧入力、接触移動入力、水平加圧入力および傾け入力の関係を現わした例示図である。
【図７３】接触移動入力の他の具現例を図示した例示図である。
【図７４】接触移動入力の他の具現例を図示した例示図である。
【図７５】水平加圧入力を圧力によって多段で区分してデータを入力する方法を説明するための例示図である。
【図７６】水平加圧入力を圧力によって多段で区分してデータを入力する方法を説明するための例示図である。
【図７７】本発明によるデータ入力装置を図示した構成例示図である。
【図７８】入力パッド上での入力具現例を図示した例示図である。
【図７９】入力パッド上での入力具現例を図示した例示図である。
【図８０】入力パッド上での入力具現例を図示した例示図である。
【図８１】本発明の実施例によるデータ入力装置のブロック構成図である。
【図８２】本発明の実施例によるデータ入力装置の外形斜視図である。
【図８３】本発明の実施例によるデータ入力装置において、接触移動のタッチ形態に割り当てされるデータの例示図である。
【図８４】本発明の実施例によるデータ入力装置において、接触移動の多様な入力様態を図示した例示図である。
【図８５】本発明の実施例によるデータ入力装置において、接触移動の多様な入力様態を図示した例示図である。
【図８６】本発明の実施例によるデータ入力装置において、接触移動の多様な入力様態を図示した例示図である。
【図８７】本発明の実施例によるデータ入力装置において、接触移動の多様な入力様態を図示した例示図である。
【図８８】本発明の実施例によるデータ入力装置において、接触移動の多様な入力様態を図示した例示図である。
【図８９】本発明の実施例によるデータ入力装置において、垂直加圧のタッチ形態に割り当てされるデータの例示図である。
【図９０】本発明の実施例によるデータ入力装置において、水平加圧のタッチ形態に割り当てされるデータの例示図である。
【図９１】本発明の実施例によるデータ入力装置において、傾けのタッチ形態に割り当てされるデータの例示図である。
【図９２】本発明の実施例によるデータ入力装置において、垂直加圧移動のタッチ形態に割り当てされるデータの例示図である。
【図９３】本発明の実施例によるデータ入力装置において、２個以上のタッチ形態の入力様態を図示した例示図である。
【図９４】本発明の実施例によるデータ入力装置において、２個以上のタッチ形態の入力様態を図示した例示図である。
【図９５】本発明の実施例によるデータ入力装置において、タッチスクリーン（またはタッチパッド）で構成されるタッチ感知部の感知信号波形図である。
【図９６】本発明の実施例によるデータ入力装置において、タッチスクリーン（またはタッチパッド）で構成されるタッチ感知部の感知信号波形図である。
【図９７】本発明の実施例によるデータ入力装置において、触覚センサーで構成されるタッチ感知部の感知信号波形図である。
【図９８】本発明の実施例によるデータ入力装置において、タッチスクリーン（またはタッチパッド）で構成されるタッチ感知部の断面図である。
【図９９】本発明の実施例によるデータ入力装置において、出力画面の例示図である。
【図１００】本発明の実施例によるデータ入力装置において、出力画面の例示図である。
【図１０１】本発明の実施例によるデータ入力装置において、複数タッチ入力の様態を見せてくれる例示図である。
【図１０２】本発明の実施例によるデータ入力装置において、移動距離別に入力形態を分類することができるのを見せてくれる図面である。
【００７４】
＊注：ここで韓国語の「産業」とは
2011516959.tif 000003
のことである。
【発明を実施するための形態】
【００７５】
以下、添付された図面を参照して本発明に対して詳細に説明する事にする。
【００７６】
本発明によるデータ入力装置は、電子機器用端末機で入力領域に基準位置と、前記基準位置を中心に放射状離隔配置された複数の方向指示位置とを具備して前記方向指示位置に対する水平加圧入力、垂直加圧入力、方向加圧入力、接触移動入力および傾け入力の中で２個以上の入力を実行してその実行された入力それぞれを区分して感知することができる感知ユニットと、前記感知ユニットで感知された入力に割り当てされたデータをメモリー部から抽出して入力する制御部を含む。
【００７７】
前記感知ユニットは圧電感知パッド、タッチパッドやタッチスクリーンを使用することができるのに、接触、加圧、接触移動中の１つ以上を感知することができたら、その以外の多様な装置で具現されることもできる。特に触覚センサーが含まれたタッチパッドやタッチスクリーンを通じて水平加圧入力、垂直加圧入力、方向加圧入力、接触移動入力および傾け入力をすべて感知することができる感知ユニットを具現することができる。
【００７８】
そして前記感知ユニットは、前記各入力が実行される入力部と、前記入力部での入力を感知する感知部で区分して構成されることもできる。この時感知部は多様な形態に具現されることができるし、例えば、触覚センサー、光センサー、圧力センサーなどを使用することができる。
【００７９】
また前記水平加圧入力は指を感知ユニットにのせた状態で方向指示位置中いずれか１つを向けて水平に加圧することで実行されることができる。
【００８０】
そして垂直加圧入力は、指を感知ユニットにのせた状態で方向指示位置中いずれか１つを加圧する形態に実行されることができる。この時前記垂直加圧入力でどの方向指示位置を加圧するかは指の接触部位の変化、または指の加圧力が集中的に加えられる部位を通じて把握することができる。
【００８１】
また方向加圧入力は指を感知ユニットに接触しない状態ですぐ方向指示位置の中でいずれか１つを加圧するとか接触する形態で成り立つ。
【００８２】
また前記接触移動入力は指を感知ユニットに接触した状態で方向指示位置の中でいずれか１つに向けて移動するにより実行されることができる。
【００８３】
同時に、前記傾け入力は指を感知ユニットに接触した状態で方向指示位置に向けて指を傾けるによって実行される。この時傾け入力は指の面積の変化または指から加えられる圧力の増加として把握されることができる。
【００８４】
このような５種の入力は特定感知ユニットで１つだけ実行されるように設計されることもできるが、２種以上の入力がそれぞれ独立的に実行されるように設定されることが望ましい。例えば、特定感知ユニットでは垂直加圧入力、水平加圧入力が実行されるように設計されることもでき、他の感知ユニットでは垂直加圧入力、水平加圧入力、接触移動入力が実行されるように設計されることもできる。
【００８５】
したがって、このように入力の個数を確張することができるので、方向指示位置が８個で用意される場合、５種の入力がそれぞれ独立的に実行可能に設計されれば、総４０種のお互いに異なるデータを入力することができるようになる。
【００８６】
また初めに特定した２個の入力だけが感知ユニットで実行されるように設計された場合にも、必要によって実行可能な入力の個数をふやすことで入力可能なデータの個数を増加させることもできる。
【００８７】
同時に、前記５種の入力は２種以上の入力が連続的に実行されることで、各入力に割り当てされたデータとは別の新しいデータが入力されるようにすることもできる。例えば、３時方向の方向指示位置に対する水平加圧入力に「ａ」というデータが割り当てされて、３時方向の方向指示位置に対する垂直加圧入力に「ｂ」というデータが割り当てされた場合、３時方向の方向指示位置に対して水平加圧入力と垂直加圧入力を連続的に実行すれば「ｃ」というデータが入力されるようにすることもでき、反対に垂直加圧入力と水平加圧入力を連続的に実行すれば「ｄ」というデータが入力されるようにすることもできる。または水平加圧入力と垂直加圧入力はお互いにいかなる手順で入力しても等しいデータが入力されるように設定されることもできる。
【００８８】
このような組み合わせ入力は２種入力の組み合わせ、３種入力の組み合わせ、４種入力の組み合わせまたは５種入力の組み合わせに実行可能なので、入力可能なデータの個数をめっきり増加させることができるようになる。
【００８９】
一方、前記入力領域で基準位置と方向指示位置があらかじめ決まっていて基準位置と方向指示位置を基準で前述したところのような入力を実行することができる。
【００９０】
一方に、前記基準位置はあらかじめ決めないで指を接触した位置を基準で決めることもできる。すなわち、指を入力領域に接触すれば入力領域に接触された指の接触面積を感知ユニットで把握し、その接触面積の中央を基準位置で把握することができる。この時方向指示位置は前記と同じく決まった基準位置で放射状離隔なるように配置される。
【００９１】
したがって、タッチパッドやタッチスクリーン上で自由に指を接触移動していてすぐ特定方向指示位置に対する垂直加圧入力や水平加圧入力などを実行してデータを入力することができるようになる。
【００９２】
そして基準位置が決まっていないで変更が可能な場合には、１つの入力を実行した地点でまた基準位置と方向指示位置が決まるようになるので、１つの入力を実行した状態ですぐ別の入力を連続的に実行することができるようになる。
【００９３】
この時タッチスクリーン上で各種入力によって指の接触位置が変更されれば、各方向指示位置に対して各入力に割り当てされた入力可能なデータが表示された文字板が指の周辺で付きまとうように構成することができる。
【００９４】
また特定入力に連続して方向加圧入力を実行する場合に、方向加圧入力のために指が感知ユニットから離れたとしても、所定の時間以内に方向指示位置に対する接触または加圧が実行されれば、連続された方向加圧入力で把握されるように設定されることもできる。この場合タッチスクリーンに表示される文字板も所定時間以内には消えるとか変更されないようにして、使用者による方向加圧入力が便利に実行されるようにできる。
【００９５】
このように連続入力が可能に具現されることができるので、ゲームの時連続的な入力を実行して多様な動作および命令を実行することができるだけではなく、別の入力を実行するために基準位置に戻る必要なく便利に早くデータを入力することができる。
【００９６】
一方、前で感知ユニットに対する入力の実行は指によって成り立つことに説明したが、指の以外の入力道具を使うことも可能である。
【００９７】
次に以上のような本発明によるデータ入力装置に対して具体化された実施例に対して詳細に説明する事にする。
【実施例１】
【００９８】
本発明の第１実施例による指の動作感知を利用したデータ入力装置（１０１）は、電子装置用端末機（１００）のケース（１０２）の一側に所定の感知領域を形成して用意される感知ユニット（３０）と、制御部（非図示）を含む。
【００９９】
感知ユニット（３０）は前記感知領域内の基準位置（Ｓ）にのせられた指の所定放射方向での水平加圧を感知して第１方向入力信号を発生して、基準位置（Ｓ）に指がのせられた状態で、所定方向で傾ける垂直押しを感知して第２方向入力信号を発生する。
【０１００】
ここで、前記「水平加圧入力」と言うのは図４の（ａ）に図示されたように、指が最初の接触地点で実際空間上の移動はしないが、水平方向（厳密な水平ではなく、水平に近接したすべての方向を含む）での加圧によって前記第１方向入力信号を発生させることを言う。参照に、図１３はこのような指の移動を正面で見た状態を図示した図面である。
【０１０１】
すなわち、図２を参照すれば、水平加圧入力（ＰＭ）は基準位置（Ｓ）に指（図面で斜線を引いた領域は指の接触面を表す）をのせた状態で所定の水平加圧方向で感知ユニット（３０）を加圧することで、指を感知ユニット（３０）の上面を擦れるまたはこれと類似した動作を通じて入力されることではない指と感知ユニット（３０）の接触点をそのまま維持することを特徴にする。
【０１０２】
ここで、水平加圧方向は必要によって多様な個数に用意されることができるが、例えば、文字や特定データを入力しようとする時には図２に図示されたように、所定個数に制限され用意されることができるし、マウスやジョイ・スティック機能を実行する時にはすべての放射方向に対して用意されることができる。
【０１０３】
一方、前記「垂直加圧入力」と言うのは図４の（ｂ）に図示されたように、基準位置（Ｓ）に指がのせられた状態、すなわち、指が最初の接触地点でのせられた状態で指の傾けによる垂直方向での加圧によって前記第２方向入力信号を発生させることを言う。
【０１０４】
言い換えれば、垂直加圧入力（ＰＰ）は図２に図示されたように、指の接触面（斜線で引いた領域）の周囲で所定の垂直加圧位置が用意され、垂直加圧位置で指を傾けて加圧することで実行されることである。
【０１０５】
垂直加圧位置の個数に対しては制限がないが、基準位置（Ｓ）と垂直加圧位置は指の傾けによって選択が可能にするため基準位置（Ｓ）と接するように用意されなければならない。
【０１０６】
感知ユニット（３０）は多様な形状に用意されることができるし、例えば図１のケース（１１０）の右側に図示されたことように、全体的に円形形状を持つこともできて、ケース（１１０）の左側に図示されたように、４角形形状を持つこともできる。勿論、感知領域の面積も必要によって多様に用意されることができる。
【０１０７】
感知ユニット（３０）は指によって基準位置（Ｓ）が加圧されることを感知する中央入力信号を追加的に発生させることができる。
【０１０８】
前記中央入力信号は基準位置（Ｓ）の垂直加圧によって発生されることで前記制御部では中央入力信号が受信される場合に対応する文字、数字、データまたは機能命令を前記メモリー部から抽出して入力することができる。
【０１０９】
一方、感知ユニット（３０）は基準位置（Ｓ）に指がのせられることを感知する中央感知信号をさらに発生することができる。
【０１１０】
前記中央感知信号は指が基準位置（Ｓ）に接触されたのか可否を判断するためのこととして、基準位置（Ｓ）を加圧して基準位置（Ｓ）に割り当てされたデータを入力するための中央入力信号とは区別される。
【０１１１】
すなわち、指を通じて垂直加圧入力（ＰＰ）を実行する場合、指を基準位置（Ｓ）にのせて実行することもでき、指を基準位置（Ｓ）で離隔させたまま垂直加圧位置を直接加圧して実行することもできるところ、前記中央感知信号を通じて前述した２種入力動作を区分することができるようになる。
【０１１２】
したがって、制御部は前記中央感知信号と第２方向入力信号が同時に発生されれば（すなわち、指を基準位置（Ｓ）にのせて垂直押しを実行する場合）第１データを入力して、前記第２方向入力信号だけ発生されれば（すなわち、指を基準位置（Ｓ）から離隔させたまま垂直押しを実行する場合）には第２データを入力する。
【０１１３】
この時、ディスプレー部（１２３）または感知ユニット（３０）中いずれか１つには、前記各水平加圧方向および垂直加圧位置に割り当てされたデータが表示される文字板表示部（８１）が用意されることができるのだが、前記中央感知機能が用意される場合には、中央感知信号が発生された場合とそうではない場合前記垂直加圧位置に割り当てされたデータが変換されて表示されるようにできる。
【０１１４】
感知ユニット（３０）は多様な種類に用意されることができるし、例えば、指の加圧による弾性変形が可能な圧電感知パネル（４０）に用意されることができる。
【０１１５】
圧電感知パネル（４０）は外力が加えられると外力の大きさによって出力される電流値または電圧値の変化することで、例えばピエゾセンサー（Ｐｉｅｚｏ）が使われることができるが、ここに限定されるのではない。すなわち、収縮と弛緩が可能で弛緩の時（−）値が発生して、収縮の時（＋）値が発生するなど加圧によって弛緩または収縮が発生した時電流値が変化されるセンサーたちを使って具現することも可能である。また本技術分野の通常の知識を持つ者によく知られている垂直力と水平力を感知することができる力センサーが使われることもできる。
【０１１６】
前記収縮と弛緩で電流値が変化されるセンサーで圧電感知パネル（４０）を具現した場合は、収縮と弛緩による電流値の変化を感知して電流値が発生した位置と電流値の変化形態を通じて該当の位置で垂直加圧入力（ＰＰ）、水平加圧入力（ＰＭ）または傾け加圧入力（ＰＳ）が実行されたことと判断する。
【０１１７】
すなわち、図１４の（ａ）に図示された圧電感知パネル（４０）に対して図１４の（ｂ）に図示されたように垂直押しをすれば、該当の垂直加圧位置では電流値の変化が発生する。この時図１４の（ｂ）では垂直押しによって収縮したので、（＋）値が発生しこのような場合に前記垂直加圧位置で垂直加圧入力（ＰＰ）が実行されたことと判断する。
【０１１８】
また水平加圧をすれば、前記圧電感知パネル（４０）は図１４の（ｃ）に図示されたように変形される。この時前記圧電感知パネル（４０）の右側は収縮されながら（＋）値が発生して、左側は弛緩されながら（−）値が発生する。したがってこのような場合（＋）の電流値が発生した地点への水平加圧入力（ＰＭ）が実行されたことと判断する。
【０１１９】
または、傾け加圧をすれば、前記圧電感知パネル（４０）は図１４の（ｄ）に図示されたように傾きながら、右側は陥没して収縮されて（＋）値が発生し、左側は傾きながら弛緩されて（−）値が発生する。したがってこのような場合（＋）の電流値が発生した地点への傾け加圧入力（ＰＳ）が実行されたことと判断する。
【０１２０】
そして感知ユニット（３０）が圧電感知パネル（４０）に用意される場合、制御部は例えば、水平加圧方向または垂直加圧位置を出力値の変化が発生された圧電感知パネル（４０）の位置から判断して、水平加圧または垂直押しの可否を出力値の変化程度によって判断することができる。
【０１２１】
例えば、圧電感知パネル（４０）で感知された加圧力が設定値の１から３倍未満なら指ののせに判断して、加圧力が設定値の３超過７倍未満なら前記水平加圧入力（ＰＳ）と判断して、加圧力が設定値の７倍超過なら前記垂直加圧入力（ＰＰ）と判断することができる。
【０１２２】
言い換えれば、加圧力が設定された圧力以下で加えられる入力は水平加圧で判断し、加圧力が設定された圧力を超過して加えられればこれを垂直押しで判断することもできる。すなわち、水平加圧と垂直押しによって感知される圧力値の差で区分することで、水平加圧での垂直方向での加圧力は垂直押しでの垂直方向での加圧力より小さいのでこれを利用することである。
【０１２３】
ここで、前記設定値の倍数は必要によって多様に変更されることができるのは勿論である。
【０１２４】
または、基準位置（Ｓ）を中心に加圧力が発生した相対位置から水平加圧または垂直押しの可否および水平加圧方向および垂直加圧位置を同時に判断することもできる。
【０１２５】
例えば、図１０の（ａ）に図示されたように、制御部は指の接触が基準位置（Ｓ）に感知された状態で、各放射方向に加圧力が感知される場合、これを水平加圧入力（ＰＳ）と判断して、指の接触が基準位置（Ｓ）で感知されないまま各放射方向で加圧力が感知されればこれを垂直加圧入力（ＰＰ）で判断することもできる。
【０１２６】
ここで、前記第１方向入力信号、第２方向入力信号または中央入力信号中の１つ以上は加圧力の強さによって２段以上の多段信号に区分され発生されることができる。
【０１２７】
すなわち、感知ユニット（３０）で発生された各信号値の出力範囲をさらに細分化することで、等しい第１方向入力信号を受信する場合には、出力値の大きさによって２段以上の多段信号で区分して入力することである。
【０１２８】
したがって、各水平加圧方向または垂直加圧位置に割り当てされたデータの数を多段入力の数くらい増加させることができるので入力用量を極大化することができる。
【０１２９】
一方、感知ユニット（３０）は図９に図示されたように、基準位置（Ｓ）から所定間隔で離隔されたリング形状の回転感知部（８５）をさらに含んで後述する３次元物体の操作の時、前記物体が基準位置（Ｓ）を中心に２次元平面上で回転移動するようにできる。
【０１３０】
制御部（未図示）は前記第１方向入力信号および第２方向入力信号から指の水平加圧方向または垂直加圧位置を判断して該当の放射方向および加圧位置に割り当てされたデータをメモリー部（未図示）から抽出して入力する。
【０１３１】
前記水平加圧または垂直押しによって入力されるデータは多様な種類で用意されることができる。
【０１３２】
例えば、各水平加圧方向および垂直加圧位置にハングル文字、英文字、数字、記号などの文字を割り当てして、前記制御部で前記第１方向入力信号または第２方向入力信号が受信される場合、これに対応する各水平加圧方向または垂直加圧位置に割り当てされた文字をメモリー部から抽出して入力することができる。
【０１３３】
この場合、各文字は必要によって多様に破裂することができるし、例えば、水平加圧によっては子音文字を入力して、垂直押しによっては母音文字を入力することもできて、水平加圧によってはハングル文字を、垂直押しによっては数字、記号などを入力することもできる。
【０１３４】
また水平加圧入力と垂直加圧入力を連続的に実行することによって、水平加圧に割り当てされた第１文字と垂直押しに割り当てされた第２文字をほぼ同時に入力可能である。より詳しく説明すれば、基準位置を中心に放射状多数の水平加圧方向中いずれか１つの方向へ水平加圧を実行した状態で前記基準位置を中心に放射状多数の垂直加圧位置らの中でいずれか１つの方向へ垂直加圧入力を実行することができる。すなわち、水平加圧と垂直押しの中ある１つの入力を複数の方向の中、ある一の方向へ実行した状態で別の１つの入力を複数の方向の中ある１つの方向へ実行することができ、前記水平加圧と垂直押しによる第１文字と第２文字を連続して一緒に入力することができ非常に早い入力が可能になる。
【０１３５】
以上のような水平加圧と垂直押しを共に実行することによって、マウスまたはジョイ・スティックモードに変換される場合、前記水平加圧によってはマウスポインタの移動またはジョイ・スティックのゲームキャラクター移動機能を実行して、前記垂直押しによってはマウスの左右ボタンを実行してドラッグやファイルの引っ張り出しなどを実行するとか、またはゲームの時にはキャラクターを移動させて各種命令キーに利用されるなどジョイ・スティックのゲームキャラクター操作機能を実行することができる。
【０１３６】
または、コンピューター上で具現される３次元の物体のグラフィック作業モードでは、前記水平加圧によっては前記物体の移動を実行して、前記垂直押しによっては垂直押し方向に前記物体を回転する機能を実行することもできる。
【０１３７】
ここで、前記物体の回転と言うのは、物体が３次元座標上の所定位置に固定されたまま移動はしないが自体回転することを意味することで、回転感知部（８５）による２次元平面上での回転移動とは区別される。
【０１３８】
2011516959.tif 000004
【０１３９】
このような組み合わせ入力と個別入力（水平加圧入力または垂直加圧入力）の区別は、水平加圧をした状態で所定の時間値以内に垂直押しが感知された場合（またはその反対の場合）に組み合わせ入力と判断されるようにするとか、水平加圧や垂直押しで押さえられる圧力値を基準にして組み合わせ入力可否が判断されるようにするなどの多様な方法で成り立つことができる。
【０１４０】
また水平加圧に対応する移動部と、垂直押しに対応する押し部を分離して構成することで、水平加圧と垂直押しを連続して入力するとか組み合わせによって入力することが可能にすることもできる。
【０１４１】
同時に、本発明の入力装置は一側で構成されることもできるが、両側に２個で用意されることもできる。そして水平加圧と垂直押しそれぞれが多段入力が可能になるように用意されることもできる。また中央感知信号を使用して中央感知信号が入力された状態で水平加圧または垂直押しをした場合と、中央感知信号が入力されない状態で水平加圧または垂直押しをした場合を区別して入力処理されるようにすることもできる。
【０１４２】
そしてこのような両側に２個、多段、中央感知信号を利用するなどの方法で本発明による入力装置に入力可能な文字の数を意図する数ほど増加させることができる。したがってハングル、アルファベット、ひらがなの中で１つをすべて配置した状態で数字や記号なども追加的に割り当てして迅速な入力が可能になるようにできる。
【０１４３】
一方、基準位置（Ｓ）は感知領域の一側に固定されることもできるが、図１０の（ｂ）に図示されたように、感知ユニット（３０）にのせられた指の接触位置によって移動可能に用意することができる。この場合垂直加圧位置はやはり基準位置（Ｓ）を付きまといながら移動されることができる。
【０１４４】
すなわち、圧電感知パネル（４０）に接触された指が移動されて基準位置（Ｓ）がＳ１からＳ２へ変更されても、垂直押しの位置が基準位置（Ｓ）を付きまといながら移動されるので、垂直押しのために元の基準位置（Ｓ１）へ復帰する必要なしに移動された基準位置（Ｓ２）ですぐ垂直押しを実行することができる。
【０１４５】
この場合、マウスやジョイ・スティックモードでは、指の接触点移動によっては、マウスポインタの移動またはジョイ・スティックのゲームキャラクターの移動を実行して、前記垂直押しによってはマウスの左右ボタンまたはジョイ・スティックのゲームキャラクター操作機能を実行することができる。
【０１４６】
同じく、３次元物体のグラフィック作業においては、指の接触点の移動によっては前記物体の移動を実行して、前記垂直押しによっては垂直押し方向に前記物体を回転する機能を実行することができる。
【０１４７】
一方、前述した感知ユニット（３０）を通じる水平加圧および垂直押しは通常のタッチスクリーン上でも具現されることができる。
【０１４８】
一方、指がのせられる感知ユニット（３０）の上部には、図７に図示されたように、弾性材質のカバー部材（５０）がさらに用意されることができる。
【０１４９】
カバー部材（５０）は感知ユニット（３０）を包むように用意されて、感知ユニット（３０）の摩耗、損傷などを防止する一方、ほこりや水気などの流入を防止する機能を実行する。
【０１５０】
ここで、カバー部材（５０）は指と感知ユニット（３０）の間に介在されるが、カバー部材（５０）によって水平加圧または垂直押しを区分することができないため、通常の入力手段のような役目を実行しない。
【０１５１】
カバー部材（５０）は感知ユニット（３０）に密着接着されてお互いに相対移動が不可能に用意されることもできる。
【０１５２】
カバー部材（５０）には水平加圧の時指のすべりを防止するためのすべり防止手段（５１）がさらに用意されることができる。
【０１５３】
すべり防止手段（５１）は多様に用意されることができるし、例えば、カバー部材（５０）自体を摩擦力が大きいゴム等の素材で用意することもできて、カバー部材（５０）の上端に凹凸を形成することもできる。
【０１５４】
一方、カバー部材（５０）の上部には図８の（ｂ）に図示されたように、前記各水平加圧入力（ＰＭ）のための水平加圧方向および垂直加圧入力（ＰＰ）のための垂直加圧位置を表示するための表示手段（５５）がさらに用意されることができる。
【０１５５】
表示手段（５５）は水平加圧方向および垂直加圧位置を表示することもでき、水平加圧方向または垂直加圧位置へ割り当てされた文字、数字などのデータを表示することもできる。
【０１５６】
また、各垂直加圧位置には前記垂直押しの時加圧力を集中するための加圧突起（５３）がさらに用意されることもできるが、加圧突起（５３）は水平加圧入力（ＰＭ）または垂直加圧入力（ＰＰ）の時、加圧力による弾性変形を局所的集中させて出力値の変化が大きくすることで、圧電感知パネル（４０）で前記水平加圧入力（ＰＭ）および垂直加圧入力（ＰＰ）を効果的に感知するようにする。
【０１５７】
以下では、添付された図面を参照して本発明の具体的な実施例を説明する事にする。
【０１５８】
図３は本発明の１つの実施例による感知ユニット（３０）の断面図である。
【０１５９】
図面を参照すれば、感知ユニット（３０）は指の接触面の形状に対応してへこんだ感知領域を持つ第１圧電感知パネル（４１）を含む。
【０１６０】
図３の（ａ）を参照すれば、第１圧電感知パネル（４１）は指の接触面の中心に位置した基準位置（Ｓ）から順次で離隔距離を異にして放射状で複数の垂直加圧位置または水平加圧方向が配置されている。
【０１６１】
すなわち、基準位置（Ｓ）がある第１圧電感知パネル（４１）の中心部の外側には指の垂直加圧入力（ＰＰ）を感知するための垂直加圧位置が配置されて、垂直加圧位置の外側には水平加圧入力（ＰＭ）を感知するための水平加圧方向が配置される。
【０１６２】
すなわち、第１圧電感知パネル（４１）が指の接触面形状に対応してへこんで用意されるので、指を水平方向へ加圧する位置に水平加圧方向が配置され、指を傾けて下方へ加圧する位置に垂直加圧位置が配置されることである。
【０１６３】
この場合、各垂直加圧位置の間、各水平加圧方向の間、または前記垂直加圧位置と水平加圧方向の間は変形防止溝（５７）によって分割区画されることができる。
【０１６４】
一方、第１圧電感知パネル（４１）の平面形状に対しては図７の（ｂ）に図示されたように用意されることができる。
【０１６５】
一方、第１圧電感知パネル（４１；４１ａ、４１ｂ、４１ｃ）は図３の（ｂ）に図示されたように、へこんだ形状に用意されたケース（１１０）に各水平加圧方向および垂直加圧位置に対応して分割され用意されることもできる。
【０１６６】
ここで、参照符号４１ａは水平加圧入力（ＰＭ）を感知するための第１圧電感知パネル（４１）であり、４１ｂは垂直加圧入力（ＰＰ）を、４１ｃは基準位置（Ｓ）への中央加圧入力（ＰＣ）を感知するための第１圧電感知パネル（４１）である。
【０１６７】
図４は本発明の他の実施例による感知ユニット（３０）の断面図である。
【０１６８】
図面を参照すれば、感知ユニット（３０）は前記垂直押しを感知して前記第２方向入力信号を発生する第２圧電感知パネル（４２）と、前記第２圧電感知パネル（４２）の下部に接触され用意されて、前記水平加圧の時接触された第２圧電感知パネル（４２）の押圧することを感知して前記第１方向入力信号を発生する第３圧電感知パネル（４３）を含むことができる。
【０１６９】
すなわち、垂直加圧入力（ＰＰ）は上部に位置した第２圧電感知パネル（４２）を通じて感知されて、水平加圧入力（ＰＭ）は指の加圧力によって第２圧電感知パネル（４２）と接触された第３圧電感知パネル（４３）での押圧によって感知されることである。
【０１７０】
または図４の（ｃ）に図示されたように、垂直加圧入力と水平加圧入力は１つの圧電感知パネルで感知されることもできる。この時図面ではそうような圧電感知パネルが第２圧電感知パネル（４２）であることが図示されたが、第３圧電感知パネル（４３）であるかもしれず、垂直加圧入力と水平加圧入力をそれぞれ区別して感知することができる感知パネルであるかも知れない。
【０１７１】
図５は本発明の他の実施例による感知ユニット（３０）の断面図である。
【０１７２】
図面を参照すれば、感知ユニット（３０）は指と接触されて前記垂直加圧入力（ＰＰ）を感知して前記第２方向入力信号を発生する第４圧電感知パネル（４４）と、前記第４圧電感知パネル（４４）から下方を向けて突き出された多数の垂直突起（３７）と、各垂直突起（３７）を中心に各水平加圧方向に用意され水平加圧入力（ＰＭ）の時、垂直突起（３７）と接触または加圧されることで前記第１方向入力信号を発生する第１移動感知部（３１）を含むことができる。
【０１７３】
第４圧電感知パネル（４４）は指がのせられて垂直加圧入力（ＰＰ）を感知するように用意される。
【０１７４】
垂直突起（３７）は第４圧電感知パネル（４４）から下方を向けて突出されて、水平加圧入力（ＰＭ）の時加圧力によって第４圧電感知パネル（４４）が押圧時によって水平方向に移動し第１移動感知部（３１）に接触またはこれを加圧し水平加圧入力（ＰＭ）が感知されるようにする。
【０１７５】
垂直突起（３７）および第１移動感知部（３１）は基準位置（Ｓ）にだけ用意されることもでき、感知領域全体に多数が分布されることもできる。後者の場合には基準位置（Ｓ）が移動される場合にも多様な位置で水平加圧入力（ＰＭ）を実行することができるようになる。
【０１７６】
図６は本発明のまた他の実施例による感知ユニット（３０）の断面図である。
【０１７７】
図面を参照すれば、感知ユニット（３０）は基準位置（Ｓ）に貫通孔（３８）が形成されて前記垂直加圧入力（ＰＰ）を感知して前記第２方向入力信号を発生する第５圧電感知パネル（４５）と、貫通孔（３８）に挿入されて指によって各放射方向へ傾けが可能に用意されて前記水平加圧入力（ＰＭ）の時、これに対応する前記第１方向入力信号を発生する第２移動感知部（３２）を含む。
【０１７８】
第２移動感知部（３２）から水平加圧入力（ＰＭ）を感知する方法には制限がなく、例えば、第２移動感知部（３２）が加圧力によって傾きながら下部一側の伸長または収縮によって水平加圧方向を感知することもできて、第２移動感知部（３２）が加圧力によって傾きながら第５圧電感知パネル（４５）と接触またはこれに対する密着加圧力を感知することもできる。
【０１７９】
図７は本発明のまた他の実施例による感知ユニット（３０）の断面図である。
【０１８０】
図７の（ａ）を参照すれば、感知ユニット（３０）は第６圧電感知部（４６）と第７圧電感知部（４７）を含む。
【０１８１】
第６圧電感知部（４６）は図７の（ｂ）と同じく、基準位置（Ｓ）を中心に離隔距離を別にして帯形状に配置されることができるし、前記垂直加圧入力（ＰＰ）を感知して前記第２方向入力信号を発生する。
【０１８２】
第７圧電感知部（４７）は各第６圧電感知部（４６）の間に配置されるが、垂直加圧入力（ＰＰ）の時指によって加圧されないように第６圧電感知部（４６）より低い高さを持って、前記水平加圧入力（ＰＭ）の時第６圧電感知部（４６）によって水平加圧方向に加圧されて前記第１方向入力信号を発生する。
【０１８３】
ここで、第７圧電感知部（４７）の高さは多様に用意されることができるが、垂直加圧入力（ＰＰ）によって第６圧電感知部（４６）が押圧られても指またはカバー部材（５０）の加圧力が伝達されない高さ以下に用意されることが望ましい。
【０１８４】
一方、水平加圧入力（ＰＭ）の時には基準位置（Ｓ）に位置した第６圧電感知部（４６）によって加圧力が第７圧電感知部（４７）に伝達されて該当の水平加圧方向での第１方向入力信号が発生するようになる。
【０１８５】
一方、図７の（ｃ）に図示されたように、第６圧電感知部（４６）と第７圧電感知部（４７）間には伝導性弾性部材（６５）が介在されることができる。
【０１８６】
この場合、各圧電感知部（４６，４７）の一端は伝導性弾性部材（６５）を通じて制御部に電気的に繋がれて、他端は回路基板（１１５）上に用意された端子（６１）を通じて制御部に電気的に繋がれる。
【０１８７】
一方、図１１は前述した図５に図示された実施例と図７に図示された実施例が組み合わされた構成として、垂直突起３７ａは左側方向への水平加圧入力（ＰＭ）の時第７圧電感知部（４７）を加圧して第１方向入力信号を発生し、垂直突起３７ｂは右側方向への水平加圧入力（ＰＭ）の時第７圧電感知部（４７ｂ）を加圧して第１方向入力信号を発生して、同じく、垂直突起３７ｃは前方方向（紙面を貫いて入って行く方向）の水平加圧入力（ＰＭ）の時、垂直突起３７ｄは後方方向（紙面から上って来る方向）の水平加圧入力（ＰＭ）の時それぞれ第１方向入力信号を発生するようになる。
【０１８８】
図８は本発明のまた他の実施例による感知ユニット（３０）の断面図である。
【０１８９】
図面を参照すれば、感知ユニット（３０）は指と接触されて前記垂直加圧入力（ＰＰ）を感知して前記第２方向入力信号を発生する第８圧電感知パネル（４８）と、第８圧電感知パネル（４８）の外部に用意されて前記水平加圧入力（ＰＭ）の時、第８圧電感知パネル（４８）の押圧による接触を感知して前記第１方向入力信号を発生する第３移動感知部（３３）を含む。
【０１９０】
ここで、垂直加圧位置は図８の（ｂ）に図示されたように、第３移動感知部（３３）に用意されることもできるが、水平加圧方向と同じく第８圧電感知パネル（４８）に用意されることもできることは勿論である。
【０１９１】
一方、加圧突起（５３）は垂直加圧入力（ＰＰ）の場合には表示手段（５５）と一体に用意されることもできて、水平加圧入力（ＰＭ）の場合には第８圧電感知パネル（４８）と第３移動感知部（３３）の間に用意されることができる。
【０１９２】
一方、図８の（ｃ）および（ｄ）は第８圧電感知パネル（４８）の下部に用意された端子（６１）の形状を現わす。端子（６１）は多様な種類に用意されることができるところ、（ｃ）に図示されたように、格子形のマトリックス形態に用意されて電流値または電圧値が出力された位置のＸおよびＹ座標から水平加圧または垂直加圧位置を判断することもできて、（ｄ）に図示されたところのように、感知領域の各位置に多数分布されることもできる。
【０１９３】
図９は本発明のまた他の実施例による感知ユニット（３０）の断面図である。
【０１９４】
図面を参照すれば、感知ユニット（３０）は指と接触されて前記垂直加圧入力（ＰＰ）を感知して前記第２方向入力信号を発生する第９圧電感知パネル（４９）と、第９圧電感知パネル（４９）に基準位置（Ｓ）を中心に前記各放射方向に対応し用意されて前記水平加圧入力（ＰＭ）の時、第９圧電感知パネル（４９）の押圧による接触を感知して前記第１方向入力信号を発生する第４移動感知部を含む。
【０１９５】
第４移動感知部（３４）は例えば、第９圧電感知パネル（４９）の内部に用意されることができるし、水平加圧入力（ＰＭ）の時第９圧電感知パネル（４９）の押圧による水平加圧力を感知する。
【０１９６】
第４移動感知部（３４）は多様な数に用意されることができるし、例えば、図９に図示されたように、各水平加圧方向に用意されることができる。
【０１９７】
図１５は本発明のまた他の実施例による感知ユニット（３０）の平面図である。
【０１９８】
図面を参照すれば、図１５の（ａ）に図示されたように、感知ユニット（３０）は垂直加圧位置での垂直加圧入力（ＰＰ）によって第１方向入力信号を発生し、水平加圧位置での水平加圧入力（ＰＭ）によって第２方向入力信号が発生する。この時水平加圧入力（ＰＭ）は感知ユニット（３０）の弾性部材（６５）が加圧力によって変形されながら前記弾性部材（６５）の外部にリング形態に用意される水平加圧感知部（６６）に加圧されるによって成り立つ。
【０１９９】
そして前記弾性部材（６５）は垂直加圧入力（ＰＰ）を感知する感知部（未図示）上に用意されることもできるが、前記弾性部材自体が垂直加圧入力（ＰＰ）を感知する構造に用意されることも可能である。
【０２００】
一方、図１５の（ｂ）に図示されたところのように、前記感知ユニット（３０）には弾性部材（６５）の底面または弾性部材（６５）内に感知部（６７）が用意されることもできる。この時前記感知ユニット（３０）では垂直加圧位置での垂直加圧入力（ＰＰ）によって前記弾性部材（６５）が変形されて、このような変形を前記感知部（６７）で感知することによって垂直加圧入力（ＰＰ）が実行される。
【０２０１】
また水平加圧方向での水平加圧入力（ＰＭ）によっても前記弾性部材（６５）が変形されるので、このような変形を前記感知部（６７）が感知して水平加圧入力（ＰＭ）が実行される。
【実施例２】
【０２０２】
本発明の第２実施例によるデータ入力装置は、電子装置用端末機での所定の感知領域に具備されることで、感知ユニット（３０）と制御部（未図示）で構成される。
【０２０３】
より詳しく説明すれば、前記感知ユニット（３０）は前記感知領域で前記感知領域に対する指の接触や加圧によって表示される基準位置（Ｓ）と、前記基準位置（Ｓ）を中心に配置され表示される複数の第１指示位置（Ｐ）に対する水平加圧入力（ＰＭ）と垂直加圧入力（ＰＰ）を感知して前記水平加圧入力（ＰＭ）に対応する第１方向入力信号と前記垂直加圧入力（ＰＰ）に対応する第２方向入力信号を発生する。
【０２０４】
この時前記基準位置（Ｓ）は指の接触や加圧によって前記感知領域に表示されることにしたが、前記感知領域上に表示された状態に用意されてもかまわない。
【０２０５】
そして前記感知ユニット（３０）ではタッチパッドやタッチスクリーン、または圧電感知パネルのような感知手段が活用されることができる。また前記タッチパッドやタッチスクリーンが接触や水平加圧だけを感知する場合には前記タッチパッドやタッチスクリーンとともに前記圧電感知パネルを使うこともできる。
【０２０６】
このような感知ユニット（３０）に対するデータの入力は、前記感知ユニット（３０）に指をのせた状態（図１６の（ａ）参照）で前記第１指示位置（Ｐ）中１つに対する水平加圧入力（ＰＭ）と垂直加圧入力（ＰＰ）を実行する全体入力モード（図１６の（ｂ）参照）と、各第１指示位置（Ｐ）中１つに対する水平加圧入力（ＰＭ）と垂直加圧入力（ＰＰ）を実行する部分入力モード（図１６の（ｃ）参照）を区分して行うことができる。
【０２０７】
この時前記全体入力モードと部分入力モードの区分は、前記感知ユニット（３０）との接触面積を感知して前記接触面積が所定面積以上なのか可否によって成り立つこともできる。
【０２０８】
より詳しく説明すれば、図１７の（ａ）に図示されたように感知ユニット（３０）のほぼ全体にかけて指が接触されれば全体入力モードで把握し、図１７の（ｂ）に図示されたように一部にだけ指が接触されれば部分入力モードで把握することができる。この時全体入力モードと部分入力モードを区分する接触面積の限界は特別に限定されない。すなわち、感知ユニット（３０）の大きさと前記感知ユニット（３０）に配置された第１指示位置（Ｐ）の個数などによって前記接触面積の限界は決まることができる。例えば、感知ユニット（３０）に対する指の接触面積が３０％以上か可否によって全体入力モードと部分入力モードを区分することもできる。
【０２０９】
また感知領域に感知ユニット（３０）が形成されて、前記感知ユニット上の第１指示位置に対する指の接触を感知する感知部（６７）が図１７の（ｃ）に図示されたように生成されるように構成する場合には、前記全体入力モードと部分入力モードは、前記感知ユニット（３０）にのせられた指の接触を前記感知部（６７）で感知して成り立つこともできる。例えば、前記感知部（６７）の中２個以上で指の接触が感知されれば、全体入力モードで把握することができる。
【０２１０】
以上と同じく全体入力モードと部分入力モードを区分するようになれば、全体入力モード上での各第１指示位置（Ｐ）に対する水平加圧と垂直押しによる入力と、部分入力モード上での各第１指示位置（Ｐ）に対する水平加圧と垂直押しによる入力を区別することができる。したがって感知ユニット（３０）に４個の第１指示位置があって部分入力モードで総８個のデータを入力することができたら、全体入力モードを通じても８個の他のデータを入力することができるので、データ入力用量を２倍に増加させることができる。
【０２１１】
一方、前記感知ユニット（３０）は傾け加圧による傾け加圧入力（ＰＳ）で第３方向入力信号を発生させることもできる。すなわち、前記感知ユニット（３０）に対する水平加圧と垂直押しが設定された時間範囲内で一緒に感知されれば、前記感知ユニット（３０）はこれを傾け加圧入力（ＰＳ）にあたる第３方向入力信号を発生させて、制御部はこれに対して前記水平加圧入力（ＰＭ）と垂直加圧入力（ＰＰ）とは異なる第３のデータを入力処理することができる。
【０２１２】
2011516959.tif 000005
【０２１３】
このような傾け加圧入力（ＰＳ）は図１９に図示されたところのように多様な方式で実行されることができる。すなわち、図１９の（ａ）に図示されたように、水平加圧を行った状態で垂直押しを実行することによって成り立つことができるし、図１９の（ｂ）に図示されたように、垂直押しを行った状態で水平加圧を実行することによって成り立つこともできる。また図１９の（ｃ）に図示されたように、下向き対角方向で圧力を増加させるによって成り立つことができるし、図１９の（ｄ）に図示されたように、上向き対角方向で最初加えられた圧力を減少させるによって成り立つこともできる。
【０２１４】
このような傾け加圧入力（ＰＳ）に対する圧力の変化は圧電感知パネルなどによって感知されることができるし、前記のような多様な傾け加圧入力（ＰＳ）動作を実行することが容易に前記感知ユニット（３０）は弾性材質で成り立つのが望ましい。
【０２１５】
このような水平加圧、垂直押しおよび傾け加圧入力によるデータ入力を例えて説明する。
【０２１６】
2011516959.tif 000006
【０２１７】
この時各入力は各入力が実行される位置だけではなく、各入力に対する圧力値と入力間の時間の間隔によって区分されることができる。
【０２１８】
前記圧力値による区分は、第１指示位置（Ｐ）に対する圧力値が３０以下の時水平加圧入力（ＰＭ）で把握することができるし、第１指示位置（Ｐ）に対する圧力値が５０以上の時垂直加圧入力（ＰＰ）で把握することができる。したがって水平加圧入力（ＰＭ）を実行した状態で圧力値に２０を追加するようになれば垂直加圧入力（ＰＰ）になり、水平加圧入力（ＰＭ）と垂直加圧入力（ＰＰ）が連続して実行されることに把握されることができる。
【０２１９】
また水平加圧入力（ＰＭ）を実行した状態で垂直押しにあたる圧力値である５０を追加しても等しく水平加圧入力（ＰＭ）と垂直加圧入力（ＰＰ）が連続して実行されることに把握されることができる。
【０２２０】
2011516959.tif 000007
【０２２１】
そしてこのような水平加圧入力（ＰＭ）、垂直加圧入力（ＰＰ）および傾け加圧入力（ＰＳ）はお互いに組み合わせされて入力されることもできる。すなわち、図２１の（ａ）に図示されたように、水平加圧入力（ＰＭ）と傾け加圧入力（ＰＳ）が組み合わせされて新しいデータが入力処理されるようにできて、図２１の（ｂ）に図示されたように、傾け加圧入力（ＰＳ）と垂直加圧入力（ＰＰ）が組み合わせされて新しいデータが入力処理されるようにすることもできる。また図２１の（ｃ）に図示されたように、水平加圧入力（ＰＭ）と垂直加圧入力（ＰＰ）が組み合わせされて新しいデータが入力処理されるようにできるし、図２１の（ｄ）に図示されたように、水平加圧入力（ＰＭ）、垂直加圧入力（ＰＰ）および傾け加圧入力（ＰＳ）が組み合わせされて新しいデータが入力処理されるようにすることもできる。
【０２２２】
また前記感知ユニット（３０）で前記各第１指示位置（Ｐ１）にはまた放射方向で第２指示位置（Ｐ２）が配置されることもできる。この時前記第２指示位置（Ｐ２）に対しても水平加圧と垂直押しによって各第２指示位置（Ｐ２）での水平加圧と垂直押しに割り当てされたデータが入力されるようにできる。
【０２２３】
このように基準位置（Ｓ）を中心に第１指示位置（Ｐ１）と第２指示位置（Ｐ２）が配置されるによってより多様な入力ができる。すなわち、図２２の（ａ）に図示されたように、感知ユニット（３０）全体に対する第１指示位置（Ｐ１）方向での移動による入力を実行することができるし、図２２の（ｂ）に図示されたように、各第１指示位置（Ｐ１）に対する水平加圧入力と垂直加圧入力を実行することができるし、図示されなかったが、各第１指示位置（Ｐ１）に対する傾け加圧入力を実行することもできる。また図２２の（ｃ）に図示されたように、各第１指示位置（Ｐ１）への水平加圧入力と一緒に各第１指示位置（Ｐ１）で第２指示位置（Ｐ２）への水平加圧入力を実行することもできる。
【０２２４】
または図２２の（ｄ）に図示されたように、各第１指示位置（Ｐ１）に対する垂直加圧入力と各第１指示位置（Ｐ１）で第２指示位置（Ｐ２）への水平加圧入力を実行することもできる。また図２２の（ｅ）に図示されたところのように、第１指示位置（Ｐ１）に対する水平加圧入力と各第１指示位置（Ｐ１）で円周方向へ水平加圧する入力を実行することもできる。
【０２２５】
同時に、図２３の（ａ）から（ｃ）に図示されたように各第１指示位置（Ｐ１）での水平加圧入力は多様な形態で成り立つことができる。すなわち、図２３の（ａ）に図示されたように、各第１指示位置で水平加圧によって水平加圧入力が成り立つことができるし、図２３の（ｂ）に図示されたように、各第１指示位置で放射方向での内向および外向で水平加圧入力が成り立つこともでき、図２３の（ｃ）に図示されたように、各第１指示位置で円周方向での水平加圧による入力が成り立つこともできる。
【０２２６】
このような多様な入力で特定第１指示位置（Ｐ１）と第２指示位置（Ｐ２）に対する入力なのか可否の判断は、水平加圧入力の時に少しの垂直加圧が発生するので、前記垂直加圧が発生する地点を感知して前記地点に対応する第１指示位置（Ｐ１）と第２指示位置（Ｐ２）を判別して成り立つようになる。
【０２２７】
そしてこのような第１指示位置（Ｐ１）と第２指示位置（Ｐ２）に対する多様な入力を易しくできるように各第１指示位置（Ｐ１）と第２指示位置（Ｐ２）には弾性部材（６５）が突出形成されてあり得る。
【０２２８】
例えば、前記で言及されたタッチスクリーン上には透明な弾性部材（６５）が、図２４に図示されたように一定形状に突き出るように用意されるようにして指の加圧伝達性または指の造作性をさらに優秀にさせることもできる。
【０２２９】
また前記タッチスクリーンのような感知領域で、図２５に図示されたように、基準位置（Ｓ）に円形の弾性部材（６５）と、前記基準位置（Ｓ）で放射状に離隔になるリング形態の弾性部材（６５）が突き出されるように用意されることもできる。この時基準位置に対しては水平加圧入力（ＰＭ）が可能にさせ、前記リング形態の弾性部材（６５）に用意された第１指示位置には水平加圧入力（ＰＭ）と垂直加圧入力（ＰＰ）が可能になるようにできる。
【０２３０】
また以上のような多様な入力は一般タッチスクリーン上でも具現することができる。すなわち、前記タッチスクリーンの下に水平加圧と垂直押しを感知することができる感知部を用意して前記入力がそれぞれ実行されるようにできる。
【０２３１】
または自主的に水平加圧と垂直押しを感知することができるタッチスクリーンで前記入力が実行されることもできる。このような水平加圧と垂直押しを感知することができるタッチスクリーンは、本技術分野で通常の知識を持つ者にすでによく知られてあるので、前記タッチスクリーンを通じる水平加圧と垂直押しの具現方法に対する詳しい説明は略する。
【０２３２】
一方、本実施での感知ユニット（３０）は１つの指の範囲内に基準位置と第１指示位置が含まれるように構成されるので、入力機区部（８７）を通じて各指示位置に対する入力が容易にできる。すなわち、図２６に図示されたように、弾性部材で成り立つ入力機区部（８７）を通じて特定第１指示位置に対する水平加圧と垂直押しが感知ユニットにより円滑に伝達するようにできる。
【０２３３】
またこのような入力機区部（８７）は図２７の（ａ）に図示されたように、板形態で成り立って前記板形態で各第１指示位置に対応する部分に突起（８７ａ）が形成されて各第１指示位置に対する入力が容易にすることもできる。このような入力機区部（８７）は、円形に限定されるのではなく、感知ユニット（３０）の形状に対応される形態に用意されることができる。すなわち、図２７の（ｂ）に図示されたように、前記感知ユニット（３０）の感知部がリング形態に用意された場合、前記入力機区部（８７）もリング形態に形成されることもできる。
【０２３４】
一方、前記入力機区部（８７）は図２８の（ａ）に図示されたように、板形態で成り立つが、各第１指示位置に対応する突起（８７ａ）が図２８の（ａ）とは反対側に形成されることもできる。これは入力機区部（８７）にのせられた指で各第１指示位置に対する入力を実行する時、各入力機区部（８７）に対する細密な入力を助ける機能をする。
【０２３５】
そしてこのような入力機区部（８７）も、円形に限定されるのではなく、図２８の（ｂ）に図示されたように、感知ユニット（３０）の感知部の形状によってリング形態に用意されることもできる。
【０２３６】
同時に図２９に例示されたことのような多様な入力形態で図２９の（ａ）での基準位置（Ｓ）に対する水平加圧入力（ＰＭ）４種と、各第１指示位置（Ｐ１）での水平加圧入力（ＰＭ）４種にお互いに同一なデータグループを割り当てすることもできる。このように図２５に図示された感知ユニット（３０）に対して基準位置と第１指示位置に等しいデータグループを割り当てすれば、基準位置での特定方向での水平加圧入力（ＰＭ）後に直ちに接した第１指示位置で水平加圧入力（ＰＭ）を実行して迅速なデータ入力が可能である。
【０２３７】
同じく、図２９の（ｂ）に図示された場合も、図２２の（ｄ）に図示されたことのような感知ユニット（３０）での基準位置（Ｓ）と第１指示位置（Ｐ１）に等しいデータグループが割り当てされて迅速なデータ入力が実行されるようにできる。そして、図２９の（ｃ）では各第１指示位置（Ｐ１）に等しいデータグループが割り当てされて前記のような方式でデータ入力が実行される場合を現わす。
【０２３８】
一方本発明による感知ユニットには各指示位置が１つの指で覆うことができる範囲内に配置されるので、各指示位置での垂直加圧入力（ＰＰ）または水平加圧入力（ＰＭ）後に他の指示位置での垂直加圧入力（ＰＰ）または水平加圧入力（ＰＭ）を速かに入力することができる。すなわち、図３５の（ａ）に図示されたように、指が斜線で引いた部分にのせられた状態で３時方向の指示位置に対する垂直加圧入力（ＰＰ２）を実行した後、連続して９時方向の指示位置に対する水平加圧入力（ＰＭ４）を実行することができる。
【０２３９】
また図３５の（ｂ）に図示されたように、図２５に図示されたことのような感知ユニットでも指を斜線で引いた部分にのせた状態で３時方向の指示位置に対する垂直加圧入力（ＰＰ２）を実行した後、連続して９時方向の指示位置に対する水平加圧入力（ＰＭ４）を実行することができる。
【０２４０】
また前に説明したように、前記タッチスクリーンで指を所定位置にのせれば文字入力モードが活性化になって前記感知ユニット（３０）が前記タッチスクリーン上に具現されることができる。この時指の周辺に放射状で文字板が表示されデータ入力が実行されることができるし、指を前記タッチスクリーンから離せば前記文字板表示部が消えるようにすることもできる。
【０２４１】
そして所定位置に活性化になった感知ユニット（３０）は前記感知ユニットに指を接触した状態で図３４に図示されたように感知領域上の他の位置に移動させることがある。このような位置変位は基準位置を中心に成り立って、前記基準位置が移動されれば前記基準位置で放射状離隔されるように第１基準位置が配置される。
【０２４２】
同時に、本実施例では第１指示位置が４方向に具備されたことに例示されたが、第１指示位置はここに限定されるのではなくて、５方向、６方向、７方向、８方向またはそれ以上に具備されることもできる。
【０２４３】
そして以上のような水平加圧と垂直押しを共に実行することによって、マウスまたはジョイ・スティックモードに変換される場合、前記水平加圧によってはマウスポインタの移動またはジョイ・スティックのゲームキャラクター移動機能を実行して、前記垂直押しによってはマウスの左右ボタンを実行してドラッグやパイル呼び出しなどを実行するとか、またはゲームの時にはキャラクターを移動させて各種命令キーに利用されるなどジョイ・スティックのゲームキャラクター操作機能を実行することができる。
【０２４４】
または、水平加圧によってはマウスポインタの移動が実行されるようにでき、感知ユニットの基準位置を押すによってはマウスの左ボタン機能が実行されるようにできる。
【０２４５】
ところで前記と同じく水平加圧や垂直押しだけでマウスポインタを移動するようにすればポインタの移動性に限界があって、ゲームの時デスクトップコンピューターのように早いマウスポインタ操作が難しくなる。すなわち、携帯用機器で指の動きに対称的にマウスポインタを動かすようにすれば、指の動きにマウスポインタが素早くて精密に移動するようにすることはできるが、携帯用機器上の空間の制約によってデスクトップコンピューターと同じマウスポインタ操作方法は具現しにくい。
【０２４６】
したがって指とマウスポインタが対応して動く接触移動に圧力をかけることがある垂直加圧や水平加圧を並行して使えば、マウスポインタを指の動きに対応して素早くて精密に動くことができるようにしながらもマウスポインタの速度をさらに大きく調節することができて携帯用機器のような狭い空間でも効果的にマウスポインタ移動を制御することができる。
【０２４７】
また以上のようなマウスポインタをより素早く操作するためには、指の移動形態が接触移動であることが望ましい。しかし指の接触位置が移動するようになったら指が垂直加圧領域を離脱するようになるので、前記接触移動と垂直加圧入力を共に実行することができない。したがって本実施例と一緒に、指が接触移動される場合前記指の移動位置に沿って感知ユニットの位置も変化できるようにすれば、指をどの位置へ接触移動させてもいつも垂直加圧入力を実行することができる。
【０２４８】
このように、本発明のデータ入力装置は狭い入力領域でもマウスポインタを指の接触移動位置によってより素早く動くようにして、指の接触移動位置に沿って放射状多数の方向へ垂直押しが可能な感知ユニットが移動するようになって、従来のマウスの左右ボタン外にもより多い命令を実行することができる。したがってゲームキャラクターをより迅速で精密に移動させて、前記キャラクターの移動とともに多数の命令を実行することができて携帯用機器でのキャラクターコントロール方式で著しく優秀な効果を発揮することができる。
【０２４９】
また、コンピューター上で具現される３次元の物体のグラフィック作業モードでは、前記水平加圧によっては前記物体の移動を実行して、前記垂直押しや傾け加圧によっては垂直押しまたは傾け加圧方向へ前記物体を回転する機能を実行することもできる。
【実施例３】
【０２５０】
次に本発明によるデータ入力装置の第３実施例に対して説明する。
【０２５１】
本実施例でのデータ入力装置は、図３０に図示されたように、大きく入力部（７１）と感知部（７３）および制御部（未図示）で構成できる。前記入力部（７１）は弾性変形可能な材質で構成されて前記入力部上に用意された第１指示位置に対する水平加圧、垂直押しと傾け加圧によって弾性変形できながら前記感知部（７３）を加圧する。
【０２５２】
そして前記感知部（７３）は前記入力部（７１）の側面と底面にかけて具備されて前記入力部（７１）に対する水平加圧、垂直押しおよび傾け加圧をそれぞれ感知して前記水平加圧に対しては第１方向入力信号、前記垂直押しに対しては第２方向入力信号、また前記傾け加圧に対しては第３方向入力信号をそれぞれ発生する。
【０２５３】
より詳しく説明すれば、前記入力部（７１）は側面と底面、そして前記側面と底面の間の傾斜面を具備して、前記感知部（７３）は前記入力部（７１）の側面と底面、そして傾斜面に対応する面らを具備する。この時前記感知部（７３）には前記入力部（７１）の側面での加圧を感知するために水平加圧感知部（７３ａ）が用意されて、前記入力部（７１）の底面での加圧を感知するため垂直押し感知部（７３ｂ）が用意されて、前記入力部（７１）の傾斜面での加圧を感知するために傾け加圧感知部（７３ｃ）が用意される。
【０２５４】
そして前記入力部（７１）には前記水平加圧感知部（７３ａ）と、垂直押し感知部（７３ｂ）と、傾け加圧感知部（７３ｃ）に対して加圧をより確実に伝達するため側面に水平加圧突起（７１ａ）、底面に垂直押し突起（７１ｂ）、そして傾斜面に傾け加圧突起（７１ｃ）が用意される。
【０２５５】
このように本実施例では前記入力部（７１）と感知部（７３）に水平加圧および垂直押しとは別途に傾け加圧を入力して感知する構成が用意される。このような各入力間に干渉が発生する場合、各入力を区分する方法は各感知部（７３ａ、７３ｂ、７３ｃ）の中、さらにも大きい加圧力を受ける感知部に対して入力が実行されることと判断することである。
【０２５６】
例えば、前記入力部（７１）から水平加圧入力（ＰＭ）が行われた時一部の加圧力が傾け加圧感知部（７３ｃ）に加えられるようになるが、大部分の加圧力は水平加圧感知部（７３ａ）で感知されるため、これを水平加圧入力（ＰＭ）で感知するようになる。
【０２５７】
また前記入力部で傾け加圧入力（ＰＳ）が行われた時一部の加圧力が水平加圧入力部（７３ａ）と垂直加圧入力部（７３ｂ）でも感知されるが、前記加圧力より大きい加圧力が傾け加圧感知部（７３ｃ）で感知されるので、これを傾け加圧入力（ＰＳ）で感知するようになる。
【０２５８】
このように個別的に感知された水平加圧入力（ＰＭ）と垂直加圧入力（ＰＰ）および傾け加圧入力（ＰＳ）に対してはそれぞれ第１から第３の方向入力信号が発生され、前記制御部では前記第１から第３の方向入力信号から各入力信号に割り当てされたデータをメモリーから抽出して入力処理する。
【０２５９】
この時にも前記水平加圧入力（ＰＭ）、垂直加圧入力（ＰＰ）および傾け加圧入力（ＰＳ）が設定時間範囲内で連続して実行されれば、組み合わせ入力で把握して前記各入力とは異なるデータが入力処理されるようにできる。
【実施例４】
【０２６０】
次に本発明によるデータ入力装置の第４実施例に対して説明する。
【０２６１】
本実施例でのデータ入力装置は、図３１に図示されたように、多数の感知ラインを持つ感知ユニットと制御部で構成される。前記感知ユニットは上部に第１感知ライン（７５ａ）が配列される基準板（７５）と、下部に前記第１感知ライン（７５ａ）に対応する第２感知ライン（７７ａ）が配列される移動板（７７）を含む。ここで図面では前記第２感知ライン（７７ａ）が移動板（７７）の上部に配列されたことで図示されているが、これは理解の便宜のためのことで、実際には前記移動板（７７）の下部に用意される。
【０２６２】
この時前記各感知ライン（７５ａ、７７ａ）は図３１の（ａ）に図示されたように一方向へ平行に配列されている。そして前記移動板（７７）に指を接触して前記移動板（７７）を前記基準板（７５）に対して前記感知ライン（７５ａ，７７ａ）に直角方向で移動可能である。このように、前記移動版（７７）に指を接触した状態で水平加圧すれば、前記基準板（７５）に対して前記移動板（７７）が移動するようになり、これによって最初接触していた第１感知ライン（７７ａ）と第２感知ライン（７５ｂ）の接触位置が変更される。
【０２６３】
すなわち、最初ｎ番目第１感知ライン（７５ａ）とｎ番目第２感知ライン（７７ａ）が接触または対面していたならば、前記水平加圧によって前記移動板（７７）が移動しながらｎ番目第２感知ライン（７７ａ）はｎ＋ｘ番目第１感知ライン（７５ａ）と接触するようになる。この時前記ｘは１、２、３などの自然数で、前記ｘ値が大きいほど前記移動板がたくさん移動されたことを現わす。したがって前記移動板（７７）に対する水平加圧の強弱によって前記ｎ番目第２感知ライン（７７ａ）が最終的に接触するようになる第１感知ライン（７５ａ）に割り当てされるデータが入力されるようにすれば多段の水平加圧入力が可能になる。
【０２６４】
言い換えれば、図３１の（ｂ）および（ｃ）に図示された事のように、前記移動板（７７）は水平加圧力によって移動量が変わることができるし、これによって多様なデータの入力が可能である。
【０２６５】
また前記第１感知ライン（７５ａ）と第２感知ライン（７７ａ）は最初接触するとかお互いに離れた状態である。この時前記移動板（７７）に指を接触した後垂直押しを行えば前記第２感知ライン（７７ａ）が前記第１感知ライン（７５ａ）を加圧しながら垂直加圧入力（ＰＰ）が行われる。
【０２６６】
この時垂直押しは垂直押しの強さによって接触が多段に増加されることができるようにそれぞれお互いに異なる入力フォトに繋がれた数枚の感知フィルムを移動板（７７）、基準板（７５）または移動板（７７）と基準板（７５）の間に重なっておくことができる。そして前記それぞれの感知フィルムの間にはメムブレＰＣＢ方式と同じく、絶縁膜がさらに具備されることもできる。
【０２６７】
そして前記第１および第２感知ライン（７５ａ、７７ａ）は均一な間隔に配列されず、不規則に配列されることで基準板（７５）と移動板（７７）の食い違いの時より少ない数の感知ラインたちがお互いに接触されるようにすることもできる。
【０２６８】
図３２は本発明による第４実施例の変形の例を図示した斜視図である。
【０２６９】
図３２の（ａ）に図示されたように、本変形の例では前記第１感知ライン（７５ａ）と第２感知ライン（７７ａ）がマトリックス形態に配列されている。したがって移動板（７７）に対する放射状水平加圧を前記第１および第２感知ライン（７５ａ、７７ａ）の間の接触で感知でき、前記水平加圧の加圧力が増加すれば前記第２感知ライン（７７ａ）が最初対応する第１感知ライン（７５ａ）との離脱程度が大きくなって新しいデータが入力されるようにできる。
【０２７０】
そして前記移動板（７７）に用意された第２感知ライン（７７ａ）は図３２の（ｂ）に図示されたところのように十字形態にだけ成り立つこともできる。このように前記第２感知ライン（７７ａ）が十字形態にだけ成り立っても、前記移動板（７７）に対する水平加圧による第２感知ライン（７７ａ）の離脱を図３２の（ａ）と同じ方式で感知することができる。
【０２７１】
また前記移動板（７７）には前記移動板（７７）の水平加圧による移動後に元の状態で復帰するように弾性を持つリターン部材（未図示）が繋がれていることが望ましい。
【０２７２】
図３３は本発明による第４実施例に他の変形例を図示した斜視図である。
【０２７３】
本変形例では、感知ユニット（３０）が弾性体で成り立ち、前記弾性体に多数の感知ライン（７８）がマトリックス形態に配置されて前記弾性体に対する水平加圧と垂直押しによって前記感知ライン（７８）がお互いに接触することによって水平加圧による第１方向入力信号と垂直押しによる第２方向入力信号が発生されるように構成される。
【０２７４】
より詳しく説明すれば、前記感知ユニット（３０）は弾性体で成り立っているので、前記感知ユニット（３０）に対する水平加圧によって前記弾性体は前記水平加圧が加えられる一側では収縮されてその反対側では弛緩される。この時前記弾性体にはマトリックス形態で多数の感知ライン（７８）が用意されているので、前記弾性体の収縮によって前記感知ライン（７８）の間の間隔が狭くなりながら接した感知ラインの間に接触が発生する。したがって水平加圧の時に、収縮される地点の感知ライン（７８）らの接触によって水平加圧方向を把握するようになり、接触される感知ライン（７８）の数によって収縮の程度を把握することができる。
【０２７５】
この時前記弾性体の収縮がさらに進行されるほど接触される感知ライン（７８）の数は増加されるので、このような増加される感知ライン（７８）の数によって収縮程度を把握することガでき、接触される感知ライン（７８）の数を通じて多段入力が実行されることもできる。
【０２７６】
また水平方向でマトリックス形態に配列された感知ライン（７８）は一定間隔を置いて垂直方向で複数が積層されることができる。したがって前記弾性体に対して垂直押しを実行すれば、垂直方向に積層された感知ライン（７８）間の接触が発生しながら垂直押しを行った地点に対する垂直加圧入力（ＰＰ）が実行されることができる。
【０２７７】
この時も垂直押しの程度によって接触される感知ライン（７８）の数は変わる。すなわち、垂直押しの加圧力が大きくなるほど接触される感知ライン（７８）の数は増加する。したがって接触される感知ライン（７８）の数を通じて垂直加圧入力も多段で入力が実行されるようにできる。
【０２７８】
また、水平加圧と垂直加圧または傾け（上向、下向対角加圧）を感知することができる感知ユニットの形態は前記前述した実施例に限らない。最近力センサーを活用した触覚センサーのような指の動作（水平加圧と垂直加圧）を感知することができる感知ユニットらがさらに活発に開発および市中に発売開始されているところ、指の水平加圧および垂直加圧を感知することができる感知ユニット、例えば感知センサーの数（４個なら垂直圧力、２個なら水平圧力感知）や、感知された位置（放射状の北側または東側の感知）、感知値の差（所定感知値以下なら水平力、以上なら垂直力を感知）など指を使って基準位置を中心に放射状複数の方向に水平加圧および垂直加圧または傾けを通じて所定のデータを入力する方式を取れば、本発明の範疇に属すると見るべきである。
【実施例５】
【０２７９】
次に本発明によるデータ入力装置の第５実施例に対して説明する。
【０２８０】
図３６は本発明によるデータ入力装置が装着された携帯用移動通信端末機の斜視図である。
【０２８１】
図面を参照すれば、本発明によるデータ入力装置（１０１）はベース（５０）に用意されることで、方向加圧入力（Ｐ）および接触移動入力（Ｍ）がそれぞれ実行可能に用意された入力部（１０）と、入力部（１０）に対する方向加圧入力（Ｐ）を感知する第１感知部（２１）と、入力部に対する接触移動入力（Ｍ）を感知する第２感知部（２２）と、第１感知部（２１）および第２感知部（２２）の感知結果に基礎して各方向入力に対応して該当の方向指示位置に割り当てされたデータをメモリー部（未図示）から抽出して入力する制御部（未図示）を含む。
【０２８２】
また携帯用移動通信端末機（１００）にはデータ入力装置（１０１）で入力されたデータや各種コンテンツが表示されるディスプレー部（１０４）と、各種機能を実行するための多数の機能キー（１０６）が用意される。
【０２８３】
以下では、本発明によるデータ入力装置の構成および実施例を各入力動作別に添付された図面を参照して詳しく説明する事にする。
【０２８４】
方向加圧入力（Ｐ）
本明細書で方向加圧入力（Ｐ）というのは、入力部（１０）が基準位置（Ｓ）から基準位置（Ｓ）を中心に放射状へ離隔配置された複数の方向指示位置（Ｐ１、Ｐ２、Ｐ３、…）中いずれか１つを押して各方向加圧入力（Ｐ）に対応して該当方向指示位置（Ｐ１、Ｐ２、Ｐ３、…）へ割り当てされた文字を入力することにする。
【０２８５】
図３７に図示されたように、入力部（１０）の中央には基準位置（Ｓ）が用意されて、前記基準位置を中心に放射状離隔されるように８個の方向指示位置（Ｐ１、Ｐ２、Ｐ３、…）が割り当てされる。この時方向指示位置の中でいずれか１つを押せば、入力部（１０）が押圧されながら入力部下端に各方向指示位置（Ｐ１、Ｐ２、Ｐ３、…）に対応できるよう容易される第１感知部（２１）が方向加圧入力（Ｐ）を感知する。
【０２８６】
そして第１感知部（２１）が方向加圧入力（Ｐ）を感知すれば、前記第１感知部（２１）の感知信号に基礎して制御部で前記方向加圧入力（Ｐ）に対応し該当方向指示位置（Ｐ１、Ｐ２、Ｐ３、…）に割り当てされた第１文字をメモリー部から抽出して入力する。
【０２８７】
この時第１感知部（２１）は入力部（１０）上の押しを感知することができたらその種類は特別に限定されない。
【０２８８】
ここで、方向指示位置（Ｐ１、Ｐ２、Ｐ３、…）は必要によって多様な数で用意されることができるところ、図３７に図示されたように、８個に用意されることもでき、４個に用意されることもできて、６個に用意されることもできる。
【０２８９】
前記のような方向加圧入力（Ｐ）は図３９の（ａ）および（ｂ）に図示されたように、中央部位が貫通された形態の入力部上で実行されることができる。この時前記入力部（１０）は各方向指示位置（Ｐ１、Ｐ２、Ｐ３、…）に対する方向加圧入力（Ｐ）が独立的に実行されることができるように、図３８に図示されたように方向指示位置の間が区画できるよう用意されることもできる。このようになれば各方向指示位置（Ｐ１、Ｐ２、Ｐ３…）に対する方向加圧入力（Ｐ）を実行する時接した方向指示位置に対応する入力部は押圧されず方向加圧入力の時干渉が防止されることができる。
【０２９０】
または方向加圧入力（Ｐ）は図４０に図示されたように、板状形で成り立った入力部（１０）上で方向指示位置（Ｐ１、Ｐ２、Ｐ３、…）の中、いずれか１つを押すによって実行されることができる。この時第１感知部は入力部の上端または下端に用意され前記方向加圧入力（Ｐ）を感知するように用意されるのだが、図４０では第１感知部として、入力部（１０）の下端にタッチ感知部（２３）が用意されることが例示されている。
【０２９１】
接触移動入力（Ｍ）
本明細書で接触移動入力（Ｍ）というのは、入力部（１０）中央の基準位置（Ｓ）を時点にするとか経由して前記方向指示位置（Ｐ１、Ｐ２、Ｐ３、…）中いずれか１つで接触移動することで接触移動入力（Ｍ）に対応して該当の方向指示位置（Ｐ１、Ｐ２、Ｐ３、…）に割り当てされた第２文字を入力することにする。
【０２９２】
この時方向加圧入力（Ｐ）が実行される方向指示位置と接触移動入力（Ｍ）が実行される方向指示位置はお互いに等しい位置であることが望ましい。しかし各方向入力が有効な入力と認められる方向指示位置はお互いに相異な個数であるかも知れない。例えば、方向加圧入力（Ｐ）は総８個の方向指示位置に対する押すことで総８個のお互いに異なるデータを入力することができる一方に、接触移動入力（Ｍ）は総８個の方向指示位置の中で４個の方向指示位置に向けた接触移動で４個のお互いに異なるデータだけ入力するように構成することもできる。ところで本実施例では図３７に図示されたように、方向加圧入力（Ｐ）と接触移動入力（Ｍ）が等しい個数のデータを入力するように構成されたのが例示されている。
【０２９３】
前記接触移動入力（Ｍ）は、図３８および図３９に図示されたように、入力部（１０）で基準位置（Ｓ）に対応する中央部位が貫通され、前記中央部位に装着される第２感知部（２２）によって感知されるように具現することができる。
【０２９４】
より詳しく説明すれば、前記入力部（１０）の中央部位には第２感知部（２２）が用意されて入力部（１０）上での指の接触移動を感知する。この時指の移動は入力部（１０）を通じずにすぐ第２感知部（２２）で感知される。
【０２９５】
特に図３９の（ａ）では、第２感知部（２２）が光センサーに用意される場合として、指の移動による光の変化を第２感知部（２２）が感知して指が向かっている方向指示位置を把握するように用意される。
【０２９６】
また図３９の（ｂ）では、第２感知部（２２）が圧力センサーに用意される場合として、指の移動による圧力変化を第２感知部（２２）が感知して指が向かっている方向指示位置を把握するように用意される。
【０２９７】
一方、入力部（１０）は中央部位が貫通されないで図４０に図示されたように、板状形に用意されることもできる。この時には入力部（１０）の上端または下端に入力部上での指の接触移動を感知することができる第２感知部が用意されるのだが、本実施例では入力部の下端に第２感知部としてタッチ感知部（２３）が用意されたことが例示されている。このようなタッチ感知部（２３）は押しや接触移動が感知されることがあるため、第１感知部と第２感知部としての役目を同時に実行することができる。
【０２９８】
図４０に図示されたようにタッチ感知部（２３）に接触移動入力（Ｍ）が感知されようとすれば、入力部（１０）上での接触移動入力の時には指をどれくらい加圧した状態で接触移動しなければならない。この時タッチ感知部（２３）は指の移動方向を感知して該当の方向指示位置に対する接触移動入力（Ｍ）が実行されるようにする。
【０２９９】
もしタッチ感知部（２３）が入力部（１０）の上端に用意される場合には、入力部を加圧する必要なく入力部上を接触移動することで接触移動入力（Ｍ）が実行できるようにすることもできる。
【０３００】
以上のような方向加圧入力（Ｐ）と接触移動入力（Ｍ）によってはそれぞれ８個ずつのデータが入力可能なので、入力可能なデータの個数は総１６個である。このように入力可能な個数が１６個として多少少なく見えるが、現在携帯用端末機でデータ入力のために総１２個のボタンを使用している点と比べる時その個数が少ないとは言えない。
【０３０１】
また本実施例では方向加圧入力（Ｐ）と接触移動入力（Ｍ）がそれぞれ別個で実行される場合に対してのみ説明されているが、方向加圧入力（Ｐ）と接触移動入力（Ｍ）はお互いに組み合わせされて実行されることもできる。例えば、方向加圧入力（Ｐ）後に接触移動入力（Ｍ）を実行するとか、接触移動入力（Ｍ）後に方向加圧入力（Ｐ）を実行してそれぞれお互いに異なるデータが入力されるように構成することもできる。このような場合には入力可能な総データ個数が３２個に拡張されることができるので、ハングルや英文アルファベットを本発明によるデータ入力装置で充分に入力することができるようになる。
【実施例６】
【０３０２】
次に本発明によるデータ入力装置およびデータ入力方法に対する第６実施例に対して説明する。
【０３０３】
本発明によるデータ入力装置およびデータ入力方法はデータの入力のための入力動作だけではなく、このような入力動作の実行のための別途の入力配列を必要にする。本実施例ではこのような入力配列および入力配列を通じるデータ入力を「方向入力」という用語を使って説明する事にする。また、「方向入力」の中、入力動作は、大きく「押す（または加圧）」、「接触移動」、「加圧移動」および「傾け」の４つに区分される。本発明を理解して実施するためにはこれを先に理解しなければならない必要がある。そのため本実施例によるデータ入力装置およびデータ入力方法を説明する以前に、本発明の理解を助けるためにこれに対して先に説明する事にする。
【０３０４】
図４１から図４２は本発明の実施例による入力配列を説明するための例示図として、図４１は文字入力のための入力配列の例を図示した例示図であり、図４２は命令入力のための入力配列の例を図示した例示図である。
【０３０５】
2011516959.tif 000008
【０３０６】
図４１および図４２に図示されたように方位（Ｄ）を持つ入力配列（１）は単純な文字の入力だけではなく直接的な命令の入力に使われることができる。もう少し詳しく説明すれば本発明の入力配列（１）はタッチパッドまたはタッチスクリーンのように接触式入力装置に使用が容易である。だからタッチスクリーン画面のアバタ、ゲームキャラクター、アイコンなどを使用者が直接指定して、これに対する命令を入力する手段で使用が可能である。すなわち、図４１と同じように入力配列（１）を子音（ａ）と母音（ｂ）で区分して文字の入力が可能にするとか、図４２のように方向指示（ａ）と動作指示（ｂ）で区分して入力を通じて命令が実行されるようにすることが可能である。このような入力配列（１）は入力配列（１）の中心を基準に入力手段（指またはタッチペン）の移動、接触および圧力の中でいずれか１つが発生した方向すなわち、方位を区分することで入力を行う。勿論、入力配列（１）のある一部分を簡単に接触することで入力が成り立つこともできるが、本発明では早い入力速度、便利な入力、多様なデータの入力のために方位によって入力を区分する方法と、同じ方位だと言ってもお互いに異なるデータの入力が成り立つようにし接触式入力装置で使用が便利なデータ入力方法を提示する。このために、本実施例では以後に説明する「押し」、「接触移動」、「傾け」および「水平加圧」の方法を利用し入力配列（１）を利用した入力を実行するようになる。これを通じて本実施例ではタッチパッドおよびタッチスクリーンのような接触式入力装置に最適化された入力配列（１）と入力方法を提供するようになる。
【０３０７】
図４３は「押し」を説明するための例示図らである。
【０３０８】
図４３に図示された押しの例は理想的な場合の例を図示したものである。押すによる入力は入力装置（１０１）の入力面（１３）に対して垂直方向で圧力（ＰＶ１）を加えることで成り立つ。このような加圧入力は理想的な場合垂直方向圧力（ＰＶ１）だけ存在し、入力面に対して水平方向圧力（ＰＨ１）および移動（Ｍ１）は発生しない。加圧入力は入力装置（１０１）が垂直方向圧力（ＰＶ１）を感知することで認知することができる。図４３の（ａ）には入力装置（１０１）の入力面（１３）が弾性体で構成される場合の例を図示した。使用者が加圧入力を実行する場合入力面（１３）に入力手段（３）によって垂直圧力（ＰＶ１）が加えられる。これにより、入力面（１３）は垂直圧力（ＰＶ１）によって押圧することが発生し、押圧によって入力面（１３）の厚さ（ｈ）が減って第２厚さ（ｈ’）に変化する。ここで、入力装置（１０１）の入力面（１３）が弾性体ではない場合厚さ（ｈ）の変化は発生しないこともある。同時に、加圧入力によって入力を実行する方法、特に、加圧入力と傾け入力、接触移動入力、水平加圧入力を混用して使用する例に対しては、以下で詳しく説明する事にする。
【０３０９】
図４４は「接触移動」を説明するための例示図として、接触移動入力が成り立つ状態を側面および平面図に図示して、これと同時に圧力および移動の関係を図示した例示図である。
【０３１０】
図４４を参照すれば、接触移動入力は入力装置（１０１）の入力面（１３）に使用者が入力手段（３）を利用して接触することで入力が成り立つ。接触移動入力が前述した加圧入力と区分される点は理想的な状況で加圧入力の場合垂直方向圧力（ＰＶ１）だけ存在する一方、接触移動入力では垂直方向圧力（ＰＶ２）はほとんど発生せず、入力面（１３）上での移動（Ｍ２）だけ存在するということである。接触移動入力の場合垂直方向圧力（ＰＶ２）は入力手段（３）と入力面（１３）が接触するための最小限の大きさだけ維持するようになり、前述した加圧入力に比べて非常に小さい垂直方向圧力（ＰＶ２）を持つようになる。特に、接触移動入力の場合理想的な状態で水平移動（Ｍ２）のための水平方向圧力（ＰＨ２）も垂直方向圧力（ＰＶ２）と同じく存在しない。ただ、接触移動入力を実際具現する時には水平移動（Ｍ２）のための多少の水平方向圧力（ＰＨ２）が存在することができるが、このような場合に対しては以下でもう少し詳細に説明する事にする。
【０３１１】
2011516959.tif 000009
【０３１２】
図４５および図４６は水平加圧入力を説明するための例示図として、図４５は水平加圧入力を側面および上部からみた形態の例示図である。また、図４６は水平加圧入力による圧力と移動の関係を図示した例示図である。
【０３１３】
図４５および図４６に図示されたように水平加圧入力は入力面（１３）に入力面（１３）と水平方向で圧力をかけることで入力が実行される。この水平加圧入力も加圧入力および接触移動入力と同じく、入力配列（１）による方位によって異なるデータを入力することができる。すなわち、前述した接触移動入力と同じく入力配列（１）の特定方位で水平方向圧力（ＰＨ３）を発生させることで該当方位に対するデータを入力することができるようになる。特に、同じ方位だと言っても、接触移動入力と水平加圧入力がお互いに異なるデータを入力することができるようにして入力することができるデータの量と種類を多様化することができる。
【０３１４】
理想的な場合水平加圧入力は入力面（１３）に対して水平である方向にだけ圧力（ＰＨ３）が存在する。これを図面で現わせば図４６の（ａ）および（ｂ）と同じである。理想的な場合の水平加圧入力では垂直方向圧力（ＰＶ３）は発生せず、水平方向圧力（ＰＨ３）だけ存在し、水平方向の移動（Ｍ３）があるとかないことがある。移動（Ｍ３）の発生可否は入力装置（１０１）による感知方法によって変わることができる。すなわち、図４６の（ａ）と同じく水平方向圧力（ＰＨ３）が存在し、水平方向移動（Ｍ３）が一定距離以上の時、水平加圧入力と認められることができる。または図４６の（ｂ）と同じく水平方向移動（Ｍ３）がないとかほとんど発生しないとしても水平方向圧力（ＰＨ３）が発生すればこれを水平加圧入力と認めることもできる。
【０３１５】
これとは別に実在的な利用を考慮すれば、図４６の（ｃ）と同じく水平方向圧力（ＰＨ３）および垂直方向圧力（ＰＶ３）がすべて存在することができる。実在的な水平加圧入力の場合水平方向圧力（ＰＨ３）は加圧入力および接触移動入力の圧力（ＰＨ１、ＰＨ２）に比べて大きい値を持つことができる。また実在的な水平加圧入力の場合垂直方向圧力（ＰＶ３）は加圧入力の垂直方向圧力（ＰＶ１）と似ているとか同じて、接触移動入力の垂直方向圧力（ＰＶ２）に比べて大きい値であることができる。このような、圧力および移動の関係は区分が容易に適切に正義されるべきで、区分のための圧力および移動の関係整理は以下でもう少し詳細に説明する事にする。
【０３１６】
同時に、図４５の（ａ）は入力面（１３）が弾性体を利用して構成された例で、図４５の（ｂ）は入力面（１３）が非弾性体で構成されて、水平方向圧力（ＰＨ３）を感知するためのセンサー（２７）が設置された場合の例を図示したものである。図４５の（ｂ）と同じく構成された入力装置（１０１）では水平方向圧力（ＰＨ３）が入力面（１３）に加えられれば、入力面（１３）が圧力が加えられた方向に移動または圧力を伝達するようになり、これを測定するために水平方向圧力が伝達することができる方向にセンサー（２７）を設置してこれを感知するようになる。ここで、水平方向圧力を測定するためのセンサー（２７）は入力面（１３）の下部に設置されることもできる。図４５に図示されたセンサー（２７）の位置は水平方向圧力の測定のための構成の例を説明するための図面でこれにより本発明を限定することではない。
【０３１７】
一方、図４５の（ｂ）は水平方向圧力（ＰＨ３）が発生すれば、加えられた圧力でより入力面（１３）の表面に押圧（ＰＬ１）が発生するようになる。このような押圧（ＰＬ１）が発生された表面の電計、静電容量、剪断力の変化を電気的信号化して、これを検出して水平方向圧力（ＰＨ３）を検出するのが可能である。より望ましくは電計、静電容量、剪断力および圧力を測定するセンサー（２７）を多数具備して構成して、多様な変数の変化を測定して検知することがさらに正確な感知結果を得られる。このような装置の構成および別の入力との関係に対しては以下でもう少し詳細に説明する事にする。
【０３１８】
図４７は傾け入力を説明するための例示図である。
【０３１９】
図４７を参照すれば、本発明によるデータ入力方法は加圧入力、接触移動入力および水平加圧入力外にも傾け入力によってデータを入力するのが可能である。傾け入力も前述した加圧入力、接触移動入力および水平加圧入力のように圧力および移動によって区分が可能であり、入力配列（１）を利用した方位入力によって多様なデータを入力することが可能である。
【０３２０】
理想的な場合、傾け入力は入力面（１４）に対して対角方向に加えられる対角圧力（ＰＤ４）を認知して入力可否を判別するようになる。この傾け入力は図４７の（ａ）に図示されたように入力面（１４）を加圧する点では加圧入力および水平加圧入力と類似の形態を持つ。しかし、傾け入力の場合入力面（１４）に対して対角線方向に圧力が加えられるということが最も大きい差であり、傾け入力の時移動（Ｍ４）がほとんど発生しないことが異なる点である。
【０３２１】
図４７の（ｂ）と同じく傾け入力は入力面（１４）に対角方向へ対角圧力（ＰＤ４）が加えられて、圧力点の移動すなわち、移動（Ｍ４）がほとんど発生しないとか、理想的な場合移動（Ｍ４）は発生しない。このような対角圧力（ＰＤ４）は図４７の（ｂ）の右側に図示されたように水平方向圧力（ＰＨ４）と垂直方向圧力（ＰＶ４）で区分することができるし、このような圧力（ＰＨ４、ＰＶ４、ＰＤ４）を測定して入力を認知するのが可能である。そのため傾け入力の場合加圧入力と水平加圧入力を組み合わせて、これを１つの入力動作で認知し傾け入力で認知することも可能である。すなわち、水平加圧入力に引き継いで加圧入力を実行するとか、加圧入力の後水平加圧入力を実行することで傾け入力を具現することも可能である。しかし、このため本発明を限定することではない。
【０３２２】
図４７の（ａ）に図示された入力装置（１０１’）は弾性体によって入力面（１４）を構成した例を図示した。入力面（１４）が弾性体のため傾け入力と同じく入力面（１４）に圧力が加えられる場合入力面（１４）の押圧（ＰＬ２）が発生する。このような押圧（ＰＬ２）は前述の水平加圧入力による押圧（ＰＬ１）とは多少形態が相異する。このような押圧（ＰＬ１、ＰＬ２）は圧力が加えられる方向が水平なのか対角なのかによって多少相異なっていて、押圧（ＰＬ１、ＰＬ２）によって発生する静電容量の変化、剪断力の変化、圧力の変化が相違である。このために、このような静電容量の変化、剪断力の変化および圧力の変化みたいな要素を１つ以上測定することで傾け入力と水平加圧入力を区分することができる。さらに、実際使用において静電容量、剪断力および圧力の変化を１つ以上細密に測定して、実際使用を通じるアルゴリズムおよびデータ調整を通じて入力の区分を明確にすることが可能である。
【０３２３】
以後では前述した入力配列（１）を利用して加圧入力、接触移動入力、水平加圧入力および傾け入力によってデータを入力する過程に対して説明する事にする。
【０３２４】
本発明によるデータ入力方法は入力手段（３）が接触する地点すなわち、入力手段（３）と入力面（１３、１４）の接触が成り立つ地点を中心に放射状で配列される入力配列（１）と入力配列（１）を利用した入力動作によってデータ入力が実行される。入力配列（１）は接触が発生する場合接触点を中心に特定方位に対する入力動作が発生する場合入力されるデータを並べることで、必ず該当の部分に接触されると入力が成り立つことではない。すなわち、図４１に図示された入力配列（１）は使用者便宜のために接触が発生する場合接触周辺に表示されて使用者に提供されることができる表示形態を図示したことだけなのである。もう少し詳細に説明すれば、使用者が加圧入力、接触移動入力、水平加圧入力および傾け方位（Ｄ）の入力中ある１つの動作を実行して、このような動作が特定方位（Ｄ）に向けるように実行されれば、該当の方位を指示するデータが入力装置を通じて入力されるようになる。すなわち、入力配列（１）が表示されなくても１つの方位（Ｄ）に実行される加圧入力、接触移動入力、水平加圧入力および傾け入力などの入力動作によりデータは入力されるようになる。
【０３２５】
そのため、このような入力動作を組み合わせることで、多様かつ膨大な量のデータを自由で早く入力する事が可能である。同時に、入力動作を圧力および移動距離によって区分することで、多様に組み合わされた入力動作によって連続的に入力が可能である。もう少し詳細に説明すれば、図４１の（ａ）で第方位（ＤＤ１）への入力が連続して実行されても、初め入力が傾け入力であり、次が加圧入力ならばお互いに異なるデータを入力したことで認識することができるし、これを通じてデータ入力の速度および連続性を保障する事が可能である。また、等しい入力の種類で等しい方位（Ｄ）に連続的な入力が発生しても、１つの入力動作が完了される地点を区分して連続的な入力で認知することができるので入力の速度、便宜性および正確度を既存の入力方法に比べて画期的に向上させることが可能である。
【０３２６】
特に、本発明のデータ入力方法は入力動作を特定方位（Ｄ）すなわち、ある１つの方向に発生させることで入力が区分され実行される。そのため、以下では説明の便宜のために「方向入力」という用語を使って実施例に対して説明する事にする。ここで、方向入力は方位（Ｄ）を持つ入力配列を前述した入力動作によって実行される意味で解釈が可能である。そのため下では加圧入力、接触移動入力、水平加圧入力および傾け入力の前後を区分せず説明するため先ず実行される入力に対して第１方向入力、引き継いで実行される入力に対して第２方向入力、第３方向入力のように用語を統一して使用することにする。同時に、本発明の入力方法を具現するための装置に関してはデータ入力方法に対する理解のためにこれに対する説明を先にした後進行する事にする。
【０３２７】
図４８は加圧入力、接触移動入力、水平加圧入力および傾け入力の方位と記号を説明するための図面である。
【０３２８】
図４８を参照すれば、本発明によるデータ入力方法は加圧入力、接触移動入力、水平加圧入力および傾け入力の４種類入力を選択的に組み合わせて実行される。そして、このような動作入力はあらかじめ決まる方位の数によって、各方位に決まったデータによって入力が決まる。例えば図４８と同じく接触移動入力、加圧入力、水平加圧入力および傾け入力がそれぞれ８個の方位（Ｄ）で決定されそれぞれ他のデータを入力するようにできる。図４８に図示された記号中（ａ）は接触移動入力を図示したことで接触移動入力記号および接触移動方位（ＤＴ：ＤＴ１からＤＴ８）で、（ｂ）は加圧入力を図示したことで加圧入力方位（ＤＰ：ＤＰ１からＤＰ８、ＤＰＯ）を押し記号のように現わした。また、図４８の（ｃ）および（ｄ）はそれぞれ水平加圧記号とこれに対する方位（ＤＳ：ＤＳ１からＤＳ８）および傾け入力記号とこれに対する方位（ＤＬ：ＤＬ１からＤＬ８）を図示したことである。ここで加圧入力方位（ＤＰ）は真中央を押す入力が含まれることができるし、このために加圧入力方位（ＤＰ）の中、中心方位（ＤＰＯ）がさらに含まれる。同時に以下では図面上で同じ記号と方位を使って入力を説明する事にする。
【０３２９】
一方、図４８には各入力が８個の方位（Ｄ：ＤＴ、ＤＰ、ＤＳ、ＤＬ）で設定された例を図示したが、入力別で方位（Ｄ）の数は異なるように決定されることができる。例えば図４１の入力配列のように加圧入力は８個の方位（ＤＰ）で決定して、接触移動入力は１０個の方位（ＤＴ）で決定して使用することが可能である。
【０３３０】
図４９は入力面上で連続および断続入力を説明するための図面で、（ａ）は個別的な入力動作によってデータ入力が成すことを説明するための図面で、（ｂ）は入力動作を組み合わせて連続的にデータ入力が成り立つ事を説明するための図面である。
【０３３１】
前述した図４１から図４８による入力は図４９に図示されたように、入力面（１４）上の任意地点から独立的または連続的に実行されることができる。まず図４９の（ａ）を参照すれば、使用者は入力手段（３）を利用して入力面（１）上の任意位置でデータを入力することができる。特に、図４９の（ａ）と同じく入力しようとするデータによってあらかじめ設定された事項によって加圧入力（ＤＰ）、接触移動入力（ＤＴ）、水平加圧入力（ＤＳ）および傾け入力（ＤＬ）を任意的または独立的（または断続的）で実行することができる。このように独立的に実行される入力は入力装置（１０１）によって適切なデータに置き換えされて処理され、必要によって連続的なデータ入力で処理されることができる。すなわち、使用者は自分の便宜によって入力手段（３）を入力面（１４）の任意位置に接触して前記のような入力動作を実行することでデータ入力を実行することができる。
【０３３２】
一方、図４９の（ｂ）を参照すれば、入力動作は前述したように連続的に実行されることができる。図４９の（ｂ）では一例で接触移動入力（ＤＴ）、加圧入力（ＤＰ）および水平加圧入力（ＤＳ）が組み合わせされて連続的に成り立つ例を図示したが、このため本発明を限定することではない。以後でもう少し詳細に説明するが、入力装置（１０１）が使われる用途によって４種類入力動作は任意的に選択され、選択された入力動作の間の組み合わせによってデータ入力を実行するようにすることができる。以下ではこのような組み合わせの例とそれを通じる実際入力の例を詳細に説明する事にする。
【０３３３】
第１方向入力＋第２方向入力によるデータ入力
第１方向入力と第２方向入力の組み合わせによる入力は前述した加圧入力、接触移動入力、水平加圧入力および傾け入力の中で選択された２つの入力を組み合わせてデータ入力を実行することである。この４種類の入力を組み合わせると次のような６種の組み合わせが発生する。
【０３３４】
１）加圧入力および接触移動入力によるデータ入力
２）加圧入力および水平加圧入力によるデータ入力
３）加圧入力および傾け入力によるデータ入力
４）接触移動入力および水平加圧入力によるデータ入力
５）接触移動入力および傾け入力によるデータ入力
６）水平加圧入力および傾け入力によるデータ入力
前述した組み合わせの中で１）の場合加圧入力が第１方向入力で接触移動入力が第２方向入力だと仮定しても、第１方向入力が必ず第２方向入力に先行されなければならないことではない。すなわち、第１方向および第２方向入力は説明の便宜をための接触移動入力が第１方向入力になって、加圧入力が第２方向入力に正義されることができる。また、第１方向入力以後これに伴って第２方向入力が実行されなければならないのではない。第１方向入力だけ連続的に発生するとか、第２方向入力だけ連続的に発生することもでき、第１方向入力の数回反復した後第２方向入力が実行されるとか、第２方向の入力反復した後第１方向入力が実行されることもできる。また、第１方向入力が１回実行されて、第２方向入力が１回実行されて入力が終了されることではなく、第１方向入力、第２方向入力が交互に数回かけて連続されて実行されることもできる。
【０３３５】
以下ではこの６種組み合わせによる入力の例を説明することと同時に、接触式入力装置で実際に具現する場合入力を区分するいくつかの例を説明することにする。
【０３３６】
１）加圧入力および接触移動入力によるデータ入力
図５０は加圧入力および接触移動入力の組み合わせによるデータ入力の例を説明するための例示図として、文字データを入力する例を図示した例示図である。
【０３３７】
2011516959.tif 000010
【０３３８】
前述したことによれば理想的な状況で加圧入力は入力面（１４）に対して垂直方向圧力（ＰＶ１）だけが存在し、接触移動入力は入力面（１４）に水平した方向での接触状態移動だけが存在すると説明した。しかし、これを実際に具現するためには接触移動入力でも入力面に垂直および水平方向で多少の圧力が発生することができる。また、加圧入力も入力面（１４）に対する垂直方向圧力（ＰＶ１）だけではなく水平方向圧力（ＰＨ１）または移動（Ｍ１）が発生することもできる。したがって、このような圧力および移動によって加圧入力と接触移動入力を区分する必要が発生する。
【０３３９】
図５１は図５０の入力によって入力面に加えられた圧力および移動の関係を図示した例示図である。
【０３４０】
図５１を参照すれば、加圧入力を実際装置で具現する場合、図５１の（ａ）および（ｄ）に図示されたように垂直方向入力（ＰＶ１）外にも方位（Ｄ）の選択のための移動（Ｍ１）または水平圧力（ＰＨ）が発生することができる。同じく、接触移動入力を実際装置で具現する場合にも図５１の（ｂ）、（ｃ）および（ｅ）に図示されたように水平方向移動（Ｍ２）外にも入力手段（３）と入力面（１４）の接触を維持するための少々の垂直方向圧力（ＰＶ２）が存在することができる。これを入力装置（１０１）で区分するために圧力（ＰＶ）の大きさ、移動（Ｍ）距離または長さによる差を設定しておくことで接触移動入力と加圧入力を区分することが可能である。一例で図５０の場合圧力基準値（ＰＰ）と移動基準値（ＭＭ）を設定して入力に対する圧力（ＰＶ）と入力基準値（ＰＰ）、移動（Ｍ）と移動基準値（ＭＭ）を比べて入力を区分することができる。しかし、このため本発明を限定することではない。
【０３４１】
このような方法により加圧入力と接触移動入力を区分することができるし、これを通じて第１方向入力と第２方向入力を区分することができる。しかし、図５０で第３方位接触移動入力（ＤＢＴ３）および第９方位接触移動入力（ＤＢＴ９）、第３方位加圧入力（ＤＡＰ３）のように等しい方向入力が連続される場合、前の区分により入力を区分することが曖昧になることができる。このように等しい種類の入力が続く場合これを区分する明確な方法が必要である。このように同一入力の区分のためには入力の時点、解除時点、方位時点のような要素を比較して入力を判別することができる。もう少し詳細に説明すれば、入力の時点を通じて入力を比較するためには加圧入力のための圧力が加えられた場合、接触移動のための移動が発生した場合１つの入力で判別してこれによるデータ入力を実行することである。すなわち、入力のための圧力および移動の中である一ベクターが発生する瞬間を加圧入力または接触移動入力で判別して以後の維持期間は入力と無関係に把握することである。または加圧入力によって加えられた垂直圧力（ＰＶ１）が解除される時点、接触移動入力による水平移動（Ｍ）が終わった地点および水平移動（Ｍ）が一定距離以上実行された時点を検出して、このような条件を満足した場合入力で判別する方法を利用することも可能である。特に、本発明での入力動作は多数の方位を指定することで入力を成し出す。そのため入力による方位が変わる場合、新しい入力で判別して入力を区分することもできる。なおかつこのような区分を前述した圧力基準値（ＰＰ）および移動基準値（ＭＭ）の比較方法と混用して使えば、さらに正確な入力判別が可能になる。
【０３４２】
２）加圧入力および水平加圧入力によるデータ入力
図５２は加圧入力および水平加圧入力組み合わせによるデータ入力の例を説明するための例示図である。
【０３４３】
図５２を参照すれば、加圧入力および水平加圧入力もそれぞれ第１および第２方向入力で区分してこれにより文字データを入力することができる。この加圧入力および水平加圧入力も第１方向入力が子音、第２方向入力が母音の入力のため正義されることができる。または前述したことと同じく第１および第２方向入力それぞれが子音一部と母音一部の入力のために使われることができるが、このため本発明を限定することではない。
【０３４４】
2011516959.tif 000011
【０３４５】
このような入力は図５２の（ｄ）に図示されたように入力手段（３）を入力面（１３）に継続接触して入力することが可能である。図５２の（ｄ）は１つの入力手段（３）、例をあげて一手の指一本により連続で入力する例を図示したものである。これを通じて分かるように本発明によるデータ入力方法は一手でも煩わしい選択過程なく便利に文字またはデータを入力することが可能になる。
【０３４６】
図５３は図５２の入力によって入力面で発生した圧力および移動の関係を図示した例示図である。
【０３４７】
図５３と同じく前述した理想的な状況と違って加圧入力と水平加圧入力において垂直方向圧力（ＰＶ１）および水平方向圧力（ＰＨ３）以外の圧力が発生することができる。そのために圧力および移動によって加圧入力と水平加圧入力を区分する必要がある。前述したように加圧入力を実際装置で具現する場合、図５３の（ａ）および（ｂ）に図示されたように垂直方向入力（ＰＶ１）以外にも方位（Ｄ）の選択のための移動（Ｍ１）または水平圧力（ＰＨ１）が発生することができる。同じく、水平加圧入力を実際装置で具現する場合、図５３の（ｃ）に図示されたように水平圧力（ＰＨ３）を加えるための垂直方向圧力（ＰＶ３）が発生することができる。そのため、これを入力装置（１０１）で区分するために圧力（ＰＶ、ＰＨ）の大きさ、移動（Ｍ）距離による差を設定しておくとか他の方法を利用して加圧入力と水平加圧入力を区分しなければならない。前述したように加圧入力と水平加圧入力の区分のため基準値を設定してこれを比較し加圧入力と水平加圧入力を区分することもできる。しかし、こういうわけで本発明を限定することではない。
【０３４８】
同時に、加圧入力および水平加圧入力を利用した入力においても、加圧入力または水平加圧入力の中でいずれか１つが連続して実行され、これを通じて入力が成り立つことができる。この場合、前述したように、入力の方位（Ｄ）、入力の時点、入力の終点およびこれに等価要素を判断して入力を決定することが望ましい。特に、圧力による入力混線が発生することができるために圧力に対する基準値を設定して、これを土台に入力を区分する方法と混用して入力を区分することが望ましい。
【０３４９】
３）加圧入力および傾け入力によるデータ入力
図５４は加圧入力および傾け入力によるデータ入力の例を説明するための例示図である。
【０３５０】
図５４を参照すれば、加圧入力および傾け入力も前述した例と同じく第１および第２方向入力で区分して、文字データの入力に利用されることができる。この加圧入力および傾け入力も第１方向入力が子音、第２方向入力が母音を担当するようにするとか、それぞれ子音と母音を担当して利用されることができる。それだけではなく、前述した第１方向および第２方向の組み合わせ入力および後述する組み合わせでも文字入力だけではなく命令およびその他のデータの入力の時、第１方向入力と第２方向入力がそれぞれ一定部分の命令を担当して入力に使われることができる。しかし、このため本発明を限定することではない。
【０３５１】
2011516959.tif 000012
【０３５２】
2011516959.tif 000013
【０３５３】
このような、加圧入力と傾け入力を区分するためには前述した組み合わせと同じく２つの入力間の圧力の大きさ、方向のような区分要素の差を明確にしなければならない。
【０３５４】
図５５は加圧入力と傾け入力の垂直、水平圧力および移動をベクターで表示した図面である。
【０３５５】
図５５を参照すれば、前述したように加圧入力は（ａ）、（ｂ）のように垂直方向圧力（ＰＶ１）に方位選択のための移動（Ｍ１）または水平方向圧力（ＰＨ１）が付加されたことであるかも知れない。ただ第０方位加圧入力の場合このような移動（Ｍ１）および水平方向圧力（ＰＨ１）は発生しないこともある。
【０３５６】
一方、傾け入力の場合、前述した事のように理想的な状態では対角圧力（ＰＤ４）だけ発生する。この対角圧力は水平方向圧力（ＰＨ４）と垂直方向圧力（ＰＶ４）の合で表現することができる。入力装置（１０１）が対角圧力（ＰＤ４）を直接測定することができるセンサーを具備する場合別途の水平方向圧力（ＰＨ４）と垂直方向圧力（ＰＶ４）を測定して区分する必要性は少なくなる。ただし、加圧入力で方位選択のための移動（Ｍ１）または水平方向圧力（ＰＨ１）が発生される場合、加圧入力も対角圧力（ＰＤ１）に認識される可能性がある。そのためにこのような加圧入力の対角圧力（ＰＤ１）と傾け入力の対角圧力（ＰＤ４）を区分する必要がある。入力装置（１０１）に具備されるセンサーが圧力の角を測定することができる場合、圧力の角に対して基準値を設定することで両方を区分するのが容易になる。これとは違い入力装置（１０１）のセンサーが対角圧力（ＰＤ）を直接測定することができない場合水平方向圧力（ＰＨ）と垂直方向圧力（ＰＶ）を測定して傾け入力と加圧入力を区分することができる。すなわち、傾け入力と加圧入力の場合、垂直方向圧力（ＰＶ１、ＰＶ４）はほとんど同じ大きさを持つことができる。しかし、傾け入力と加圧入力の場合、水平方向圧力（ＰＨ）の場合確実な差を持つために、この２つを比べることで入力を区分することが可能である。
【０３５７】
これを応用すれば、傾け入力を具現するため他の方法を導出することができる。特に、対角圧力（ＰＤ）を直接的に測定することができない装置に使用すればさらに便利になることができる。これに対する例が図５５の（ｄ）および（ｅ）である。図５５の（ｄ）および（ｅ）と同じく傾け入力による対角圧力（ＰＤ４）は、水平方向圧力（ＰＨ４）および垂直方向圧力（ＰＶ４）の合で現わすことができる。そのため傾け入力を具現するめの水平方向圧力（ＰＨ４）を先に発生させた後垂直方向圧力（ＰＶ４）を発生させるとか、垂直方向圧力（ＰＶ４）を先に発生させた後水平方向圧力（ＰＨ４）を発生させて対角圧力（ＰＤ４）を具現することができるし、これによってデータ入力を実行するのも可能である。
【０３５８】
2011516959.tif 000014
【０３５９】
2011516959.tif 000015
【０３６０】
一方、接触移動入力と水平加圧入力の組み合わせによる文字データのみならず、本発明による入力動作の組み合わせは組み合わされた入力動作が連続的に発生しなければならないことではない。例えば入力手段（３）が人の両手だと仮定すれば、両手をすべて使用して入力することが可能である。このような例が図５６の（ｂ）である。図５６の（ｂ）には左手が水平加圧入力を通じて母音を入力するようにし、右手が接触移動入力を通じて子音を入力するようにした例が図示されている。勿論、左手が接触移動入力、右手が水平加圧入力になるようにするとか、両手すべて水平加圧入力と接触移動入力を使用するようにすることが可能である。また、どの一手が母音、別の手が子音を入力するようにすること他にも両手が子音および母音の一部をお互いに担当するようにすることも可能である。同時に、このような場合入力装置（１０１）は同時接触を感知する機能が存在するべきで、従来の一部入力装置のように一瞬に１つの接触だけを感知する装置ではこのような同時入力が不可能なことがある。
【０３６１】
図５７は接触移動入力および水平加圧入力による圧力および移動に対するベクターを図示した例示図である。
【０３６２】
図５７を参照すれば、接触移動入力および水平加圧入力の組み合わせによる入力は水平方向圧力（ＰＨ）の有無を判別すれば容易に入力を区分するのが可能である。前述したように接触移動入力の場合理想的な場合垂直方向圧力（ＰＶ２）が存在しない。しかし、実際の場合接触移動入力は接触を維持するための最小の垂直方向圧力（ＰＶ２）が維持されることができる。そして、この接触移動入力の場合、入力手段（３）が入力面（１４）上で一定距離以上動いた時入力されるため移動（Ｍ２）が存在するようになる。
【０３６３】
一方、水平加圧入力は水平方向圧力（ＰＨ３）が接触移動入力に比べて著しく大きく作用する。この水平加圧入力の場合水平方向圧力（ＰＨ３）を入力面（１４）に加えるために垂直方向圧力（ＰＶ３）が存在することができる。ただ、水平加圧入力の場合水平方向で圧力（ＰＨ３）を加えるために移動（Ｍ３）が発生するかも、そうではないかも知れない。そのため水平加圧入力と接触移動入力を明確に区分するためには水平方向圧力（ＰＨ）の有無と大きさを通じて区分するのが可能である。しかし、このため本発明を限定することではなく、入力装置によって適合したベクターを選択して区分することが望ましい。
【０３６４】
５）接触移動入力および傾け入力によるデータ入力
図５８は接触移動入力および傾け入力によるデータ入力の例を説明するための例示図である。
【０３６５】
2011516959.tif 000016
【０３６６】
一方、図５９は接触移動入力および傾け入力に対するベクターを図示した例示図である。
【０３６７】
図５９を参照すれば、接触移動入力はすでに前もって説明したように入力面（１４）上で最小の垂直方向圧力（ＰＶ２）で一定距離以上移動（Ｍ２）する入力動作である。また、傾け入力は直接的な対角圧力（ＰＤ４）または水平および垂直方向圧力（ＰＨ４、ＰＶ４）を組み合わせて対角圧力（ＰＤ４）を生成する入力動作である。
【０３６８】
そのため、接触移動入力と傾け入力を容易に区分するためには水平方向圧力（ＰＨ４）の有無と大きさ、対角方向圧力の有無と大きさおよび垂直方向圧力（ＰＶ）の大きさ比較のような方法を通じて用意に区分することが可能である。
【０３６９】
６）水平加圧入力および傾け入力によるデータ入力
図６０は水平加圧入力および傾け入力によるデータ入力を説明するための例示図である。
【０３７０】
図６０を参照すれば、水平加圧入力および傾け入力によるデータ入力も前述した第１および第２方向入力の組み合わせによる入力とほぼ等しい特性を持つのである。これに対しては前述した内容を参考して、詳細な説明は略する事にする。
【０３７１】
2011516959.tif 000017
【０３７２】
図６１は水平加圧入力および傾け入力に対するベクターを図示した例示図である。
【０３７３】
図６１を参照すれば、水平加圧入力および傾け入力の組み合わせによる入力もこれらを明確に区分することが必要である。
【０３７４】
図６１の（ａ）、（ｂ）と同じく水平加圧入力は水平方向圧力（ＰＨ３）が主がなり、移動（Ｍ３）があるとかないことがある。また図６１の（ｃ）、（ｄ）のように傾け入力の場合対角圧力（ＰＤ４）が主がなる。ただ、水平加圧入力と傾け入力を組み合わせて使用する場合、前述した例の中に水平加圧後垂直加圧する例は使用するのは多少混乱である。これは水平加圧（ＰＨ４）後垂直加圧（ＰＶ４）を通じて傾け入力を区分する場合水平加圧入力の水平加圧（ＰＨ３）と傾け入力の水平加圧（ＰＨ４）のようなベクターを持つため区分が難しくて、区分するように設定する場合入力の速度が大きく落ちることができる。すなわち、水平加圧入力および傾け入力の組み合わせで水平加圧（ＰＨ３）後、垂直加圧（ＰＶ４）を通じて傾け入力を具現することは可能だが、勧めるほど事項ではない。
【０３７５】
したがって、水平加圧入力および傾け入力を容易に区分するためには傾け入力が相対的に大きい値を持つ垂直圧力（ＰＶ４）の存在有無を判別するとか、対角圧力（ＰＤ４）の大きさ、対角の角度を直接測定して水平加圧入力および傾け入力を区分することが望ましい。しかし、こうため本発明を限定することではない。
【０３７６】
第１方向入力＋第２方向入力＋第３方向入力によるデータ入力
本発明によるデータ入力方法は前述したように加圧入力、接触移動入力、水平加圧入力および傾け入力の中である２つを選択して第１および第２方向入力で組み合わせてデータ入力の便宜性を向上させることができる。それだけではなく、これから説明するように本発明によるデータ入力方法は加圧入力、接触移動入力、水平加圧入力および傾け入力の中でいずれか３つを選択して第１から第３の方向入力で組み合わせてこれを通じてデータ入力を実行することも可能である。
【０３７７】
前述した第１および第２方向入力の組み合わせは２つの入力動作を組み合わせて実行することで易しく使用が可能である。しかし、第１および第２方向入力組み合わせによる入力は入力することができるデータの種類と量が制限的で、多様なデータの入力のためには継続的に入力配列を変更しなければならない多少の不便さがあることがある。このような不便さは方向入力の組み合わせを拡大して容易く解決するのが可能である。
【０３７８】
前述したように本発明のデータ入力方法では加圧入力、接触移動入力、水平加圧入力および傾け入力によって入力が容易いように従来と違い方位（Ｄ）を持つ入力配列（１）を利用する。この入力配列（１）は説明したように使用者が入力のために入力面（１４）と接触された位置を中心に放射状で入力可能なデータまたは命令語を配列した形態である。そのため方位（Ｄ）の数にしたがって多くの量のデータと命令語を配列することができるし、このような入力配列（１）を多様に構成することで既存のキーボードを通じ入力することができるデータの量および種類より多い量、多くの種類のデータを容易に入力することができる。また、入力手段（３）を入力面（１４）から引き離さず連続的に入力することができる便宜性および迅速性を提供する。さらに、入力の正確性および迅速さを具現するために区分が容易い入力動作を通じて入力動作によって入力されるデータを異にすることでデータ入力のための別途のキー配列を繰り返して呼び出さなければならない不便さを最小化する。このような便宜性は方向入力の組み合わせが増えるほどもう少し向上させることができる。以下ではこのような例の一環で加圧入力、接触移動入力、水平加圧入力および傾け入力の中でいずれか３個を選択してこれを組み合わせることでデータを入力する例に対して説明する事にする。
【０３７９】
以下では記載した手順によって第１から第３の方向入力だと定義してこれに対して説明するが、このような正義が入力の手順を規定することではない。すなわち、第１から第３の方向入力というのは前述した４種類入力動作の中でいずれか３種類を選択して組み合わせたことだと考えてもかまわない。同時に、前述した第１および第２の方向入力組み合わせによるデータ入力と類似したり等しい特性に対しては以下で詳細な説明を略する事にする。しかし、省略された説明が前述した例に対してのみ適用されて以下で適用されないことではない。
【０３８０】
前述した加圧入力、接触移動入力、水平加圧入力および傾け入力を組み合わせて第１から第３の方向入力を具現する場合次のような４種類組み合わせを作ることができる。以下でこれらの組み合わせそれぞれの入力例と組み合わせの時入力を容易に区分することができる方法に対していつくかの例を通じて詳細に説明する事にする。
【０３８１】
１）加圧入力、接触移動入力および水平加圧入力によるデータ入力
図６２は第１から第３の方向入力によるデータ入力のための入力配列の例を図示した例示図である。図６３は加圧入力、接触移動入力および水平加圧入力の組み合わせによったデータ入力の例を説明するための例示図である。
【０３８２】
図６２および図６３を参照すれば、第１から第３方向入力を組み合わせてデータを入力する方法は文字だけではなく命令語、機能呼び出しのような入力においても便利さを現わす。ハングル文字の場合第１方向入力が初声、第２方向入力が中声、第３方向入力が終声を担当するようにするとか、第１方向入力が初声および終声を、第２方向入力が中声を、第３方向入力がピリオド、疑問符、感嘆符、休止符のような記号文字を入力することに使われるようにすることができる。または、第１方向入力が初声および終声の音素を、第２または第３の方向入力の中でいずれか１つが硬音を担当するようにすることも可能である。また、中国語、日本語のような外国文字を入力する場合、既存キーボードに表示しにくい基本文字を入力配列の多元化を通じて表示および入力に利用することも可能である。さらに、機能呼び出しの場合第１方向入力がメインメニューを呼び出し、第２方向入力が副メニューを呼び出すようにし、第３方向入力が副メニューの機能を選択するように入力配列（１）を設定することも可能であり、これを通じて文書編集機、グラフィック編集機、プログラム作成機のような多様なソフトウェアを便利で早く使うことができるようにすることも可能である。さらに、最近のゲームのように多様な命令と機能を非常に早い速度で入力しなければならない場合キャラクターの選択、選択されたキャラクターの移動、キャラクターの動作命令をこのような入力配列（１）および方向入力の組み合わせを通じて便利と容易く実行するのが可能である。このような入力の便宜性はただ第１から第３の方向入力にだけ限るのではなく前述した第１および第２方向入力の組み合わせ、後述する第１から第４方向入力の組み合わせによったデータ入力でも共に適用される。ただ、必要によって第１から第４の方向入力の中、適当な組み合わせを適用するのが望ましい。しかし、こういうわけで本発明を限定することではない。
【０３８３】
2011516959.tif 000018
【０３８４】
2011516959.tif 000019
【０３８５】
図６４は加圧入力、接触移動入力および傾け入力のベクターを図示した例示図である。
【０３８６】
図６４を参照すれば、加圧入力、接触移動入力および傾け入力の組み合わせのように複数の方向入力を組み合わせて使用する場合、これらを明確に区分することがデータ入力のカギになる。そのため、加圧入力、接触移動入力および傾け入力それぞれの圧力および移動に対するベクターを通じてお互いを明確に区分するのが必要である。
【０３８７】
図６４と同じく傾け入力の場合、実在的な入力においては入力の実行のため垂直方向圧力（ＰＶ１）および方位（Ｄ）選択のための多少の移動（Ｍ１）が生ずることがあることをすでに言及した事がある。また、接触移動入力においても、入力の実行のための移動（Ｍ２）外に接触を維持するための最小限の垂直方向圧力（ＰＶ２）が発生することができる。同じく、水平加圧入力も、水平方向圧力（ＰＨ３）とともに垂直方向圧力（ＰＶ２）が発生することができる。
【０３８８】
これを通じて、分かるように加圧入力、接触移動入力および水平加圧入力を組み合わせて使う場合、各入力を区分するために垂直方向圧力（ＰＶ）に対する基準値、水平方向圧力（ＰＨ）に対する基準値、移動（Ｍ）に対する基準値を設定して、これらの中の１つ以上の基準を適用して入力を区分することが可能である。例をあげると加圧入力の場合垂直方向圧力（ＰＶ１）が他の入力らに比べて非常に大きくて、接触移動入力の場合他の入力らに比べて移動（Ｍ２）の大きさが大きい。また、水平加圧入力の場合他の入力に比べて水平方向圧力（ＰＨ）が非常に大きいため、基準値に対して大きい小さいのを選り分けてこれらを容易に区分するのが可能である。
【０３８９】
２）加圧入力、接触移動入力および傾け入力によるデータ入力
図６５は加圧入力、接触移動入力および傾け入力の組み合わせによるデータ入力を説明するための例示図である。
【０３９０】
2011516959.tif 000020
【０３９１】
図６６は加圧入力、接触移動入力および傾け入力に対するベクターを例示的に図示した例示図である。
【０３９２】
図６６で（ａ）は加圧入力、（ｂ）は接触移動入力、（ｃ）および（ｄ）は傾け入力のベクターを例示的に図示したものである。すでに説明したように、加圧入力は垂直方向圧力（ＰＶ１）に方位選択のための少しの移動（Ｍ１）があり得る。また、接触移動入力は移動（Ｍ２）とともに接触の維持のための最小の垂直方向圧力（ＰＶ２）が存在することができる。一方、前述したことによれば、傾け入力のために直接対角圧力（ＰＤ４）を加える方法、水平方向圧力（ＰＨ４）の後垂直方向圧力（ＰＶ４）を加える方法、垂直方向圧力（ＰＶ４）の後水平方向圧力（ＰＨ４）を加える方法に対して言及した事がある。この中垂直方向圧力（ＰＶ４）の後水平方向圧力（ＰＨ４）を加える方法は加圧入力によって具現するのが多少難しいことがある。そのため、傾け入力を具現するために対角圧力（ＰＤ４）を加える方法、水平方向圧力（ＰＨ４）の後垂直方向圧力（ＰＶ４）を加える方法の中でいずれか１つを利用することがさらに容易である。
【０３９３】
この場合、垂直方向圧力（ＰＶ）だけ存在すれば加圧入力で認識して、移動（Ｍ２）と基準値以下の垂直方向圧力（ＰＶ２）が発生すれば接触移動入力で認識するようにして、加圧入力と接触移動入力を区分することができる。また、対角圧力（ＰＤ４）の発生を認知するとか、水平圧力（ＰＨ４）認知、水平圧力（ＰＨ４）発生の後、垂直圧力（ＰＶ４）が発生する場合これを認知して傾け入力を認識するようにすることができるし、これを通じて加圧入力、接触移動入力および傾け入力を容易に区分することが可能である。
【０３９４】
３）加圧入力、水平加圧入力および傾け入力によるデータ入力
図６７は加圧入力、水平加圧入力および傾け入力によるメニュー呼び出しを説明する入力配列の例を図示した例示図である。そして、図６８は図６７の入力配列を利用して実際メニューを呼び出す例を図示した例示図である。
【０３９５】
図６７および図６８を参照すれば、前述したように第１から第３の方向入力を組み合わせて文字データだけではなく各種命令およびメニューの呼び出しに利用することができる。
【０３９６】
図６７に図示された入力配列（１１１：１１１ａ、１１１ｂ、１１１ｃ）はメニューの呼び出しのための機能が羅列された例を図示したことで、電子文書作成機の一部のメニューを例えて図示した。
【０３９７】
図６７の（ａ）、（ｂ）および（ｃ）はそれぞれ第１から第３の方向入力を図示したもので、（ａ）はメインメニュー（１１１ａ）、（ｂ）は副メニュー（１１１ｂ）、（ｃ）は副メニューの選択項目（１１１ｃ）を図示したものである。これらはそれぞれ加圧入力、水平加圧入力および傾け入力に割り当てされてそれぞれの入力に対する入力配列（１１１）に利用される。同時に、加圧入力の場合１つの入力配列（１１１）でメインメニュー（１１１ａ）のすべての項目を配列するのが可能だが、副メニュー（１１１ｂ）および選択項目（１１１ｃ）の場合メインメニュー（１１１ａ）の各項目によって異なる項目の入力が可能になるように設定されなければならない。そのため、副メニュー（１１１ｂ）および選択項目（１１１ｃ）はメインメニュー（１１１ａ）の各項目および副メニュー（１１１ｂ）の項目によって複数で設定されて用意することができる。
【０３９８】
図６８の入力によってメインメニュー（１１１ａ）、副メニュー（１１１ｂ）および選択項目（１１１ｃ）を呼び出して１つの機能を具現する例を説明すれば次のようである。使用者がメインメニュー入力配列（１１１ａ）の中、入力（ＤＡ３）項目の選択のために第３方位加圧入力（ＤＡＰ３）を実行する。これによって第２入力配列（１１１ｂ）が活性化になって選択した入力項目（ＤＡ３）に対する副メニューらが副メニュー入力配列（１１１ｂ）で提供される。これによって使用者が第１方位水平加圧入力（ＤＢＳ１）によって識別項目入力（ＤＢ１）を選択すれば、識別項目選択（ＤＢ１）の下位選択項目が第３入力配列（１１１ｃ）を通じて使用者に提供される。この第３入力配列（１１１ｃ）が活性化になれば使用者はこの中でいずれか１つを選択してのぞむ機能を呼び出すようになる。図６８では第３方位傾け入力（ＤＣＬ３）によって請求項入力（ＤＣ３）機能を呼び出す例を図示した。このような方法を利用して、多様な文書作成、インターネットエクスプローラ、ゲームのような多様なプログラムに適用して利用するのが可能である。このような適用は以後説明する第１から第４の方向入力によっても実行が可能であり、メニュー項目によって方向入力の数を別にして適用することも可能である。
【０３９９】
図６９は加圧入力、水平加圧入力および傾け入力のベクターを図示した例示図である。
【０４００】
図６９を参照すれば、加圧入力、水平加圧入力および傾け入力は図６９の（ａ）、（ｂ）、（ｃ）のようなベクターを持つことができる。この中傾け入力は図６９には図示されていなかったが、前述したように水平方向圧力（ＰＨ４）と垂直方向圧力（ＰＶ４）の合によって表示または具現されることができる。ただ、加圧入力および水平加圧入力が大体的に垂直方向圧力（ＰＶ１）または水平方向圧力（ＰＨ３）によって構成されるため傾け入力を水平方向圧力（ＰＨ４）と垂直方向圧力（ＰＶ４）の合で表現する場合これらを区分するのは多少混乱になる。そのため加圧入力による垂直方向圧力（ＰＶ１）、水平加圧入力による水平方向入力（ＰＨ３）および傾け入力による対角圧力（ＰＤ４）をそれぞれ認知して入力を区分することが望ましい。しかし、このため本発明を限定することではない。
【０４０１】
４）接触移動入力、水平加圧入力および傾け入力によるデータ入力
図７０は接触移動入力、水平加圧入力および傾け入力によるデータ入力の例を説明するための図面である。
【０４０２】
図７０ではゲームのキャラクターに対する命令を処理するための入力配列（２１１：２１１ａ、２１１ｂ、２１１ｃ）と接触移動入力、水平加圧入力および傾け入力による動作の実行命令の入力例が図示されている。図７０の（ａ）は移動のための入力配列（２１１ａ）であり、（ｂ）および（ｃ）は動作のための入力配列（２１１ｂ，２１１ｃ）の例である。
【０４０３】
使用者がゲームを進行する中に１つのキャラクターを選択したと仮定すれば、第１方向入力と移動入力配列（２１１ａ）を利用してキャラクターの移動を制御することができる。ここでは接触移動入力を第１方向入力で仮定したし、これによる移動命令の入力が（ｄ）に図示されている。使用者によって選択されたキャラクターが第１方位接触移動入力（ＤＡＴ１）、第２方位接触移動入力（ＤＡＴ２）および第３方位接触移動入力（ＤＡＴ３）によってのぞむ位置へ移動される。
【０４０４】
引き継いで、移動されたキャラクターによってゲーム内に特定ユニットを生成させるとか、移動させるとか、撤去または修理するように命令を下すことができる。このために使用者がキャラクターによってユニットを生成するように第２方位水平加圧入力（ＤＢＳ２）によって機能入力配列（２１１ｂ）の生成を選択するようにする。引き継いで、生成にあたる下位機能が下位入力配列（２１１ｃ）によって活性化になる。使用者は下位入力配列（２１１ｃ）中生成をのぞむユニットを選択するようになり、このために第１方位傾け入力（ＤＣＬ１）を通じてユニットの生成を選択するようになる。
【０４０５】
実際ゲームに適用する場合このような入力配列（２１１）と命令の入力は例示されたこととは多少相異になっていることができる。しかし、本発明の入力動作を組み合わせたデータ入力方法は前述した実施例らを通じて分かるように文字のようなデータ入力だけではなく多様なプログラムに適用して使用することが可能である。
【０４０６】
同時に、別途の図面に図示していなかったが、接触移動入力、水平加圧入力および傾け入力は垂直方向圧力（ＰＨ）と対角圧力（ＰＤ）によって入力間の区分を容易に実行することができるし、これを通じて迅速と正確なデータ入力処理が可能である。
【０４０７】
第１方向入力＋第２方向入力＋第３方向入力＋第４方向入力によるデータ入力
図７１は第１から第４の方向入力によるデータ入力の例を説明するための入力配列を図示した例示図である。
【０４０８】
図７１を参照すれば、本発明によるデータ入力方法は加圧入力、接触移動入力、水平加圧入力および傾け入力をすべて組み合わせてデータ入力方法を具現することもできる。前述したそれぞれの入力の例らを通じて分かるように、第１から第４の方向入力に対する入力配列を設定することによって入力することができるデータの量と種類が多様になる。特に、このようなデータを圧力の大きさ、圧力の方向、圧力の種類、移動の可否、方位（Ｄ）、以前入力の終了可否、入力の発生可否によって弁別される前述した４種類動作によって入力することで多様性、迅速性、正確性および便利性を確保することができる。特に、このような入力方法はタッチスクリーン、タッチパッドのような接触式入力装置、画面の大きさが限定的な入力装置に適用が有利であり、また入力面、入力装置の大きさや種類に無関係に使用することができる長所がある。
【０４０９】
このような特徴は第１から第４の方向入力の組み合わせによるデータ入力でさらに目立つ。特に、常に第１から第４の方向入力を使用するようにすることも可能だが、必要によって第１から第４の方向入力の中で一部を選択して使用するようにする場合入力の便宜性と適用性がさらに優秀になる。
【０４１０】
一例で図７０と同じく文字を入力する入力配列（３１１：３１１ａ、３１１ｂ、３１１ｃ、３１１ｄ）が提供されることができる。第１から第４方向入力を文字入力に使用する場合第１方向入力によって言語、数字、特殊文字の選択が成り立つことができるし、第２方向入力および第３方向入力または第４方向入力によって選択された言語に対する音素の配列が提供されて、文字の入力が成り立つことができる。
【０４１１】
また、前述したように使用者任意に入力を実行することで連続的な入力でも断続的な入力でも便利に使用することが可能である。さらに、このような入力配列は単純に文字の入力にだけ使用されることではなくて、ゲームのような早くて易しく命令を入力しなければならないプログラム、グラフィックのように多様な命令を纎細に入力しなければならないプログラムなどに幅広く使用されることができる。
【０４１２】
ただ、このような第１から第４の方向入力によるデータ入力方法で注意するべき部分が入力動作を明確に区分する事である。
【０４１３】
図７２は加圧入力、接触移動入力、水平加圧入力および傾け入力に対するベクターが図示されている。加圧入力、接触移動入力、水平加圧入力および傾け入力の区分のためにはまず、移動の可否を判別して接触移動入力を区分して、垂直方向圧力（ＰＶ）の大きさと有無によって加圧入力を区分することができる。また、水平方向圧力（ＰＨ）の有無および大きさによって水平加圧入力を判別し、対角方向の圧力または水平および垂直方向圧力（ＰＶ、ＰＨ）の混在可否によって傾け入力を判別することが可能である。さらに、前述した第１および第２の方向入力の組み合わせ、第１から第３方向入力の組み合わせと同じく多様な要素を比較すれば、４種類入力動作に対して明確な区分が可能であり、これを通じて本発明のデータ入力方法を具現することができる。
【０４１４】
図７３および図７４は接触移動入力の他の具現例を図示した例示図らとして、図７３は接触移動入力を２段で区分する方法を説明するための例示図で、図７４は２段に区分される接触移動によるデータ入力の例を図示した例示図である。
【０４１５】
図７３および図７４を参照すれば、接触移動入力は図示されたように等しい方位（Ｄ）に実行されるとしても、接触移動入力の長さ（ｌ：ｌ１、ｌ２、ｌ３）または接触移動にかかった時間によって他のデータの入力で区分することが可能である。すなわち、等しい方位で接触移動入力が発生しても接触移動の距離（ｌ）によって他の入力でみなすことが可能である。まず接触移動の距離（ｌ）が相対的に短い入力を１段入力、相対的に接触移動の距離（ｌ）が長い入力を２段入力だと仮定する時、２段接触移動入力は１段に比べて少なくとも第３の長さ位（ｌ３）くらい長い長さを持つ。また、接触移動入力を長さによって多段で区分する場合、押す入力、水平加圧入力および傾け入力との区分のために最小移動距離が第１長さ（ｌ１）以上の移動が発生した場合接触移動入力で認知するようになる。そして、このような移動の距離が第１および第２移動距離の合距離（ｌ１＋ｌ２）に比べて長くて第１から第３長さの合距離（ｌ１＋ｌ２＋ｌ３）より小さな場合１段接触移動入力で認知するようになる。一方、接触移動による移動距離が第１から第３の長さの合距離（ｌ１＋ｌ２＋ｌ３）より長くなれば、この時の接触移動入力を２段接触移動入力で認知するようになる。ここで合距離は等しい方位に進行された接触移動の長さだけを合距離に含むようになる。このように接触移動入力を長さによって２段で構成する場合前述した第１から第４方向入力らによる組み合わせがさらに増大して、入力装置の限界によって第１から第４の方向入力らすなわち、加圧入力、接触移動入力、水平加圧入力および傾け入力の中でいずれか１つを使用することができない場合にも多段接触移動入力によって取り替える効果を期待することができる。
【０４１６】
図７５および図７６は水平加圧入力を圧力によって多段で区分してデータを入力する方法を説明するための例示図らとして、図７５は圧力による水平加圧入力の区分を説明するための例示図であり、図７６は水平加圧入力によったデータ入力例を説明するための例示図である。
【０４１７】
図７５および図７６を参照すれば、水平加圧入力も前述した接触移動入力のように圧力の大きさ、圧力の維持時間および圧力が加えられた軌跡の長さの中１つ以上により、２段以上に区分してデータ入力のために利用されることができる。ただ、この場合にはデータ入力装置に圧力の大きさ、圧力の維持時間および圧力が加えられた軌跡の長さの中いずれか１つ以上を弁別することができるセンサーまたは手段が含まれて構成されなければならない。
【０４１８】
図７５は多段水平加圧入力の中で相対的に小さい圧力による第１水平加圧入力（ＤＳ）と相対的に大きい圧力による第２水平加圧入力（２ＤＳ）に対して図示されている。
【０４１９】
このような多段水平加圧入力は前述した多段接触移動入力のように加圧入力、接触移動入力および傾け入力中の１つ以上と組み合わせてデータ入力に利用されることができる。また、入力装置で加圧入力、接触移動入力および傾け入力の中でいずれかものを認知することができない場合水平加圧入力を多段で構成して使用することができない入力を代置することが可能である。
【０４２０】
同時に、多段水平加圧入力は多段接触移動入力と同じく圧力による区分外に方位（Ｄ）による区分を持つことで他の入力らと同じく連続的な入力が可能である。
【０４２１】
図７７は本発明によるデータ入力装置を図示した構成例示図である。
【０４２２】
図７７を参照すれば、本発明によるデータ入力装置（１０１）は入力部（２０）、制御部（１１０）、メモリー部（１２０）および出力部（１８０）を含んで構成される。
【０４２３】
入力部（２０）は使用者による入力を電気信号で変換して制御部（１１０）に提供する。このために入力部（２０）は入力手段（３）によって入力が成り立つように入力パッド（１１２）とセンサー（１６０）を含んで構成される。このような入力部（２０）は制御部（１１０）と有線および無線によって繋がれることができる。また、入力部（２０）は出力部（１８１）と一体型で構成されて使用者の便宜性を向上させることができる。すなわち、出力部（１８１）上に入力部（２０）が配置されて出力部（１８０）を通じて出力される情報を使用者が直接選択するようにし、使用者にとって出力部（１８１）上に直接入力を実行することのような感じを持つようにできる。しかし、こうため本発明を限定することではない。ここで図７７に点線に表示された出力部（１８１）は入力部（２０）と出力部（１８１）が一体型である例を説明するためのことで、入力部（２０）と分離した出力部（１８１）とほぼ等しい機能を持つ。また、出力部（１８１）と入力部（２０）が一体型で構成される場合、入力部（２０）は出力部（１８１）上に配置されて出力部（１８１）の内容を投映するように構成され、使用者は入力面（１４）を通じて出力内容を確認することができるようになる。同時に、図示されたように入力部（２０）と一体型である出力部（１８１）および入力部（２０）と分離した出力部（１８０）をすべて具備するのも可能であり、このため本発明を限定することではない。
【０４２４】
入力パッド（１１２）は使用者によってデータが入力される物理的な領域として提供される。入力パッド（１１２）は紙のような役目を実行して、使用者は入力パッド（１１２）上に入力手段（３）を利用してデータを入力するようになる。この入力パッド（１１２）は透明なプラスチック合成樹脂類の材料、硝子およびこれに等価材料を利用して一定な厚さのフィルム、ボードのような形態に形成される。特に、入力パッド（１１２）は前述した加圧入力、接触移動入力、水平加圧入力および傾け入力の便宜のために弾性を持つ物質を利用して圧力を収容するようにすることが望ましいがこのため本発明を限定することではない。入力パッド（１１２）の端、下部および入力パッド（１１２）の自体の中である１ヶ所以上に圧力、接触、移動を感知するための多様な形態、多数のセンサー（１６０）およびこれに部属構成が設置されることができる。ここで、センサー（１６０）は静電容量測定または静電容量分路法（Ｃａｐａｃｉｔｉｖｅ  Ｓｈｕｎｔ  Ｍｅｔｈｏｄ）のような方法を利用してセンシングができて、この場合入力パッド（１１２）にはメッシュ（Ｍｅｓｈ）またはメトリックス（Ｍａｔｒｉｘ）形態の導線が形成されることができる。しかし、このため本発明を限定することではない。
【０４２５】
センサー部（１２０）は入力パッド（１１２）を通じる使用者の接触および動作を感知してこれを電気信号化して制御部（１１０）へ伝達する。すなわち、センサー部（１２０）は使用者によって入力パッド（１１２）を接触することで発生する加圧入力、接触移動入力、水平加圧入力および傾き入力による圧力、移動、接触、圧力および移動の方向、圧力の大きさ、圧力の方向、移動長さと同じ要素を感知して感知結果を制御部（１３０）に伝達する。このために、センサー部（１２０）は接触感知センサー、圧力感知センサー、変位センサー、加速度センサー、触覚センサーおよびこれに等価センサーを１つ以上設置するとか一種類以上を混合設置して構成されることができる。このようなセンサー部（１２０）の設置位置および設置方法はセンサーの種類、センサーの感度、センサーの大きさ、センサーの感知対象のようなセンサーの特性によって選択されるべきである。本発明では加圧入力、接触移動入力、水平加圧入力および傾け入力の容易な感知および具現のために第１から第３のセンサー（１２１、１２２、１２３）を含み構成されて、各センサー（１２１、１２２、１２３）がそれぞれ入力パッド（１１２）に加えられる水平圧力、垂直圧力、接触を感知することで仮定する。すなわち、第１センサー（１６１）が入力パッド（１１２）に加えられる水平方向圧力（ＰＨ）の可否、水平方向圧力（ＰＨ）の大きさ、水平方向圧力（ＰＨ）の方向および水平方向圧力（ＰＨ）による変化を測定して、第２センサー（１６２）が垂直方向圧力（ＰＶ）の可否、垂直方向圧力（ＰＶ）の大きさ、垂直方向圧力（ＰＶ）の方向および垂直方向圧力（ＰＶ）による変化を測定して、第３センサー（１６３）が接触発生可否、接触の方向（または方位）、接触による移動距離および接触による変化を測定することで仮定した。しかし、このため本発明を限定することではなく、なおかつ第１から第３のセンサー（１２１、１２２、１２３）がセンサーの数および種類を限定することではない。すなわち、第１から第３のセンサー（１２１、１２２、１２３）は複数の多様な種類のセンサーを混合して使うことが可能であり、１つのセンサー、一種類のセンサーをお互いに共有して使用することも可能である。言い換えれば、第１から第３のセンサー（１２１、１２２、１２３）という名称は説明の便宜のために使われた用語で、このような用語が物理的なセンサーの数および種類を限定することではない。このような、第１から第３のセンサー（１２１、１２２、１２３）は光センサー、圧力センサー、磁気センサー、静電容量センサー、電磁気センサー、超音波センサーおよびこれに等価センサーを１つ以上、一種類以上使って構成されることができるし、これによってセンサーの構成は本実施例の構成と多少相異になることができる。ただ、センサーの構成が変わるとしても、本発明と同じく、圧力、圧力の変位、圧力の持続時間、圧力下の移動、接触下の移動を感知することができたら、本発明によるデータ入力方法を具現するのが可能であり、本発明の実施例を応用した例として見ることができるだろう。
【０４２６】
第１センサー（１６１）は入力パッド（１１２）に加えられる水平方向圧力（ＰＨ））を感知してこれを電気信号で変換して制御部（１１０）に伝達する。このために第１センサー（１６１）は入力パッド（１１２）の下部、すなわち、使用者によって接触が発生する面と対面する面に設置されるとか、入力パッド（１１２）の端、すなわち、入力が発生する面と水平方向の終端に多数のセンサーを設置して構成することができる。しかし、このため本発明を限定することではない。この第１センサー（１６１）は水平方向圧力（ＰＨ）の感知のために圧力センサー、磁気センサーおよびこれに等価センサーを含むセンサーによって構成が可能である。
【０４２７】
第２センサー（１６２）は入力パッド（１１２）に加えられる垂直方向圧力（ＰＶ）を感知してこれを電気信号で変換して制御部（１１０）に伝達する。このために第２センサー（１６２）は第１センサー（１６１）と同じく入力パッド（１１２）の下部、入力パッド（１１２）の端に設置されるとか剪断力を感知するセンサーであることができるが、このため本発明を限定することではない。
【０４２８】
第３センサー（１６３）は第１センサー（１６１）および第２センサー（１６２）を補助して、入力パッド（１１２）に加えられる使用者の接触を感知して、これを電気信号で変換し制御部（１１０）に伝達する。第３センサー（１６３）も第１および第２センサー（１２１、１２２）と類似に設置が可能であり、このため本発明を限定することではない。
【０４２９】
制御部（１１０）は入力部（２０）、メモリー部（１２０）、出力部（１８０、１８１）を制御して、これらからの電気信号を処理して、データの入力を収容して、入力されたデータあるいは使用者が要求するデータを出力して使用者に提供する。もう少し詳細に説明すれば、制御部（１１０）は入力部（２０）の入力パッド（１１２）に加えられる使用者の接触によるデータ入力をセンサー部（１２０）からの電気信号によって認知して、これを決まった演算手続きによって処理して、データ化するとか命令を実行して命令にあたる機能を具現する。また、制御部（１１０）はデータをメモリー部（１２０）に保存するとか、保存されたデータをメモリー部（１２０）から呼び出して処理または出力して使用者に提供する。制御部（１１０）はメモリー部（１２０）に保存されたソフトウェアを利用して装置の駆動を担当して、特にメモリー部（１２０）に保存された入力動作の区分データを利用して入力パッド（１１２）に加えられる接触を加圧入力、接触移動入力、水平加圧入力および傾け入力で区分して、これによって動作または機能を実行するようになる。あいまって、制御部（１１０）は使用者の入力便宜をはかるためにメモリー部（１２０）に保存される入力配列（１、１１、１１１、２１１）データを呼び出して、これを出力部（１８０、１８１）を通じて出力する。すなわち、制御部（１１０）は出力部（１８０、１８１）を通じて仮想のキーパッドを提供して、これを通じて使用者が便利にデータを入力するように補助する。このような制御部（１１０）はコンピューター端末、携帯用電話のような携帯端末に適用される中央処理装置、ＣＰＵボードであることができるがこのため本発明を限定することではない。または制御部（１１０）を多数の演算装置をグループ化して構成することも可能である。同時に、制御部（１１０）は内部クロックまたは別途の時間演算装置を含んで構成されて、これを通じて時間の計測が可能である。
【０４３０】
メモリー部（１２０）はデータ入力装置の駆動のための各種ソフトウェアおよび制御部（１４０）を通じて伝達されるデータを保存して、制御部（１１０）の呼び出しによって提供する。このメモリー部（１２０）には入力動作を区分するための区分データおよび入力の便宜のための入力配列データが保存される。ここで、入力動作を区分する区分データは入力動作による多様な基準値および基準値に対応した判断条件と同じデータを含む。また。入力配列データは前述したように特定入力条件のもとに適合に設定された入力配列およびこれを通じて入力可能なデータが記録されて保存される。一例で前述したようにメニューを呼び出す場合、入力配列はメニューおよびメニューの下位項目に対する入力配列がそれぞれ連携されて保存される。メモリー部（１２０）は半導体メモリー、光ディスク型メモリー、磁気ディスク型メモリー、磁気テープ型メモリーおよびこれに等価メモリーを単独または混用して具現するのが可能だが、このため本発明を限定することではない。
【０４３１】
出力部（１８０、１８１）は制御部（１１０）によって駆動されてデータまたは情報を出力して使用者に提供する。この出力部（１８０、１８１）は各種表示装置によって具現されることができるし、画像表示装置、音響出力装置および印刷装置を含んで構成されることができる。特に、出力部（１８０、１８１）は平板表示装置であることができるがこのため本発明を限定することではない。そして前述したように出力部（１８１）は入力部（２０）と一体型で構成されることができるがこのため本発明を限定することではない。
【０４３２】
本発明のデータ入力装置（１０１）では入力部（２０）、制御部（１１０）、メモリー部（１２０）および出力部（１８０）に対しては構成要素を明示したし、他の構成要素に対しては省略して図示した。省略された構成要素はデータ入力装置（１０１）およびデータ入力方法の説明において必ず必要ではないことだけで、入力装置（１０１）およびデータ入力方法が具現される使用先によって構成要素が多少相異になることができる。
【０４３３】
図７８から図８０は入力パッド上での入力具現例を図示したこととして、図７８は入力フィールドと出力フィールドが区分されて利用される例を図示した例示図である。そして、図７９および図８０は出力フィールド上に入力フィールドが重複された例を図示したもので、図７９は一手または１つの入力手段によって入力が連続的に成り立つ例を図示した例示図であり、図８０は２つの入力手段に入力が複合的に成り立つ例を図示した例示図である。
【０４３４】
図７８から図８０を参照すれば、本発明によるデータ入力方法は入力部（２０）と出力部（１８０）が分離した形態の入力装置でも具現が可能だが、図示されたように入力部（２０）と出力部（１８１）が一体型である装置での具現も可能であり、さらに便利なことができる。
【０４３５】
入力部（２０）と出力部（１８１）が一体型である装置では図７８のように出力フィールド（３１３）と入力フィールド（３１４）を区分して使用するとか、図７９および図８０のように出力フィールド（３１３）と入力フィールド（３１４）を区分せず使用することも可能である。これは使用者の便宜性および装置の利用形態を考慮して決定するべき事項で、このため本発明を限定することではない。
【０４３６】
まず、図７８を参照すれば本発明によるデータ入力方法は図示されたように入力が成り立つ入力フィールド（３１４）と入力された内容および入力された命令による出力が発生される出力フィールド（３１３）が区分されて具現されることができる。この場合、入力部（２０）は入力フィールド（３１４）に制限的に具現されることができる。一方、図７８のように入力フィールド（３１４）と出力フィールド（３１３）が区分される場合、入力フィールド（３１４）または出力フィールド（３１３）には使用者の入力が容易に進行されるように入力配列（４１１）が表示されて提供されることができる。特に、前述したように入力フィールド（３１４）内で使用者が自由に入力することが可能だが、必要によって各入力動作が特定の位置で始まるようにすることも可能である。すなわち、図７８で図示された入力配列（４１１）のおおよそ中心位置で入力動作が始まって実行されるようにして入力位置を制限することも可能である。しかし、このため本発明を限定することではない。
【０４３７】
そして、図７９および図８０と同じく出力部（１８０）全部を入力フィールドとして利用するのも可能である。大型スクリーンに入力部（２０）を用意する場合前述した入力フィールド（３１４）と出力フィールド（３１３）の区分が必要なことがある。一方、小型電子機器では出力部（１８０）と入力部（２０）を一体型で形成して、出力される画面全体を入力フィールド（５１３）として利用するのが有利になることがある。
【０４３８】
一方、前述した実施例で本発明によるデータ入力は１つの入力手段（３）によって連続的に入力が成り立つとか、２つの入力手段、言わば両手を利用した連続入力が可能さを説明した事がある。図７９および図８０はこのような入力方法に対して図示した例示図である。図７９でのように本発明によるデータ入力方法は１つの入力手段（３）によって連続的に成り立つことができるし、入力位置は入力フィールド（４１３）のどの所でもかまわない。万が一入力装置が同時に２つ以上の接触および圧力を感知することができる場合図８０のように入力フィールド（５１３）の２つの所で入力を同時に進行することができる。
【０４３９】
特に、このような場合図７８のように入力配列（５１１）を出力して使用者がもう少し便利に入力を進行するようにすることができる。このような入力配列（５１１）の出力においても、図７８のように入力配列（４１１）を入力フィールド（５１３）の固定された位置に出力することもあるが、図７９および図８０のように入力手段（３）が接触される位置に沿って入力配列（４１１、５１１）の位置を変化させることができる。しかし、これは使用者の便宜性を向上させるための手段であるだけで、本発明によって制限する事項ではない。
【実施例７】
【０４４０】
次に本発明によるデータ入力装置の第７実施例に対して説明する。
【０４４１】
図８１は本発明の実施例によるデータ入力装置のブロック構成図である。
【０４４２】
前記図８１を参照すれば、本発明によるデータ入力装置はメモリー部（１２０）、タッチ感知部（１３０）、ディスプレー部（１４０）、入力判別部（１５０）および制御部（１１０）を具備する。
【０４４３】
前記メモリー部（１２０）は、放射状で成り立つタッチ入力の様態に対応する入力データまたは指令データを保存することで、この時タッチ入力の様態はタッチ形態別に区分されてそれぞれのタッチ形態また放射状で成り立つ入力方向別に細分化されて入力データまたは指令データに割り当てされるものである。
【０４４４】
前記タッチ感知部（１３０）は、タッチ入力の様態を感知することとして、感知面上で成り立つタッチ位置の感知信号を出力するがタッチ形態によってその感知信号を異にして出力する。
【０４４５】
前記入力判読部（１５０）は、前記タッチ感知部（１３０）の感知信号を判読してタッチ形態を判読してタッチ位置の変動による入力方向を判読する。これのため前記入力判読部（１５０）は、前記タッチ感知部（１３０）の感知面上のどの位置でタッチ入力が始まってもタッチ入力が始まるその位置を入力基準点で設定して設定された入力基準点で成り立つタッチ形態および入力方向を判読する。
【０４４６】
また前記入力判読部（１５０）は、タッチ形態または入力方向が転換されれば、転換点を入力基準点に再設定して、転換点の前に設定された入力基準点から転換点まで成り立ったタッチ形態および入力方向の判読結果を前記制御部（１１０）に知らせて、再設定した入力基準点（転換点）を基準で始まるタッチ入力の様態によってタッチ形態および入力方向を新たに判読することである。
【０４４７】
前記制御部（１１０）は、前記入力判読部（１５０）で判読したタッチ形態および入力方向に対応する入力データまたは指令データを前記メモリー部（１３０）で読み出して、入力データに対しては入力処理して指令データによってそれに当たる命令実行過程を処理する。
【０４４８】
前記ディスプレー部（１０４）は、前記制御部（１１０）で入力処理されるデータまたは指令データによる命令実行過程を使用者が認知するように制御部（１１０）の指示に従って出力する。
【０４４９】
図８２は本発明によるデータ入力装置の実施様態を図示した斜視図であり、図８２の（ａ）によるデータ入力装置（１００ａ）ではタッチ感知部（１３０）がタッチスクリーンで構成されてディスプレー部（１４０）と一体型に形成されて、図８２の（ｂ）によるデータ入力装置（１００ｂ）はディスプレー部（１４０）と分離したタッチパッド形態のタッチ感知部（１３０）を具備する。すなわち、本発明によるデータ入力装置においてタッチ感知部（１３０）はタッチスクリーンまたはタッチパッドで構成されることができることであり、また触覚センサーでも構成されることができることである。そして、タッチ感知部（１３０）は指（２００）やスタイラス（ｓｔｙｌｕｓ）またはタッチ入力に適切な物体に入力されたタッチ座標およびタッチ形態によって感知信号を出力することである。
【０４５０】
また、本の実施例によるデータ入力装置において、タッチ形態は接触移動形態、垂直加圧形態、中央加圧形態、水平加圧形態、傾け形態および垂直加圧移動形態中にある１つ以上を含んで成り立ち、各タッチ形態を下記の図８３から図９２を参照して説明する。
【０４５１】
接触移動形態
本実施例において、前記接触移動形態は入力基準位置を中心にして放射状に移動するが接触状態を維持しながら移動することを意味して、前記入力判読部（１５０）はタッチ感知部（１３０）の接触位置の座標が変更されることを判読してまた接触位置座標の移動方向を判読することである。
【０４５２】
図８３は前記した接触移動形態において、データが入力方向別に指定されることを見せてくれる。前記図８３によれば、接触移動は入力基準位置（１）を中心に放射状で８等分された移動方向（第１、２、３、４、５、６、７、８方向）に対してそれぞれ第１、２、３、４、５、６、７、８方向接触移動（Ｍ１、Ｍ２、Ｍ３、Ｍ４、Ｍ５、Ｍ６、Ｍ７、Ｍ８）で細分化されて、第１、２、３、４、５、６、７、８方向接触移動（Ｍ１、Ｍ２、Ｍ３、Ｍ４、Ｍ５、Ｍ６、Ｍ７、Ｍ８）に対してそれぞれ接触移動データ（ＭＤ）が指定されてメモリー部（１２０）に保存される。例えば、入力判読部（１５０）はタッチ感知部（１３０）の感知信号が接触移動形態でその接触移動方向が第１方向ならば第１方向接触移動（Ｍ１）に判読して制御部（１１０）に第１方向接触移動（Ｍ１）が成り立ったことを知らせて第１方向接触移動データが処理されるようにすることである。
【０４５３】
前記図８３では、接触移動を矢印で表示したし、このような接触移動の表示（Ｍ’）は接触移動形態を説明するにおいて理解を助けるため図示されることに留意するべきである。
【０４５４】
図８４は接触移動形態を説明するための図面である。先に図８４の（ａ）の形態で指（２００）がタッチ感知部（１３０）に触れるようになり接触面（２１０）が形成されれば、前記タッチ感知部（１３０）は前記接触面（２１０）位置に対応する接触信号を前記入力判読部（１５０）に伝達して、前記入力判読部（１５０）は伝達受ける接触信号によってタッチ基準点（２１１）を選定し、選定したタッチ基準点（２１１）を入力基準位置（１）で設定する。この時前記タッチ基準点（２１１）はあらかじめ決まるパターンによって前記接触面（２１０）中で選定されることであり、前記図８４の実施例では接触面（２１０）の中心点に選定されることであるのを見ることができる。このようなタッチ基準点（２１１）は接触面（２１０）の上端または他の位置でも設定されることができるし、以後に接触面（２１０）が変更されても等しいパターンによってタッチ基準点（２１１）は変更された接触面の中に選定される。また接触手段は指（２００）ではないスタイラスでも可能である。
【０４５５】
前記図８４の（ａ）のようにタッチ感知部（１３０）に接触が成り立って入力基準位置（１）が決まれば、前記入力判読部（１５０）は以後に前記タッチ感知部（１３０）から伝達受ける感知信号によってタッチ形態の変化および入力方向を判読することである。
【０４５６】
この時、前記図８４の（ｂ）に図示されたように指（２００）が接触状態を維持して第３方向接触移動（Ｍ３）が成り立てば、前記入力判読部（１５０）は移動前の接触面（２１０）と移動後の接触面（２１０’）の間に当たるタッチ基準点（２１１）の移動経路を把握して第３方向接触移動（Ｍ３）であることを判読することができるようになるのである。
【０４５７】
図８５は前記した接触移動の多様な様態を見せてくれる。
【０４５８】
図８５の（ａ）を参照すれば、接触移動がタッチ感知部（１３０）を横切るように成り立つことが見られるし、この時等しい方向に横切る接触移動は等しい入力で見なされることである。例えて説明すれば、第１方向接触移動（Ｍ１−１、Ｍ１−２、Ｍ１−３、Ｍ１−４、Ｍ１−５）を入力基準位置がお互いに異なるしまたタッチ感知部（１３０）で感知される接触移動の距離もお互いに相異だが等しく第１方向接触移動（Ｍ１）に判読されることである。また第４方向接触移動（Ｍ４−１、Ｍ４−２、Ｍ４−３、Ｍ４−４、Ｍ４−５）また等しく第４方向接触移動（Ｍ４）に判読されることである。このような接触移動様態はタッチ感知部（１３０）の面積が小さく製造されても接触移動入力が容易く入力される可能性があることを見せてくれる。
【０４５９】
図８５の（ｂ）を参照すれば、タッチ感知部（１３０）上でどの位置を入力基準位置（１）で選択したりそして接触移動距離を短くまたは長くしたり等しい移動方向なら等しい入力に判読されることを見せてくれる。例えて説明すれば、第１方向接触移動（Ｍ１−６、Ｍ１−７、Ｍ１−８）は入力基準位置（１）と移動距離が相異なっていても等しい第１方向接触移動（Ｍ１）に判読されることでまた前記図８５の（ａ）の第１方向接触移動（Ｍ１−１、Ｍ１−２、Ｍ１−３、Ｍ１−４、Ｍ１−５）とも等しい入力に判読されることである。
【０４６０】
図８６は接触移動の連続入力様態を説明するための図面である。
【０４６１】
図８６の（ａ）によるタッチ入力形態は、「１」位置をタッチして、以後に前記「１」位置を出発点にして第１方向接触移動（Ｍ１）の第３方向接触移動（Ｍ３）をぞくぞく入力して「２」位置でタッチを解除することである。このようなタッチ入力を受ければ入力判読部（１５０）は「１」位置を入力基準位置（１）で設定して以後にタッチ形態および入力方向を判読して、第１方向接触移動（Ｍ１）が転換点（１−ａ）で変更されることが分かるによって「１」位置で転換前（１−ａ）までの接触移動による判読結果を制御部（１１０）に伝達して「Ｍ１」データ（図８３の（ｂ）に図示された接触移動の移動方向によるデータ）を入力処理するようにして、入力基準位置を転換点（１−ａ）として再設定して再設定された入力基準位置（１−ａ）で始まるタッチ形態および入力方向を判読し始める。そして、前記入力判読部（１５０）は「２」位置でタッチが解除されるのを分かることによって再設定された入力基準位置（１−ａ）でタッチ解除位置（２）まで判読したタッチ入力形態（ここでは第３方向接触移動（Ｍ３））を前記制御部（１１０）に伝達して「Ｍ３」データ（図８３の（ｂ）に図示された接触移動の移動方向によるデータ）を入力処理するようにする。したがって、前記制御部（１１０）は前記図８６の（ａ）によるタッチ入力に対して「Ｍ１」データおよび「Ｍ３」データを処理することである。
【０４６２】
図８６の（ｂ）では前記図８６の（ａ）と等しく「Ｍ１」データおよび「Ｍ３」データを入力処理するが、その入力様態は相異であることが見られる。すなわち、前記図８６の（ｂ）によるタッチ入力様態はタッチが始まる位置（１−１）と転換点の位置（１−１ａ）とタッチ解除位置（２−１）と第１方向（Ｍ１−１）および第３方向（Ｍ３−１）の移動距離も前記図８６の（ａ）とは相異だが、処理されるデータ（「Ｍ１」および「Ｍ３」）は等しい。
【０４６３】
したがって、本発明によるデータ入力装置はタッチ形態（前記図８６では接触移動形態）の転換なく移動方向だけ転換される場合に移動方向の転換点ごとに入力基準位置を再設定して移動方向の判読結果によって入力処理することである。
【０４６４】
図８７は本発明の実施例による接触移動のもう１つの様態を説明するための図面である。
【０４６５】
図８７の（ａ）を参照すれば、「１」位置でタッチが始まって「２」位置でタッチが解除される間に第１、３、２、８、６方向接触移動（Ｍ１、Ｍ３、Ｍ２、Ｍ８、Ｍ６）が方向転換されて相次がれて成り立つことが見られるし、このような入力様態によって制御部（１１０）は「Ｍ１」、「Ｍ３」、「Ｍ２」、「Ｍ８」、「Ｍ６」データを順次入力処理する。
【０４６６】
そして、図８７の（ｂ）はタッチの始め位置（１−１）と解除位置（２−２）と各接触移動の方向が相異なっているが変換される移動方向の入力順序は等しいので前記図８６の（ｃ）と等しい入力で処理することである。
【０４６７】
また、図８７の（ｃ）では前記図８７の（ａ）および（ｂ）と等しく第１、３、２、８、６方向接触移動（Ｍ１、Ｍ３、Ｍ２、Ｍ８、Ｍ６）が入力されるが第１、３、２方向接触移動（Ｍ１、Ｍ３、Ｍ２）が入力された後に「２−３」位置でタッチが解除された後に「１−３ａ」位置で再タッチされて残り第８、６方向接触移動（Ｍ８、Ｍ６）が入力される。また、図８７の（ｄ）では第１、３、２方向接触移動（Ｍ１、Ｍ３、Ｍ２）が入力された後に「２−４」位置でタッチが解除されて「１−４ａ」位置に再タッチされて第８方向接触移動（Ｍ８）が入力され「２−４ａ」位置でタッチ解除されて「１−４ｂ」位置に再び再タッチされて第６方向接触移動（Ｍ６）が成り立った後に「２−４ｂ」位置で再びタッチ解除される。すなわち、本発明によるデータ入力装置はこれのようにタッチ入力が中途に解除されても再タッチされた後の入力を解除前の入力に引き継いで連続に入力されることで処理する。
【０４６８】
図８８は同一方向の接触移動を連続で入力する様態を図示したものである。
【０４６９】
図８８の（ａ）では、等しい第２方向の接触移動（Ｍ２−１、Ｍ２−２）を連続で入力するために一番目第２方向接触移動（Ｍ２−１）を入力した後タッチ解除（２）および再タッチ（１−ａ）をして以後に二番目第２方向接触移動（Ｍ２−２）を入力することがわかる。すなわち、図８７の（ｃ）および（ｄ）と等しい形態でタッチを解除した後再タッチをして連続入力をすることである。
【０４７０】
図８８の（ｂ）は本発明によれば前記図８８の（ａ）とは相異な方法で同一方向の接触移動を連続入力することができることを見せてくれる。前記図８８の（ｂ）では一番目第２方向接触移動（Ｍ２−１）を入力した後に「１−１ａ」位置で入力基準位置が再設定されるようにした後に二番目第２方向接触移動（Ｍ２−２）を入力する。このように「１−１ａ」位置で入力基準位置が再設定されるようにするためで本発明の入力判読部（１５０）は、タッチ形態および入力方向を判読するにおいて入力されたタッチ形態および入力方向があらかじめ決まった止め臨界時間を超過して変動しなければ、止めで判断して止まった位置を入力基準位置に再設定することである。すなわち、一番目第２方向接触移動（Ｍ２−１）が成り立った後前記「１−１ａ」位置に至ってはあらかじめ決まった止め臨界時間を超過して移動がなければ一番目第２方向接触移動（Ｍ２−１）を入力処理して以後のタッチ形態および入力方向を判読し始めることである。
【０４７１】
垂直加圧形態
本実施例において、垂直加圧形態は入力基準位置を中心にあらかじめ設定された垂直加圧臨界半径（２２９）内に放射状に配置される垂直加圧領域（２２１、２２２、２２３、２２４、２２５、２２６、２２７、２２８）に向けて接触状態を維持し移動した後に移動した位置の垂直加圧領域を垂直に加圧するタッチ形態を意味する。
【０４７２】
図８９は前記した垂直加圧形態において、垂直加圧領域（２２１、２２２、２２３、２２４、２２５、２２６、２２７、２２８）の配置形態と、各垂直加圧領域別に指定されるデータ（ＰＤ）を見せてくれる。前記垂直加圧領域（２２１、２２２、２２３、２２４、２２５、２２６、２２７、２２８）は接触面（２１０）の中心点を基準として放射状で８等分された方向にそれぞれ配置されて、図８９の（ａ）のタッチ状態から放射状に移動して移動方向に位置した垂直加圧領域を垂直に加圧すれば当てはまる方向の垂直加圧入力が成り立つことである。そして、前記図８９の（ａ）の垂直加圧領域に対応する第１から第８方向垂直加圧（Ｐ１、Ｐ２、Ｐ３、Ｐ４、Ｐ５、Ｐ６、Ｐ７、Ｐ８）入力に対してそれぞれデータ（ＰＤ）が指定される。
【０４７３】
具体的に、前記入力判読部（１５０）は入力基準位置を設定した後に接触移動が垂直加圧臨界半径（２２９）内で止まり垂直加圧が成り立てば垂直加圧形態の入力が成り立ったことと判断して入力基準位置を中心にどの方向の垂直加圧領域に加圧が成り立ったのかを判断して最終的に該当の方向の垂直加圧が成り立ったことに判読して、判読結果を制御部（１１０）に伝達することである。
【０４７４】
図８９の（ｃ）は垂直加圧入力の一例を見せてくれる図面として、タッチして接触面（２１０ａ）が形成された状態で前記接触面（２１０ａ）のタッチ基準点（２１１ａ）で第３方向に位置する垂直加圧領域（２２３）を加圧することを見せてくれる。この時前記第３方向の垂直加圧領域（２２３）を加圧する時には接触面（２１０ｂ）が形成されてこれと同じく加圧することによって第３方向垂直加圧（Ｐ３）が入力されてデータ「Ｐ３」が入力処理される。
【０４７５】
そして、垂直加圧のタッチ形態は、本発明を説明するにおいて理解を助けるために、前記図８９に図示されたように移動方向を現わす実線と加圧点の矢印で成り立つ表示（Ｐ’）で現わした。
【０４７６】
中央加圧形態
また、前記図８９の（ａ）をまた参照すれば、接触面（２１０）の中央すなわちタッチ基準点の位置に中央加圧領域（２２０）が図示されていることが見られる。
【０４７７】
前記中央加圧領域（２２０）は本発明のタッチ形態中の１つである中央加圧が成り立つ領域として、方向移動なく入力基準位置（前記図８９の（ａ）では接触面（２１０）のタッチ基準点）を垂直に加圧することによって中央加圧が成り立ってデータ「Ｐ０」が入力処理されることである。
【０４７８】
水平加圧形態
図９０は本発明によるタッチ形態の中に水平加圧形態を説明するための図面である。
【０４７９】
本実施例において、水平加圧形態は入力基準位置を中心にあらかじめ決まった水平加圧臨界半径（２３９）内に放射状に配置される水平加圧領域（２３１、２３２、２３３、２３４、２３５、２３６、２３７、２３８）で接触状態を維持して方向移動することを意味する。また前記水平加圧形態は指（またはスタイラス）とタッチ感知部（１３０）の間の接触摩擦力によってタッチ感知部（１３０）に水平力が作用する形態で成り立つことができる。
【０４８０】
そして、各水平加圧領域（２３１、２３２、２３３、２３４、２３５、２３６、２３７、２３８）の加圧は第１、２、３、４、５、６、７、８方向水平加圧（Ｈ１、Ｈ２、Ｈ３、Ｈ４、Ｈ５、Ｈ６、Ｈ７、Ｈ８）に正義されてこれによって入力処理されるデータ（ＨＤ）はそれぞれ「Ｈ１」、「Ｈ２」、「Ｈ３」、「Ｈ４」、「Ｈ５」、「Ｈ６」、「Ｈ７」、「Ｈ８」に指定されることである。
【０４８１】
具体的に、前記入力判読部（１５０）はタッチによる入力基準位置を設定した後水平加圧が水平加圧臨界半径（２３９）内で成り立てば水平加圧入力が成り立ったことと判断して水平加圧が成り立った方向の水平加圧判読結果を制御部（１１０）に伝達する。
【０４８２】
図９０の（ｃ）は第３方向に成り立つ水平加圧（３３）の入力形態を図示したこととして、このような第３方向水平加圧（Ｈ３）はタッチによる接触面（２１０ａ）のタッチ基準点（２１１ａ）を入力基準位置にして入力基準位置を中心にする水平加圧臨界半径（２３９）内にいて第３方向水平加圧領域（２３３）に移動して水平加圧を加える形態で成り立って、移動の後接触面（２１０ｂ）が形成されることと同時に「Ｈ３」が入力処理されることである。
【０４８３】
傾け形態
図９１は本発明による傾け形態を説明するための図面である。
【０４８４】
本実施例において、傾け形態は入力基準位置を中心にあらかじめ決まった傾け臨界半径（２４９）内に放射状に配置される傾け領域（２４１、２４２、２４３、２４４、２４５、２４６、２４７、２４８）へ接触状態を維持し方向移動して該当の傾け領域を加圧するが、方向移動して漸次的に加圧力を増加させながら移動することを意味する。すなわち、前記の傾け形態はタッチ感知部（１３０）の断面において傾けて加圧する形態を意味する。また、各傾け領域（２４１、２４２、２４３、２４４、２４５、２４６、２４７、２４８）の加圧は第１、２、３、４、５、６、７、８方向傾け（Ｓ１、Ｓ２、Ｓ３、Ｓ４、Ｓ５、Ｓ６、Ｓ７、Ｓ８）で正義されてこれによって入力処理されるデータ（ＳＤ）はそれぞれ「Ｓ１」、「Ｓ２」、「Ｓ３」、「Ｓ４」、「Ｓ５」、「Ｓ６」、「Ｓ７」、「Ｓ８」に指定されることである。
【０４８５】
具体的に、前記入力判読部（１５０）はタッチによる入力基準位置を設定した後傾け臨界半径（２４９）内でタッチ座標の移動が成り立ちながらますます加圧力が増加して傾け領域で加圧が止めれば傾け入力に判読してその傾けで方向また判読して判読結果を制御部（１１０）に伝達する。
【０４８６】
図９１の（ｃ）は第３方向に成り立つ傾け（Ｓ３）の入力形態を図示したこととして、このような第３方向傾け（Ｓ３）はタッチによる接触面（２１０ａ）のタッチ基準点（２１１ａ）を入力基準位置にして、入力基準位置を中心にする傾け半径（２４９）内において第３方向傾け領域（２４３）に移動して次第に加圧力を増加させながら移動する形態で成り立って、移動後の接触面（２１０ｂ）が形成されることと同時に「Ｓ３」が入力処理されるのである。
【０４８７】
垂直加圧移動形態
図９２は本発明によるタッチ形態の中に垂直加圧移動形態を説明するための図面である。
【０４８８】
前記垂直加圧移動形態は入力基準位置を垂直加圧して加圧のタッチ状態を維持して方向移動するタッチ形態を意味する。そして、前記図９２を参照すれば放射状方向によって区分される第１、２、３、４、５、６、７、８方向垂直加圧移動（ＰＭ１、ＰＭ２、ＰＭ３、ＰＭ４、ＰＭ５、ＰＭ６、ＰＭ７、ＰＭ８）が入力されればそれによるそれぞれのデータ（ＰＭＤ）が入力処理されることである。
【０４８９】
前記のように各タッチ形態に対して説明したが、本発明によるデータ入力装置は前記接触移動形態、垂直加圧形態、中央加圧形態、水平加圧形態、傾け形態および垂直加圧移動形態の中にいずれか１つ以上のタッチ形態を判読することができるように構成されることができる。
【０４９０】
また、前記図８３から図９２において、放射状で８等分して８個の入力方向が成り立つことに図示したが、本発明は入力方向の分割個数を多様な形態で設定することができる事に留意しなければならない。
【０４９１】
また、前記垂直加圧臨界半径（２２９）、水平加圧臨界半径（２３９）および傾け臨界半径（２４９）は等しい臨界半径に設定されることができる。
【０４９２】
また、前記図８９から図９２では図示されなかったが、前記垂直加圧形態、水平加圧形態、傾け形態および垂直加圧形態は、入力基準位置（１）がタッチ感知部（１３０）上のどの位置に選択されても選択された入力基準位置（１）を中心にする臨界半径内に放射状に形成される。
【０４９３】
また、前記垂直加圧領域（２２１〜２２８）、水平加圧領域（２３１〜２３８）および傾け領域（２４１〜２４８）は入力基準位置が変動されれば変動された入力基準位置を中心にして入力半径によって決まって配置され、等しい領域で決まることもできる。
【０４９４】
また、前記図８９から図９２では図示されなかったが、前記垂直加圧形態、水平加圧形態、傾け形態および垂直加圧移動形態は、前記図８６から図８８の接触移動形態と等しい様態で連続入力、タッチ解除後再タッチ連続入力、および止め臨界時間による連続入力が可能になることが望ましい。
【０４９５】
また、前記接触移動、垂直加圧形態、中央加圧形態、水平加圧形態、傾け形態および垂直加圧移動形態の中に２つ以上のタッチ形態を採用するデータ入力装置においても、前記図８６から図８８に図示された連続入力、タッチ解除後再タッチ連続入力、および止め臨界時間による連続入力が可能に構成されることが望ましい。
【０４９６】
また、本実施例によるデータ入力装置は、前記垂直加圧、水平加圧または傾け入力を実行した後に入力前段の入力基準位置（１）に原位置しても原位置へ復帰する移動形態を入力処理しないように構成されることができる。このように構成される場合にデータ入力装置は、放射状に入力される垂直加圧、水平加圧または傾けることを、タッチ感知部（１３０）に任意に選択された１つの地点の入力基準位置（１）を中心に連続入力することができることである。
【０４９７】
前記本発明の特徴を下記の図９３と図９４の例示として説明する。
【０４９８】
図９３はタッチ感知部（１３０）上で２つ以上のタッチ形態で成り立つ入力様態を例示した図面であり、臨界半径（垂直加圧臨界半径、水平加圧臨界半径および傾け臨界半径）は等しいことで仮定して図示したことに留意しなければならない。
【０４９９】
図９３の（ａ）は垂直加圧形態と水平加圧形態に入力されることとして、入力順序は「２１１−１」位置をタッチした後に前記「２１１−１」位置を中心に形成される臨界半径（２２９−１または２３９−１）内で第１方向垂直加圧（Ｐ１）をして第１方向垂直加圧（Ｐ１）をした位置（２１１−２）を中心に形成される臨界半径内で第４方向垂直加圧（Ｐ４）を入力してタッチ解除をして、また「２１１−３」位置をタッチした後に前記「２１１−３」位置を中心に形成される臨界半径（２２９−２または２３９−２）内で第７方向垂直加圧（Ｐ７）をした後に第７方向垂直加圧（Ｐ７）をした位置（２１１−４）を中心にする臨界ド半径内で第２方向水平加圧（Ｈ２）を入力してタッチを解除する。前記のようなタッチ入力によって入力判読部（１５０）は「２１１−１」位置を入力基準位置（１）で設定して以後に入力される第１方向垂直加圧（Ｐ１）を判読して制御部（１１０）で「Ｐ１」データを入力処理するようにして、「２１１−２」位置を入力基準位置（１）に再設定して以後に入力される第４方向垂直加圧（Ｐ４）を判読して制御部（１１０）で「Ｐ４」データを入力処理することができるようにして、タッチ解除後に再タッチされる「２１１−３」位置を入力基準位置（１）で設定して以後にタッチ入力される第７方向垂直加圧（Ｐ７）および第２方向水平加圧（Ｈ２）をそれぞれ判読して制御部（１１０）で「Ｐ７」および「Ｈ２」データを入力処理することができるようにする。
【０５００】
図９３の（ｂ）は接触移動形態および垂直加圧形態に入力されることとして、入力順序は「２１１−１」位置をタッチした後に第１方向接触移動（Ｍ１）をして「２１１−２」位置で止めた後前記「２１０−２」位置を中心に形成される臨界半径（２１９−２）内で第７方向垂直加圧（Ｐ７）をして、第２方向接触移動（Ｍ２）をして「２１１−４」位置に至って前記「２１１−４」位置を中心にする臨界半径（２２９−３）内で第３方向垂直加圧（２３）をしてタッチを解除する。前記のように入力されるによってデータ入力装置は「Ｍ１」、「Ｐ７」、「Ｍ２」および「Ｐ３」を順次入力処理する。
【０５０１】
図９３の（ｃ）は接触移動形態、垂直加圧形態、水平加圧形態および傾け形態で入力されることとして、「２１１−１」位置をタッチした後に第１方向接触移動（Ｍ１）をして「２１１−２」位置に移動して前記「２１１−２」位置を中心にする臨界半径（２２９−２、２３９−２または２４９−２）内で第７方向垂直加圧（Ｐ７）をした後にタッチ解除して、「２１１−３」位置を再タッチした後に前記「２１１−３」位置を中心にする臨界半径（２２９−３、２３９−３または２４９−３）内で第１方向水平加圧（Ｈ１）をして、第１方向水平加圧（Ｈ１）をした位置（２１１−４）を中心にする臨界半径内で第３方向傾け（Ｓ３）を入力して以後に第４方向接触移動（Ｍ４）をしてタッチを解除する。前記のようにタッチ入力されるによってデータ入力装置は「Ｍ１」、「Ｐ７」、「Ｈ１」、「Ｓ３」および「Ｍ４」を順次入力処理する。
【０５０２】
図９３の（ｄ）は接触移動形態、垂直加圧形態、水平加圧形態、傾け形態および垂直加圧移動形態に入力されることとして、入力順序は「２１１−１」位置でタッチした後に第８方向接触移動（Ｍ８）をして「２１１−２」位置に移動して前記「２１１−２」位置を中心にする臨界半径（２２９−２、２３９−２、２４９−２）内で第７方向垂直加圧（Ｐ７）をして、以後に第２方向垂直加圧移動（ＰＭ２）をして「２１１−３」位置に移動した後前記「２１１−３」位置を中心にする臨界半径（２２９−３、２３９−３または２４９−３）内で第２方向傾け（Ｓ２）をして第２方向傾け（Ｓ２）位置（２１１−４）を中心に第５方向水平加圧（Ｈ５）をした後にタッチを解除する。前記のようにタッチ入力されるによってデータ入力装置は「Ｍ８」、「Ｐ７」、「ＰＭ２」、「Ｓ２」および「Ｈ５」を順次入力処理する。
【０５０３】
図９４に図示された入力形態は前記図９３の例示と等しくデータを処理するが、垂直加圧、水平加圧または傾け入力をする時には入力後に入力前の入力基準位置（１）で復帰して、復帰した位置を入力基準位置（１）にして以後のタッチ入力が成り立つことが見られる。すなわち、垂直加圧、水平加圧または傾け入力が成り立った後に入力前の入力基準位置（１）で復帰しても入力判読部（１５０）は復帰の時移動した距離に対してはデータ入力で処理しないことである。
【０５０４】
前記図９３と図９４に図示したように、本発明によるデータ入力装置は接触移動形態、垂直加圧形態、中央加圧形態、水平加圧形態、傾け形態および垂直加圧移動形態の中にいずれか１つ以上のタッチ形態を採用して構成されることができる。
【０５０５】
図９５と図９６は本発明の実施例によるデータ入力装置において、タッチ感知部（１３０）から入力判読部（１５０）で伝達されるタッチ形態別信号波形図である。
【０５０６】
前記図９５と図９６に図示されたタッチ感知部（１３０）は、一般的なタッチスクリーンまたはタッチパッドに適用される構成で簡略に説明すれば、表面の弾性材質層（１３１）と、横配列に配置される上部導電層（１３２）と、縦配列に配置される下部導電層（１３４）と、前記上部導電層（１３２）と下部導電層（１３４）の間に具備される電気絶縁層（１３３）と、前記導電層（１３２、１３４）間の電気的信号変化を感知して前記構成（１３１、１３２、１３３、１３４）を支持する基板（１３５）を具備して、前記下部導電層（１３４）下端にディスプレー部をさらに具備してタッチスクリーン形態で構成されることもできる。
【０５０７】
そして、本発明によるデータ入力装置は前記のようなタッチ感知部（１３０）外にも、一般的に公知された多様な形態のタッチスクリーンまたはタッチパッドとして構成されることができるし触覚センサーでも構成されることができる事に留意するべきである。
【０５０８】
また、各信号波形図において、「Ｘ」軸はタッチ入力が成り立つタッチ感知部（１３０）の水平面相の距離を現わして、「Ｚ」軸は電気的感知信号の大きさを現わす。また、各信号波形は，接触面（２１０）のタッチ基準点（２１１）が入力基準位置（Ｘ０）から出発して「Ｘ」軸にそってタッチ移動する時に各移動経路上で感知される信号の大きさを「Ｘ」軸上に表示したものである。また、「Ｚ」軸に現わした信号の大きさが「ＦＺ２」以上ならタッチ解除状態を、「ＦＺ１」以上で「ＦＺ２」未満なら接触状態を、「ＦＺ１」未満なら加圧状態を現わして、Ｘ軸上の「Ｒ」は臨界半径（垂直加圧臨界半径、水平加圧臨界半径または傾け臨界半径）を現わす。
【０５０９】
図９５の（ａ）は接触移動形態のタッチが「Ｘ０」位置で「Ｘ１０」位置まで成り立った時の感知信号波形図であり、前記信号波形をよく見れば「Ｘ０」位置で「Ｘ１０」位置まで連続的に接触状態の信号（「ＦＺ１」以上で「ＦＺ２」未満の信号）が感知されることが見られる。
【０５１０】
図９５の（ｂ）は「Ｘ０」位置を入力基準位置（１）にする垂直加圧形態のタッチが「Ｘ１」位置に成り立った時の感知信号波形図であり、「Ｘ１」位置は「Ｘ０」位置を中心に垂直加圧臨界半径（２２９）内にある垂直加圧領域の１つの地点に当てはまる。前記信号波形図をよく見れば、「Ｘ０」位置で「Ｘ１」位置までは接触状態の信号（「ＦＺ１」以上で「ＦＺ２」未満の信号）が感知された後に「Ｘ１」位置で加圧信号（「ＦＺ１」未満の信号）が感知されることが見られる。
【０５１１】
図９５の（ｃ）は「Ｘ０」位置を入力基準位置（１）にする傾け形態のタッチが「Ｘ１」方向に成り立った時の感知信号波形図であり、「Ｘ１」位置は「Ｘ０」位置を中心に傾け臨界半径（２３９）内にある水平加圧領域の１つの地点に当たる。前記図９５の（ｃ）の信号波形をよく見れば接触状態の「Ｘ０」位置で加圧位置の「Ｘ１」位置に移動することによって加圧力がますます増加することが見られる。
【０５１２】
図９６の（ａ）は「Ｘ０」位置を入力基準位置（１）にする垂直加圧移動形態のタッチが「Ｘ１０」方向に成り立った時の感知信号波形図であり、前記信号波形図をよく見れば「Ｘ０」位置に「Ｘ１０」位置が加圧状態の信号（「ＦＺ１」未満の信号）が持続することが見られる。
【０５１３】
図９６の（ｂ）は「Ｘ０」位置を入力基準位置（１）にする水平加圧形態のタッチが「Ｘ１」方向に成り立った時の感知信号波形図であり、「Ｘ１」位置は「Ｘ０」位置を中心に水平加圧臨界半径（２３９）内にある水平加圧領域の１つの地点に当たる。前記図９６の（ｂ）の信号波形をよく見れば、「Ｘ０」位置で「Ｘ１」位置まで接触状態の信号（「ＦＺ１」以上で「ＦＺ２」未満の信号）が感知されることが見られる。
【０５１４】
図９６の（ｃ）は水平加圧および傾けタッチ形態に対するもう１つの形態を見せてくれる図面である。先に、接触面（２１０−１）によって水平加圧形態の入力が成り立てば、前記接触面（２１０−１）の外郭面の中に移動方向部位に当たる前方外郭面（２７０−１）には水平加圧によって弾性材質層（１３１）、上部導電層（１３２）および電気絶縁層（１３３）が押圧して上部に突き出される力（ＦＺ３）が発生する。したがって、前記前方外郭面（２７０−１）に位する上部および下部導電層（１３２、１３４）間の隔離距離が大きくなるのでそれによる信号が感知されて垂直に加圧される力（ＦＺ１）は水平加圧前と等しく感知されるので、２つの力（ＦＺ１、ＦＺ３）に対応する信号によって入力判読部（１５０）は水平加圧なのを判読することができるようになる。
【０５１５】
また、接触面（２１０−２）によって傾け形態の入力が成り立てば、前記接触面（２１０−２）の外郭面の中に傾け方向部位に当たる前方外郭面（２７０−２）には押圧して突き出されるので前記前方外郭面（２７０−２）の下部に位する導電層（１３２，１３４）間にも突き出される力（ＦＺ３）に対応する信号が感知されて、前記接触面（２１０−２）では垂直加圧力（ＦＺ２）に対応する信号が感知されるので、２つの力（ＦＺ２，ＦＺ３）に対応する信号によって入力読み取り部（１５０）は傾けることを判読することができるようになる。
【０５１６】
前記図９５および図９６でよく見たところのように、タッチ感知部（１３０）で感知される信号は各タッチ形態によってお互いに違う波形を形成するので、入力読み取り部（１５０）は感知された信号の波形によってタッチ形態を判読することができるのである。また、前記図９５および図９６でのタッチ感知部（１３０）は圧力式ゾハングマック方式で成り立つタッチスクリーン（またはタッチパッド）に図示されたが、本の発明に適用されることができるタッチ感知部（１３０）は接触式静電容量方式のタッチスクリーン（またはタッチパッド）でも構成されることができる事に留意しなければならない。
【０５１７】
図９７は本実施例によるデータ入力装置において、触覚センサーで成り立つタッチ感知部（１３０ａ）の断面図を図示したものである。
【０５１８】
前記図９７を参照すれば、触覚センサーで成り立つタッチ感知部（１３０ａ）はタッチ入力を受けたタッチ入力伝達媒体（５１０）、前記タッチ入力伝達媒体（５１０）を通じて伝達された接触力によって押圧とかまたは傾けられる力伝達柱（５２０）、前記力伝達柱（５２０）の動きによって受けた力を下部で伝達するタッチ力伝達媒体（５３０）、前記タッチ力伝達媒体（５３０）で伝達を受ける力によって抵抗値が変動されるように形成される圧抵抗（５４０）、および前記圧抵抗（５４０）の抵抗変動値によって感知信号を出力して前記構成要所たちを支持する軟性回路基板（５５０）を具備する。
【０５１９】
前記タッチ感知部（１３０ａ）に具備される多数の触覚センサーユニットに対して「２１０−１１」位置を例えて説明すれば、タッチ力が力伝達柱（５２１）に伝達することによって前記力伝達柱（５２１）の下部に位置し前後左右の４方向に配置される圧抵抗（５４１ａおよび５４１ｂ、前記図９７では断面図なので２つの圧抵抗だけを図示した）が加圧されるように構成されて、このような加圧によって発生される圧抵抗（５４１ａおよび５４１ｂ）の抵抗値の変化としてタッチ力の入力方向を判別することができるようになる。すなわちタッチ感知部（１３０ａ）の水平面に沿って加えられる水平力は圧抵抗（５４１ａ）の抵抗変動値で圧抵抗（５４１ｂ）の抵抗変動値を減算してその結果値として計算されて、垂直力は２つの圧抵抗（５４１ａおよび５４１ｂ）の抵抗変動値を合算して計算されることである。すなわち、各触覚センサーユニットはその位置に加えられる水平力、水平力の方向および垂直力を同時に感知することができるのである。
【０５２０】
前記図９７において、「２１０−１１」位置のタッチ形態は接触状態を現わして、タッチ感知部（１３０ａ）は接触力（ＦＺ１）に対応して力伝達柱（５２１）が押圧によって２つの圧抵抗（５４１ａ、５４１ｂ）に抵抗値が変更されるので変更された２つの圧抵抗（５４１ａ、５４１ｂ）の抵抗変動値から接触力（ＦＺ１）を感知して接触タッチ形態を感知する。
【０５２１】
前記図９７において、「２１０−１２」位置のタッチ形態は接触移動状態を現わして、タッチ感知部（１３０ａ）は接触移動による垂直接触力（ＦＺ１）および水平加圧力（ＦＸ１）に対応して力伝達柱（５２２）が傾けられるによって２つの圧抵抗（５４２ａ、５４２ｂ）の抵抗値が変更されるので変更された２つの圧抵抗（５４１ａ、５４１ｂ）の抵抗変動値から垂直接触力（ＦＺ１）および水平加圧力（ＦＸ１）を感知して接触移動タッチ形態を感知する。そして、タッチ手段（ここでは指）の移動方向前段に当たるタッチ入力媒体（５１０）の部位（５１１）は上部に突き出されることが見られる。
【０５２２】
前記図９７において、「２１０−１３」位置のタッチ形態は垂直加圧状態を現わして、タッチ感知部（１３０ａ）は垂直加圧力（ＦＺ２）に対応して力伝達柱（５２３）が押圧によって２つの圧抵抗（５４３ａ、５４３ｂ）に抵抗値が変更されるので変更された２つの圧抵抗（５４３ａ、５４３ｂ）の抵抗変動値から接触力（ＦＺ１）を感知して垂直加圧タッチ形態を感知する。この時、垂直加圧力（ＦＺ２）は接触力（ＦＺ１）よりは大きい力に当たって、タッチ感知部（１３０ａ）は垂直力の大きさとして接触と垂直加圧を分別することができるのである。
【０５２３】
前記図９７において、「２１０−１４」位置のタッチ形態は傾け状態を現わして、タッチ感知部（１３０ａ）は傾け方向に成り立つ対角線上の力（Ｆ２）を受けるようになるので前記対角線上の力（Ｆ２）は力伝達柱（５２４）に伝達して前記力伝達柱（５２４）を傾け方向に傾けられるようにする。この時指によって加えられる前記対角線上の力（Ｆ２）は垂直加圧力（ＦＺ２）および水平加圧力（ＦＸ２）の合成力に当たる。したがって、２つの圧抵抗（５４４ａ、５４４ｂ）の抵抗値が大きく変更されるようになるのでその変更された２つの圧抵抗（５４１ａ、５４１ｂ）の抵抗変動値から垂直加圧力（ＦＺ２）および水平加圧力（ＦＸ２）を感知して傾けタッチ形態を感知することができるのである。この時水平加圧力（ＦＸ２）は前記接触移動による水平加圧力（ＦＸ１）よりは大きい値を持つようになる。
【０５２４】
前記図９７において、「２１０−１５」位置のタッチ形態は水平加圧状態を現わして、垂直接触力（ＦＺ１’）および水平加圧力（ＦＸ２）が同時に伝達してヒ力伝達柱（５２５）が入力方向で傾けられる。この時、２つの圧抵抗（５４５ａ、５４５ｂ）中に水平加圧移動方向（図９６では指の前の方向）に位置する圧抵抗（５４４ｂ）の抵抗変動値が後段の圧抵抗（５４４ａ）の抵抗変動値より大きくなって垂直加圧力（ＦＺ２）を感知することができるし、２つの圧抵抗（５４４ａ）の抵抗変動値を合算して得る垂直接触力（ＦＺ１’）は接触および接触移動する時の接触力（ＦＺ１）よりは少量大きくなっても接触状態で判断することができる。したがって入力判読部（１５０）は２つの感知信号（ＦＺ１’、ＦＸ２）から接触状態で水平加圧のタッチ形態が成り立ったことを判読することができるのである。
【０５２５】
また、本実施例によるデータ入力装置において、タッチ入力伝達媒体（５１０）は傾けまたは水平加圧のタッチ形態によって移動方向部位（５１２、５１３）が押圧して突き出されるほどの軟性材質で構成されることができる。それでは、移動方向部位（５１２、５１３）に位置する触覚センサーユニットの垂直力および水平力も変更されるので移動方向部位（５１２、５１３）の感知信号を追加に判読して傾けおよび水平加圧のタッチ形態を他のタッチ形態（例えば接触移動）とさらに明確に区分して判読することができるのである。
【０５２６】
このように、本実施例によるデータ入力装置はタッチ感知部（１３０）を触覚センサーとして構成して水平力と垂直力によってタッチ形態に判読してタッチ入力を処理することができる。
【０５２７】
図９８は本発明の実施例によるデータ入力装置において、接触力（ＦＺ１）と垂直加圧力（ＦＺ２）を区分して容易く入力するように構成されるタッチ感知部（１３０ｂ）の断面図である。
【０５２８】
図９８を参照すれば、本発明によるタッチ感知部（１３０ａ）は前記図９５および図９６に図示された一般的なタッチ式感知部（１３０）とは相異なっているように、電気絶縁層（１３３）が２つの絶縁層（１３３ａ、１３３ｂ）で構成される電気絶縁層（１３３）が両方導電層（１３２、１３４）間に具備される。前記２つの絶縁層（１３３ａ、１３３ｂ）は電気的絶縁材料であり、タッチ圧力によって変形性を持ってタッチ圧力が解除されれば元の状態に復元されようとする弾性を持つ。また、前記２つの絶縁層（１３３ａ、１３３ｂ）中に下部導電層（１３４）に接する下部絶縁層（１３３ｂ）は、上部絶縁層（１３３ｂ）よりは軟性が低い材質で構成されて同一圧力をかけた時にその変形量が上部絶縁層（１３３ａ）よりは少なくなる。
【０５２９】
このようにタッチ感知部（１３０ａ）の電気絶縁層（１３３）が、軟性が相異なっている２つの層で構成されるによって指でタッチ感知部（１３０ａ）をタッチする時にタッチ圧力に相異なっている多段入力が容易くなる。すなわち、前記図９８に図示されたように、接触状態に対応する接触圧力（ＦＺ１）を加える時には上部絶縁層（１３３ａ）が変形されて、加圧状態に対応する垂直加圧力（ＦＺ２）を加える時には下部絶縁層（１３３ｂ）まで変形されることだ
本実施例によるデータ入力装置は文字板またはキーパッドを具備しなくてもデータを容易く入力するように構成されて、望ましく文字板配列またはキーパッド配列のようにデータ配列を使用者が見られるようにすることでデータ配列を熟知することができなかった素人使用者も容易く使用することができるように構成されることもできる。
【０５３０】
図９９と図１００は本発明の実施例によるデータ配列情報がディスプレー部（１４０）に出力される様態を図示したものである。
【０５３１】
図９９の（ａ）を参照すれば下部に具備されたタッチ入力部（１３０）に指（２００）でタッチ入力することによって上部に具備されたディスプレー部（１４０）に入力したデータが出力されることを見られるし、望ましく前記ディスプレー部（１４０）上の指定された位置に放射形に配置されるデータ配列表（４００）が出力される。
【０５３２】
前記図９９の（ａ）に図示されたデータ配列表（４００）によれば中央垂直加圧に対応するデータが中心に位して垂直加圧に対応するデータが内側同心円位置に放射状に配置されて接触移動に対応するデータが外側同心円位置に放射状に配置される。したがって、使用者はディスプレー部（１４０）に出力されるデータ配列表（４００）を見ればのぞむデータに対応するタッチ形態および入力方向を選択してタッチ感知部（１３０）に入力することができる。一例で使用者は前記データ配列表（４００）を見て入力しようとする「Ｍ１」データの位置を認識して第１方向接触移動（Ｍ１）ができることなのである。
【０５３３】
図９９の（ｂ）に図示された本実施例によるデータ入力装置では、タッチ入力部（１３０）がタッチスクリーンで構成されてディスプレー部（１４０）と一体型で形成される。そして、データ配列表（４００）は指がタッチされた位置を中心にして出力されてタッチ位置が変更されてもタッチ位置に沿って移動して出力されることがみられる。
【０５３４】
図１００の（ａ）はタッチ入力部（１３０：１３０−１、１３０−２）が２個具備されたデータ入力装置を図示したこととして、この時にはタッチ入力部（１３０：１３０−１、１３０−２）の個数にあうように２個のデータ配列表（４００−１、４００−２）がディスプレー部（１４０）に出力されることが見られる。
【０５３５】
また、図１００の（ｂ）を参照すれば、両方の指をタッチスクリーン（１３０）にタッチすることによって各指がタッチされた位置に個別でデータ配列表（４００−１、４００−２）が出力されることが見られるし、各データ配列表（４００−１、４００−２）は当てはまる指のタッチ位置に沿って移動するようになる。
【０５３６】
前記図１００の（ａ）および（ｂ）において、２個のデータ配列表（４００−１、４００−２）にはお互いに異なるデータが含まれるようにすることが望ましい。例えば、一指ではハングル子音を、他の一指では母音を入力することができるようにすることである。これのようにデータ配列表（４００−１、４００−２）を形成することで両方の指を同時に使用してデータを迅速に入力することができることである。
【０５３７】
そして前記したデータ配列表（４００）はデータ入力装置に導入するタッチ形態によって多様に形成されることができるので多様なタッチ形態の組み合わせで成り立つデータ配列表に対する例示は省略する。また、本実施例によるデータ入力装置はデータ配列表（４００）をディスプレー部（１４０）に選択的に出力するようにして使用者が望まない場合には出力を制限することができるようにすることが望ましい。
【０５３８】
図１０１は本発明によるデータ入力装置が複数のタッチ手段（２００−１、２００−２）のタッチ入力を処理するように構成されることができることを説明するための図面である。
【０５３９】
前記図１０１を参照すれば、左側タッチ手段（２００−１）による接触面（２１０−１）と右側タッチ手段（２００−２）による接触面（２１０−２）が同時に成り立って、左側タッチ手段（２００−１）によって第３方向接触移動（Ｍ３）と第１方向垂直加圧（Ｐ１）が入力されて、右側タッチ手段（２００−２）によって第８方向接触移動（Ｍ８）と第２方向傾け（Ｓ２）と第３方向接触移動（Ｍ３）が入力されることである。
【０５４０】
このように複数のタッチ入力が成り立てば、本発明による入力判読部（１５０）は複数の接触面（２１０−１、２１０−２）に対するそれぞれの入力基準位置（１−１、１−２）を個別で設定して、それぞれの入力基準位置（１−１、１−２）に対して成り立つタッチ形態および入力方向を分離して判読することである。すなわち、前記入力判読部（１５０）は複数のタッチ入力が成り立てば各タッチ入力位置を分離して複数の入力に判読することである。
【０５４１】
望ましくは、各タッチ手段（２００−１、２００−２）に識別字を付与して複数の入力が成り立つことを制御部（１１０）に伝達することである。このために、前記入力判読部（１５０）はタッチが始まった位置によって各タッチ手段（２００−１、２００−２）に識別字を付与することもできる。例えば、タッチ始め位置によって左側入力および右側入力で区別することである。また、いずれか１つのタッチ手段が先に成り立って他の１つのタッチ手段が後で成り立てば先にタッチしたタッチ手段の現在の位置を中心にして後でタッチしたタッチ手段のタッチ始め位置がどの方向に位置するのかを判別して識別字を付与することもできる。
【０５４２】
そして、制御部（１１０）は識別字で分離して伝達受けた入力判読部（１５０）の判読結果によってデータを処理することである。望ましく、前記メモリー部（１２０）はタッチ形態および入力方向別に指定されるデータを識別字ごとに別に区分して保存することができる。そして、前記制御部（１１０）は識別字に対応するデータを処理することである。例えば、前記図１０１において左側タッチ手段（２００−１）の第３方向接触移動（Ｍ３）に対して処理データが、右側タッチ手段（２００−２）の第３方向接触移動（Ｍ３）に対して処理されるデータとは相異なっているのである。
【０５４３】
また、メモリー部（１２０）は識別字別で区分してデータを保存しないで制御部（１１０）は複数タッチによる複数入力をどのタッチ手段で成り立つにしろ入力手順によって連続入力で処理するように構成されることもできる。この時にはどのタッチ手段の入力であれ制御部（１１０）へ伝達されるタッチ入力の判読手順によって順次処理することとして、例えば左側タッチ手段（２００−１）の第３方向接触移動（Ｍ３）に対応するデータは、右側タッチ手段（２００−２）の第３方向接触移動（Ｍ３）に対応するデータと等しいことである。
【０５４４】
図１０２は本実施例によるデータ入力装置が、接触移動および垂直加圧移動のタッチ形態において、入力方向の移動距離別で相異なっているデータを入力処理できるように構成されることができることを見せてくれる図面である。図１０２の（ａ）を参照すれば、第１移動臨界半径（Ｒ１）と第２移動臨界半径（Ｒ２）の間に該当する移動距離範囲まで接触移動が成り立てば、図８３に図示されたことと同じく第１接触移動（Ｍ１、Ｍ２、Ｍ３、Ｍ４、Ｍ５、Ｍ６、Ｍ７、Ｍ８）に判読して、第２移動臨界半径（Ｒ２）以上に接触移動が成り立てば前記第１接触移動とは相異なっている第２接触移動（Ｍ１’、Ｍ２’、Ｍ３’、Ｍ４’、Ｍ５’、Ｍ６’、Ｍ７’、Ｍ８’）に判読することであり、また前記第２接触移動に対しては前記図８３とは相異なっているデータ（未図示）が処理されることである。すなわち、接触移動の移動距離によって相異なっているデータを入力処理することである。そして、図１０２の（ｂ）を参照すれば、本発明によるデータ入力装置は前記図１０２の（ａ）の接触移動と等しく垂直加圧移動のタッチ形態に対しても移動距離によって相異なっているデータを入力処理するように構成されることができるのである。前記図１０２では移動距離によって２段に入力処理することに図示したが、本発明によるデータ入力装置は２段入力に限定されることではなく、３段以上に移動距離範囲を設定して各移動距離別で相異なっているデータを処理するように構成されることができる。そして、前記第１移動臨界半径（Ｒ１）は垂直加圧、水平加圧および傾けタッチ形態の臨界半径で設定して接触移動と分別されるようにすることが望ましい。
【０５４５】
本発明は前記した実施例に限定され図、適用範囲が多様さは勿論で、請求範囲で請求する本発明の要旨を脱することなく多様な変形実施が可能なことは勿論である。
【図１】
2011516959.tif 000021
【図２】
2011516959.tif 000022
【図３（ａ）】
2011516959.tif 000023
【図３（ｂ）】
2011516959.tif 000024
【図４（ａ）】
2011516959.tif 000025
【図４（ｂ）】
2011516959.tif 000026
【図４（ｃ）】
2011516959.tif 000027
【図５】
2011516959.tif 000028
【図６】
2011516959.tif 000029
【図７（ａ）】
2011516959.tif 000030
【図７（ｂ）】
2011516959.tif 000031
【図７（ｃ）】
2011516959.tif 000032
【図８（ａ）】
2011516959.tif 000033
【図８（ｂ）】
2011516959.tif 000034
【図８（ｃ）】
2011516959.tif 000035
【図８（ｄ）】
2011516959.tif 000036
【図９】
2011516959.tif 000037
【図１０（ａ）】
2011516959.tif 000038
【図１０（ｂ）】
2011516959.tif 000039
【図１１】
2011516959.tif 000040
【図１２（ａ）】
2011516959.tif 000041
【図１２（ｂ）】
2011516959.tif 000042
【図１３（ａ）】
2011516959.tif 000043
【図１３（ｂ）】
2011516959.tif 000044
【図１４（ａ）】
2011516959.tif 000045
【図１４（ｂ）】
2011516959.tif 000046
【図１４（ｃ）】
2011516959.tif 000047
【図１４（ｄ）】
2011516959.tif 000048
【図１５（ａ）】
2011516959.tif 000049
【図１５（ｂ）】
2011516959.tif 000050
【図１５（ｃ）】
2011516959.tif 000051
【図１５（ｄ）】
2011516959.tif 000052
【図１６（ａ）】
2011516959.tif 000053
【図１６（ｂ）】
2011516959.tif 000054
【図１６（ｃ）】
2011516959.tif 000055
【図１７（ａ）】
2011516959.tif 000056
【図１７（ｂ）】
2011516959.tif 000057
【図１７（ｃ）】
2011516959.tif 000058
【図１８】
2011516959.tif 000059
【図１９（ａ）】
2011516959.tif 000060
【図１９（ｂ）】
2011516959.tif 000061
【図１９（ｃ）】
2011516959.tif 000062
【図１９（ｄ）】
2011516959.tif 000063
【図２０（ａ）】
2011516959.tif 000064
【図２０（ｂ）】
2011516959.tif 000065
【図２１（ａ）】
2011516959.tif 000066
【図２１（ｂ）】
2011516959.tif 000067
【図２１（ｃ）】
2011516959.tif 000068
【図２１（ｄ）】
2011516959.tif 000069
【図２２（ａ）】
2011516959.tif 000070
【図２２（ｂ）】
2011516959.tif 000071
【図２２（ｃ）】
2011516959.tif 000072
【図２２（ｄ）】
2011516959.tif 000073
【図２２（ｅ）】
2011516959.tif 000074
【図２３（ａ）】
2011516959.tif 000075
【図２３（ｂ）】
2011516959.tif 000076
【図２３（ｃ）】
2011516959.tif 000077
【図２４】
2011516959.tif 000078
【図２５】
2011516959.tif 000079
【図２６】
2011516959.tif 000080
【図２７（ａ）】
2011516959.tif 000081
【図２７（ｂ）】
2011516959.tif 000082
【図２８（ａ）】
2011516959.tif 000083
【図２８（ｂ）】
2011516959.tif 000084
【図２９（ａ）】
2011516959.tif 000085
【図２９（ｂ）】
2011516959.tif 000086
【図２９（ｃ）】
2011516959.tif 000087
【図３０】
2011516959.tif 000088
【図３１（ａ）】
2011516959.tif 000089
【図３１（ｂ）】
2011516959.tif 000090
【図３１（ｃ）】
2011516959.tif 000091
【図３２（ａ）】
2011516959.tif 000092
【図３２（ｂ）】
2011516959.tif 000093
【図３３（ａ）】
2011516959.tif 000094
【図３３（ｂ）】
2011516959.tif 000095
【図３４】
2011516959.tif 000096
【図３５（ａ）】
2011516959.tif 000097
【図３５（ｂ）】
2011516959.tif 000098
【図３６】
2011516959.tif 000099
【図３７】
2011516959.tif 000100
【図３８】
2011516959.tif 000101
【図３９（ａ）】
2011516959.tif 000102
【図３９（ｂ）】
2011516959.tif 000103
【図４０】
2011516959.tif 000104
【図４１（ａ）】
2011516959.tif 000105
【図４１（ｂ）】
2011516959.tif 000106
【図４２（ａ）】
2011516959.tif 000107
【図４２（ｂ）】
2011516959.tif 000108
【図４３（ａ）】
2011516959.tif 000109
【図４３（ｂ）】
2011516959.tif 000110
【図４４（ａ）】
2011516959.tif 000111
【図４４（ｂ）】
2011516959.tif 000112
【図４４（ｃ）】
2011516959.tif 000113
【図４５（ａ）】
2011516959.tif 000114
【図４５（ｂ）】
2011516959.tif 000115
【図４５（ｃ）】
2011516959.tif 000116
【図４６（ａ）】
2011516959.tif 000117
【図４６（ｂ）】
2011516959.tif 000118
【図４６（ｃ）】
2011516959.tif 000119
【図４７（ａ）】
2011516959.tif 000120
【図４７（ｂ）】
2011516959.tif 000121
【図４８（ａ）】
2011516959.tif 000122
【図４８（ｂ）】
2011516959.tif 000123
【図４８（ｃ）】
2011516959.tif 000124
【図４８（ｄ）】
2011516959.tif 000125
【図４９（ａ）】
2011516959.tif 000126
【図４９（ｂ）】
2011516959.tif 000127
【図５０】
2011516959.tif 000128
【図５１（ａ）】
2011516959.tif 000129
【図５１（ｂ）】
2011516959.tif 000130
【図５２（ａ）】
2011516959.tif 000131
【図５２（ｃ）】
2011516959.tif 000132
【図５２（ｄ）】
2011516959.tif 000133
【図５３（ｂ）】
2011516959.tif 000134
【図５３（ｃ）】
2011516959.tif 000135
【図５４】
2011516959.tif 000136
【図５５（ａ）】
2011516959.tif 000137
【図５５（ｂ）】
2011516959.tif 000138
【図５５（ｃ）】
2011516959.tif 000139
【図５５（ｄ）】
2011516959.tif 000140
【図５５（ｅ）】
2011516959.tif 000141
【図５６（ａ）】
2011516959.tif 000142
【図５６（ｂ）】
2011516959.tif 000143
【図５７（ａ）】
2011516959.tif 000144
【図５７（ｂ）】
2011516959.tif 000145
【図５７（ｃ）】
2011516959.tif 000146
【図５８】
2011516959.tif 000147
【図５９（ａ）】
2011516959.tif 000148
【図５９（ｂ）】
2011516959.tif 000149
【図５９（ｃ）】
2011516959.tif 000150
【図５９（ｄ）】
2011516959.tif 000151
【図６０】
2011516959.tif 000152
【図６１（ａ）】
2011516959.tif 000153
【図６１（ｂ）】
2011516959.tif 000154
【図６１（ｃ）】
2011516959.tif 000155
【図６１（ｄ）】
2011516959.tif 000156
【図６２（ａ）】
2011516959.tif 000157
【図６２（ｂ）】
2011516959.tif 000158
【図６２（ｃ）】
2011516959.tif 000159
【図６３】
2011516959.tif 000160
【図６４（ａ）】
2011516959.tif 000161
【図６４（ｂ）】
2011516959.tif 000162
【図６４（ｃ）】
2011516959.tif 000163
【図６５（ａ）】
2011516959.tif 000164
【図６５（ｂ）】
2011516959.tif 000165
【図６５（ｃ）】
2011516959.tif 000166
【図６５（ｄ）】
2011516959.tif 000167
【図６５（ｅ）】
2011516959.tif 000168
【図６６（ａ）】
2011516959.tif 000169
【図６６（ｂ）】
2011516959.tif 000170
【図６６（ｃ）】
2011516959.tif 000171
【図６６（ｄ）】
2011516959.tif 000172
【図６８】
2011516959.tif 000173
【図６９（ａ）】
2011516959.tif 000174
【図６９（ｂ）】
2011516959.tif 000175
【図６９（ｃ）】
2011516959.tif 000176
【図７０（ａ）】
2011516959.tif 000177
【図７０（ｂ）】
2011516959.tif 000178
【図７０（ｃ）】
2011516959.tif 000179
【図７０（ｄ）】
2011516959.tif 000180
【図７２（ａ）】
2011516959.tif 000181
【図７２（ｂ）】
2011516959.tif 000182
【図７２（ｃ）】
2011516959.tif 000183
【図７２（ｄ）】
2011516959.tif 000184
【図７３】
2011516959.tif 000185
【図７４】
2011516959.tif 000186
【図７５】
2011516959.tif 000187
【図７６】
2011516959.tif 000188
【図７８】
2011516959.tif 000189
【図７９】
2011516959.tif 000190
【図８０】
2011516959.tif 000191
【図８２（ａ）】
2011516959.tif 000192
【図８２（ｂ）】
2011516959.tif 000193
【図８４（ａ）】
2011516959.tif 000194
【図８４（ｂ）】
2011516959.tif 000195
【図８５（ａ）】
2011516959.tif 000196
【図８５（ｂ）】
2011516959.tif 000197
【図８６】
2011516959.tif 000198
【図８７（ａ）】
2011516959.tif 000199
【図８７（ｂ）】
2011516959.tif 000200
【図８７（ｃ）】
2011516959.tif 000201
【図８７（ｄ）】
2011516959.tif 000202
【図８８（ａ）】
2011516959.tif 000203
【図８８（ｂ）】
2011516959.tif 000204
【図９１】
2011516959.tif 000205
【図９２】
2011516959.tif 000206
【図９３（ａ）】
2011516959.tif 000207
【図９３（ｂ）】
2011516959.tif 000208
【図９３（ｃ）】
2011516959.tif 000209
【図９３（ｄ）】
2011516959.tif 000210
【図９４（ａ）】
2011516959.tif 000211
【図９４（ｂ）】
2011516959.tif 000212
【図９４（ｃ）】
2011516959.tif 000213
【図９４（ｄ）】
2011516959.tif 000214
【図９５（ａ）】
2011516959.tif 000215
【図９５（ｂ）】
2011516959.tif 000216
【図９５（ｃ）】
2011516959.tif 000217
【図９６（ａ）】
2011516959.tif 000218
【図９６（ｂ）】
2011516959.tif 000219
【図９６（ｃ）】
2011516959.tif 000220
【図９７】
2011516959.tif 000221
【図９８】
2011516959.tif 000222
【図９９（ａ）】
2011516959.tif 000223
【図９９（ｂ）】
2011516959.tif 000224
【図１００（ａ）】
2011516959.tif 000225
【図１００（ｂ）】
2011516959.tif 000226
【図１０１】
2011516959.tif 000227
【図１０２（ａ）】
2011516959.tif 000228
【図１０２（ｂ）】
2011516959.tif 000229
【図６７】
2011516959.tif 000230
【図７１】
2011516959.tif 000231
【図７７】
2011516959.tif 000232
【図８１】
2011516959.tif 000233
【図８３】
2011516959.tif 000234
【図８９】
2011516959.tif 000235
【図９０】
2011516959.tif 000236
【国際調査報告】
2011516959.tif 000237
2011516959.tif 000238
2011516959.tif 000239
2011516959.tif 000240